(57)【要約】【課題】改良された速度および正確さをともなう永久層の整列印刷のための技術を提供すること。【解決手段】反復可能製造プロセスは、基板によって担持される各製品のための液体を堆積し、それぞれの薄膜を形成するためにプリンタを使用する。液体は、液体から各それぞれの製品の永久層を形成するように、乾燥され、硬化され、または別様に処理される。印刷を行うために、各々の新たに導入された基板が、ミリメートル未満の誤整合を検出する光学システム、および誤整合を補正するソフトウェアと、粗く機械的に整合される。基板の各所定の領域のための液体の精密な堆積を確実にするために、ノズルが規則的に液滴を堆積させるよう誤整合に依存して様々に割り当てられるようにしたデータのレンダリングが行われる。【選択図】図２Ｂ
2018137241.tif 000002
【特許請求の範囲】
【請求項１】
本願明細書に記載の発明。
【発明の詳細な説明】
【背景技術】
【０００１】
（関連出願への相互参照）
本出願は、２０１４年１０月２日に第１発明者Ｍｉｃｈａｅｌ  Ｂａｋｅｒのために出願された「Ｔｅｃｈｎｉｑｕｅｓ  Ｆｏｒ  Ａｒｒａｙｅｄ  Ｐｒｉｎｔｉｎｇ  Ｏｆ  Ａ  Ｐｅｒｍａｎｅｎｔ  Ｌａｙｅｒ  Ｗｉｔｈ  Ｉｍｐｒｏｖｅｄ  Ｓｐｅｅｄ  Ａｎｄ  Ａｃｃｕｒａｃｙ」に関する米国仮出願番号第６２／０５９１２１号、および２０１４年７月７に第１発明者Ｍｉｃｈａｅｌ  Ｂａｋｅｒのために出願された「Ｔｅｃｈｎｉｑｕｅｓ  Ｆｏｒ  Ａｒｒａｙｅｄ  Ｐｒｉｎｔｉｎｇ  Ｏｆ  Ａ  Ｐｅｒｍａｎｅｎｔ
Ｌａｙｅｒ  Ｗｉｔｈ  Ｉｍｐｒｏｖｅｄ  Ｓｐｅｅｄ  Ａｎｄ  Ａｃｃｕｒａｃｙ」に関する米国仮出願番号第６２／０２１５８４号の各々に基づく優先権を主張している。さらに、本出願はまた、２０１５年４月７日に第１発明者Ｎａｈｉｄ  Ｈａｒｊｅｅのために出願された「Ｔｅｃｈｎｉｑｕｅｓ  ｆｏｒ  Ｐｒｉｎｔ  Ｉｎｋ  Ｖｏｌｕｍｅ  Ｃｏｎｔｒｏｌ  Ｔｏ  Ｄｅｐｏｓｉｔ  Ｆｌｕｉｄｓ  Ｗｉｔｈｉｎ  Ｐｒｅｃｉｓｅ
Ｔｏｌｅｒａｎｃｅｓ」に関する米国実用特許出願番号第１４／６８０９６０号、２０１４年７月３日に第１発明者Ｎａｈｉｄ  Ｈａｒｊｅｅのために出願された「Ｔｅｃｈｎｉｑｕｅｓ  ｆｏｒ  Ｐｒｉｎｔ  Ｉｎｋ  Ｄｒｏｐｌｅｔ  Ｍｅａｓｕｒｅｍｅｎｔ  ａｎｄ  Ｃｏｎｔｒｏｌ  ｔｏ  Ｄｅｐｏｓｉｔ  Ｆｌｕｉｄｓ  ｗｉｔｈｉｎ  Ｐｒｅｃｉｓｅ  Ｔｏｌｅｒａｎｃｅｓ」に関する米国実用特許出願番号第１４／３４０４０３号、および２０１５年２月２０に第１発明者Ｅｌｉｙａｈｕ  Ｖｒｏｎｓｋｙのために出願された「Ｅｎｃａｐｓｕｌａｔｉｏｎ  Ｏｆ  Ｃｏｍｐｏｎｅｎｔｓ  Ｏｆ  Ｅｌｅｃｔｒｏｎｉｃ  Ｄｅｖｉｃｅ  Ｕｓｉｎｇ  Ｈａｌｆｔｏｎｉｎｇ  Ｔｏ  Ｃｏｎｔｒｏｌ  Ｔｈｉｃｋｎｅｓｓ」に関する米国実用特許出願番号第１４／６２７１８６号に基づく優先権を主張しており、そしてそれらの各々の一部継続出願である。
【０００２】
米国実用特許出願第１４／６８０９６０号は、米国実用特許出願第１４／１６２５２５号（今や２０１５年４月２１日の発行された米国特許第９０１０８９９号）の継続出願である。順に、米国実用特許出願第１４／１６２５２５号は、２０１３年１２月２６日に第１発明者Ｎａｈｉｄ  Ｈａｒｊｅｅによる「Ｔｅｃｈｎｉｑｕｅｓ  ｆｏｒ  Ｐｒｉｎｔ
Ｉｎｋ  Ｖｏｌｕｍｅ  Ｃｏｎｔｒｏｌ  Ｔｏ  Ｄｅｐｏｓｉｔ  Ｆｌｕｉｄｓ  Ｗｉｔｈｉｎ  Ｐｒｅｃｉｓｅ  Ｔｏｌｅｒａｎｃｅｓ」について出願された台湾特許出願第１０２１４８３３０号、および２０１３年１２月２４日に第１発明者Ｎａｈｉｄ  Ｈａｒｊｅｅによる「Ｔｅｃｈｎｉｑｕｅｓ  ｆｏｒ  Ｐｒｉｎｔ  Ｉｎｋ  Ｖｏｌｕｍｅ  Ｃｏｎｔｒｏｌ  Ｔｏ  Ｄｅｐｏｓｉｔ  Ｆｌｕｉｄｓ  Ｗｉｔｈｉｎ  Ｐｒｅｃｉｓｅ  Ｔｏｌｅｒａｎｃｅｓ」について出願されたＰＣＴ特許出願第ＰＣＴ／ＵＳ２０１３／０７７７２０号に基づく優先権を主張している。ＰＣＴ特許出願第ＰＣＴ／ＵＳ２０１３／０７７７２０号は、２０１２年１２月２７日に第１発明者Ｃｏｎｏｒ  Ｆｒａｎｃｉｓ  Ｍａｄｉｇａｎのために出願された「Ｓｍａｒｔ  Ｍｉｘｉｎｇ」に関する米国仮特許出願第６１／７４６，５４５号；２０１３年５月１３日に第１発明者Ｎａｈｉｄ  Ｈａｒｊｅｅのために出願された「Ｓｙｓｔｅｍｓ  ａｎｄ  Ｍｅｔｈｏｄｓ  Ｐｒｏｖｉｄｉｎｇ  Ｕｎｉｆｏｒｍ  Ｐｒｉｎｔｉｎｇ  ｏｆ  ＯＬＥＤ  Ｐａｎｅｌｓ」に関する米国仮特許出願第６１／８２２８５５号；２０１３年７月２日に第１発明者Ｎａｈｉｄ  Ｈａｒｊｅｅのために出願された「Ｓｙｓｔｅｍｓ  ａｎｄ  Ｍｅｔｈｏｄｓ  Ｐｒｏｖｉｄｉｎｇ  Ｕｎｉｆｏｒｍ  Ｐｒｉｎｔｉｎｇ  ｏｆ  ＯＬＥＤ  Ｐａｎｅｌｓ」に関する米国仮特許出願第６１／８４２３５１号；２０１３年７月２３日に第１発明者Ｎａｈｉｄ
Ｈａｒｊｅｅのために出願された「Ｓｙｓｔｅｍｓ  ａｎｄ  Ｍｅｔｈｏｄｓ  Ｐｒｏｖｉｄｉｎｇ  Ｕｎｉｆｏｒｍ  Ｐｒｉｎｔｉｎｇ  ｏｆ  ＯＬＥＤ  Ｐａｎｅｌｓ」に関する米国仮特許出願第６１／８５７２９８号；２０１３年１１月１日に第１発明者Ｎａｈｉｄ  Ｈａｒｊｅｅのために出願された「Ｓｙｓｔｅｍｓ  ａｎｄ  Ｍｅｔｈｏｄｓ  Ｐｒｏｖｉｄｉｎｇ  Ｕｎｉｆｏｒｍ  Ｐｒｉｎｔｉｎｇ  ｏｆ  ＯＬＥＤ  Ｐａｎｅｌｓ」に関する米国仮特許出願第６１／８９８７６９号；および２０１３年１２月２４日に第１発明者Ｎａｈｉｄ  Ｈａｒｊｅｅのために出願された「Ｔｅｃｈｎｉｑｕｅｓ  ｆｏｒ  Ｐｒｉｎｔ  Ｉｎｋ  Ｖｏｌｕｍｅ  Ｃｏｎｔｒｏｌ  Ｔｏ  Ｄｅｐｏｓｉｔ  Ｆｌｕｉｄｓ  Ｗｉｔｈｉｎ  Ｐｒｅｃｉｓｅ  Ｔｏｌｅｒａｎｃｅｓ」に関する米国仮特許出願第６１／９２０７１５号の各々に基づく優先権を主張している。
【０００３】
米国実用特許出願第１４／３４０４０３号は、順に、２０１４年４月２３日に第１発明者Ｎａｈｉｄ  Ｈａｒｊｅｅのために出願された「Ｔｅｃｈｎｉｑｕｅｓ  ｆｏｒ  Ｐｒｉｎｔ  Ｉｎｋ  Ｄｒｏｐｌｅｔ  Ｍｅａｓｕｒｅｍｅｎｔ  ａｎｄ  Ｃｏｎｔｒｏｌ  ｔｏ  Ｄｅｐｏｓｉｔ  Ｆｌｕｉｄｓ  ｗｉｔｈｉｎ  Ｐｒｅｃｉｓｅ  Ｔｏｌｅｒａｎｃｅｓ」に関するＰＣＴ特許出願第ＰＣＴ／ＵＳ２０１４／０３５１９３号および２０１４年１月２３日に第１発明者Ｎａｈｉｄ  Ｈａｒｊｅｅのために出願された「Ｔｅｃｈｎｉｑｕｅｓ  ｆｏｒ  Ｐｒｉｎｔ  Ｉｎｋ  Ｖｏｌｕｍｅ  Ｃｏｎｔｒｏｌ  Ｔｏ  Ｄｅｐｏｓｉｔ  Ｆｌｕｉｄｓ  Ｗｉｔｈｉｎ  Ｐｒｅｃｉｓｅ  Ｔｏｌｅｒａｎｃｅｓ」に関する米国実用特許出願第１４／１６２５２５の各々の一部継続出願であり、そしてまた、２０１３年４月２６日に第１発明者Ａｌｅｘａｎｄｅｒ  Ｓｏｕ−Ｋａｎｇ  Ｋｏのために出願された「ＯＬＥＤ  Ｐｒｉｎｔｉｎｇ  Ｓｙｓｔｅｍｓ  ａｎｄ  Ｍｅｔｈｏｄｓ  Ｕｓｉｎｇ  Ｌａｓｅｒ  Ｌｉｇｈｔ  Ｓｃａｔｔｅｒｉｎｇ  ｆｏｒ  Ｍｅａｓｕｒｉｎｇ  Ｉｎｋ  Ｄｒｏｐ  Ｓｉｚｅ，  Ｖｅｌｏｃｉｔｙ  ａｎｄ  Ｔｒａｊｅｃｔｏｒｙ」に関する米国仮特許出願第６１／８１６６９６号、２０１３年８月１４日に第１発明者Ａｌｅｘａｎｄｅｒ  Ｓｏｕ−Ｋａｎｇ  Ｋｏのために出願された「ＯＬＥＤ  Ｐｒｉｎｔｉｎｇ  Ｓｙｓｔｅｍｓ  ａｎｄ  Ｍｅｔｈｏｄｓ  Ｕｓｉｎｇ  Ｌａｓｅｒ  Ｌｉｇｈｔ  Ｓｃａｔｔｅｒｉｎｇ  ｆｏｒ  Ｍｅａｓｕｒｉｎｇ  Ｉｎｋ  Ｄｒｏｐ  Ｓｉｚｅ，  Ｖｅｌｏｃｉｔｙ  ａｎｄ  Ｔｒａｊｅｃｔｏｒｙ」に関する米国仮特許出願第６１／８６６０３１号および２０１３年１２月２６日に第１発明者Ｎａｈｉｄ  Ｈａｒｊｅｅによる「Ｔｅｃｈｎｉｑｕｅｓ  ｆｏｒ  Ｐｒｉｎｔ  Ｉｎｋ  Ｖｏｌｕｍｅ  Ｃｏｎｔｒｏｌ  Ｔｏ  Ｄｅｐｏｓｉｔ  Ｆｌｕｉｄｓ  Ｗｉｔｈｉｎ  Ｐｒｅｃｉｓｅ
Ｔｏｌｅｒａｎｃｅｓ」について出願された台湾特許出願第１０２１４８３３０号の各々に基づく利益を主張している。
【０００４】
ＰＣＴ特許出願第ＰＣＴ／ＵＳ２０１４／０３５１９３号は、順に、２０１３年４月２６日に第１発明者Ａｌｅｘａｎｄｅｒ  Ｓｏｕ−Ｋａｎｇ  Ｋｏのために出願された「ＯＬＥＤ  Ｐｒｉｎｔｉｎｇ  Ｓｙｓｔｅｍｓ  ａｎｄ  Ｍｅｔｈｏｄｓ  Ｕｓｉｎｇ  Ｌａｓｅｒ  Ｌｉｇｈｔ  Ｓｃａｔｔｅｒｉｎｇ  ｆｏｒ  Ｍｅａｓｕｒｉｎｇ  Ｉｎｋ  Ｄｒｏｐ  Ｓｉｚｅ，  Ｖｅｌｏｃｉｔｙ  ａｎｄ  Ｔｒａｊｅｃｔｏｒｙ」に関する米国仮特許出願第６１／８１６６９６号、２０１３年８月１４に第１発明者Ａｌｅｘａｎｄｅｒ  Ｓｏｕ−Ｋａｎｇ  Ｋｏのために出願された「ＯＬＥＤ  Ｐｒｉｎｔｉｎｇ  Ｓｙｓｔｅｍｓ  ａｎｄ  Ｍｅｔｈｏｄｓ  Ｕｓｉｎｇ  Ｌａｓｅｒ  Ｌｉｇｈｔ  Ｓｃａｔｔｅｒｉｎｇ  ｆｏｒ  Ｍｅａｓｕｒｉｎｇ  Ｉｎｋ  Ｄｒｏｐ  Ｓｉｚｅ，  Ｖｅｌｏｃｉｔｙ  ａｎｄ  Ｔｒａｊｅｃｔｏｒｙ」に関する米国仮特許出願第６１／８６６０３１号、および２０１４年１月２３日に第１発明者Ｎａｈｉｄ  Ｈａｒｊｅｅのために出願された「Ｔｅｃｈｎｉｑｕｅｓ  ｆｏｒ  Ｐｒｉｎｔ  Ｉｎｋ  Ｖｏｌｕｍｅ  Ｃｏｎｔｒｏｌ  Ｔｏ  Ｄｅｐｏｓｉｔ  Ｆｌｕｉｄｓ  Ｗｉｔｈｉｎ  Ｐｒｅｃｉｓｅ  Ｔｏｌｅｒａｎｃｅｓ」に関する米国実用特許出願第１４／１６２５２５号に基づく優先権を主張している。
【０００５】
米国実用特許出願第１４／６２７１８６号は、米国実用出願第１４／４８５００５号（今や２０１５年３月３１日に発行された米国特許第８９９５０２２号）の継続出願である。米国実用特許出願第１４／４８５００５号は、順に、２０１３年１２月１２日に第１発明者Ｅｌｉｙａｈｕ  Ｖｒｏｎｓｋｉのために出願された「Ｉｎｋ−Ｂａｓｅｄ  Ｌａｙｅｒ  Ｆａｂｒｉｃａｔｉｏｎ  Ｕｓｉｎｇ  Ｈａｌｆｔｏｎｉｎｇ  Ｖａｒｉａｔｉｏｎ」についての米国仮特許出願第６１／９１５１４９号、２０１４年４月１０日に第１発明者Ｅｌｉｙａｈｕ  Ｖｒｏｎｓｋｉのために出願された「Ｉｎｋ−Ｂａｓｅｄ  Ｌａｙｅｒ  Ｆａｂｒｉｃａｔｉｏｎ  Ｕｓｉｎｇ  Ｈａｌｆｔｏｎｉｎｇ  Ｔｏ  Ｃｏｎｔｒｏｌ  Ｔｈｉｃｋｎｅｓｓ」に関する米国仮特許出願第６１／９７７９３９号、２０１４年５月３０日に第１発明者Ｅｌｉｙａｈｕ  Ｖｒｏｎｓｋｉのために出願された「Ｉｎｋ−Ｂａｓｅｄ  Ｌａｙｅｒ  Ｆａｂｒｉｃａｔｉｏｎ  Ｕｓｉｎｇ  Ｈａｌｆｔｏｎｉｎｇ  Ｔｏ  Ｃｏｎｔｒｏｌ  Ｔｈｉｃｋｎｅｓｓ」に関する米国仮特許出願第６２／００５０４４号、および２０１４年６月３０日に第１発明者Ｅｌｉｙａｈｕ  Ｖｒｏｎｓｋｉのために出願された「Ｉｎｋ−Ｂａｓｅｄ  Ｌａｙｅｒ  Ｆａｂｒｉｃａｔｉｏｎ  Ｕｓｉｎｇ  Ｈａｌｆｔｏｎｉｎｇ  Ｔｏ  Ｃｏｎｔｒｏｌ  Ｔｈｉｃｋｎｅｓｓ」に関する米国仮特許出願第６２／０１９０７６号に基づく優先権を主張している。
【０００６】
前述の出願の各々に対する優先権が主張され、そして前述の特許出願の各々は参考として本明細書によって援用される。
【０００７】
（背景）
いくつかの製造技術は、組立プロセスの一部として基板上に材料の層を堆積させるために印刷プロセスを使用する。例えば、複数のソーラパネるか、または有機発光ダイオード（ＯＬＥＤ）ディスプレイが、共通のガラスまたは他の基板上でともに製造されることができ、複数のパネルは最終的に、それぞれのデバイスを作成するように共通基板から切断される。印刷プロセスは、例えば、液体を永久形態まで硬化させるか、乾燥させるか、または別様に「処理する」ことによって、それぞれの永久層が形成される材料を懸濁もしくは担持する溶媒を有する、（例えば、「インク」に類似する）液体を堆積させる。液体は、各堆積層が定位置で基板上の下位層および所望の製品位置と密接に整合するように、慎重に制御される様式で各製品のために堆積させられる。そのような整合は、高度製造精度が必要とされる場合に、例えば、各構造の各層が（厚さを含む）慎重に制御された寸法を有する、マイクロ電子構造または光学構造の高密度パターンを製作するために、上記プロセスが使用される場合に、特に重要である。
【発明の概要】
【発明が解決しようとする課題】
【０００８】
例証目的でＯＬＥＤディスプレイの例に戻ると、共通基板上で平行に製造されている各フラットパネルデバイスは、典型的には、光生成要素および電極を保持する流体ウェルの中で製作される、個々のピクセル色成分を特色とする。各堆積層は、個々のピクセルの適切な動作を判定することに役立ち、各堆積プロセスが正確であるほど（かつ良く整合させられて制御されるほど）、より小さいピクセルが作製されることができ、その特定のサイズ寸法において、完成した光学または電気構造の動作がより確実になる。ピクセル間の（厚さ変動を含む）所定のパネルの変動は、完成した製品において可視的欠陥を生じ得るため、望ましくない。例えば、（例えば、ＨＤＴＶ画面として使用される）典型的なＯＬＥＤディスプレイは、コンパクトな空間の中に何１００万ものピクセルを伴うことができ、ピクセルが印刷プロセスを介して堆積させられる液体にわずかな変動さえも有する場合、これは、潜在的に人間の眼によって輝度または色の違いと見なされ得る。したがって、そのような製造用途に関して、例えば、ミクロンまたはより微細な解像度において、２分の１パーセント未満の面積毎の総流体堆積量の最大変動を伴って、精密なプリンタ制御が必要とされる。
【０００９】
加えて、許容消費者価格で製品を生産するために、製造スループットを最大限にすることが所望される。所定の製造デバイス（例えば、工業用プリンタを含む）が各層にかなりの時間を要する場合、これは、より遅い製造、および増加した消費者価格に変わり、そのような増加した価格は、製造プロセスの実行可能性を脅かす。
【課題を解決するための手段】
【００１０】
本願明細書は、例えば、以下の項目も提供する。
（項目１）
フラットパネルデバイスを製作する方法であって、
第１の基板を受容するステップと、
前記第１の基板上に液体を印刷するためにプリンタを使用するステップであって、前記液体は、前記フラットパネルデバイスの永久層を形成し得る材料を担持する、ステップと、前記永久層を形成するように前記液体をそれから処理するステップと、を含み、
（ａ）前記方法はさらに、前記第１の基板上の基準の位置を検出するステップと、前記基準の前記位置と予期される特徴位置との間の差に依存する誤差を検出するステップとを含み、
（ｂ）前記プリンタを使用するステップは、前記フラットパネルデバイスのための前記永久層が印刷されるべき場所を定義する、記憶されたデータを受信することと、調節されたデータを生成するように、前記誤差に従って前記記憶されたデータをレンダリングすることと、前記調節されたデータに従って前記第１の基板上に前記液体の液滴を印刷することとを含み、
（ｃ）前記記憶されたデータをレンダリングすることはさらに、
特定の領域中で堆積させられる前記液体の標的総体積が、前記特定の領域のための前記液体の所望量の体積に対して所定の誤差閾値内に収まるように制限される様式で、
前記誤差に依存して、前記第１の基板の前記特定の領域中で前記液体のそれぞれの液滴を堆積させるように、前記プリンタのプリントヘッドの個々のノズルを割り当てることを含む、方法。
（項目２）
前記基板は、前記第１の基板上で平行に製作される、それぞれの製品を表し、前記フラットパネルデバイスは、前記それぞれの製品のうちの１つであり、
前記印刷するためにプリンタを使用するステップは、一体印刷の一部として印刷し、前記第１の基板上に前記それぞれの製品の各々の永久層を製作するために、前記プリンタを使用することを含み、
前記方法はさらに、前記印刷するためにプリンタを使用するステップに続いて、前記第１の基板上の他のそれぞれの製品から前記フラットパネルデバイスを分離するステップを含む、項目１に記載の方法。
（項目３）
前記それぞれの製品の各々は、有機発光ダイオードディスプレイデバイスであり、前記プリンタを使用することは、前記それぞれの製品のための前記永久層の所望の厚さに依存して選択される液滴密度を使用して、前記基板上に前記液体の液滴を印刷することを含む、項目２に記載の方法。
（項目４）
フラットパネルテレビ用のディスプレイを作製する方法として具現化される、項目２に記載の方法。
（項目５）
前記基準は、第１の可視的特徴を備え、前記記憶されたデータは、第１の記憶されたデータであり、前記誤差は、第１の誤差であり、前記調節されたデータは、第１の調節されたデータであり、前記第１の可視的特徴は、前記フラットパネルデバイスと関連付けられるが、前記それぞれの製品のうちの少なくとも別の１つとは関連付けられず、
前記方法はさらに、前記第１の基板上の第２の可視的特徴の位置を光学的に検出するステップと、前記第２の可視的特徴の前記位置と予期される特徴位置との間の第２の誤差を検出するステップとを含み、前記第２の可視的特徴は、前記フラットパネルデバイスではなく、前記それぞれの製品のうちの他の１つと関連付けられ、
前記プリンタを使用することは、前記それぞれの製品のうちの他の１つに対応する前記永久層が製作される場所を定義する、第２の記憶されたデータを受信することと、第２の調節されたデータを生成するように、前記第２の誤差に従って前記第２の記憶されたデータをレンダリングすること、前記フラットパネルデバイスおよび前記それぞれの製品のうちの他の１つにそれぞれ対する前記永久層のための液体が、それぞれ、前記第１の誤差および前記第２の誤差に依存する様式で前記第１の基板上に印刷されるように、前記第２の調節されたデータに従って前記第１の基板上に印刷することとを含む、項目２に記載の方法。
（項目６）
前記プリンタを使用することは、前記プリントヘッドと前記第１の基板との間の実質的に連続的な相対運動を表すスキャン経路に従って、印刷するステップを含み、前記スキャン経路が、前記フラットパネルデバイス対するそれぞれの前記永久層または前記それぞれの製品のうちの他の１つに対するそれぞれの前記永久層と関連付けられる場所をそのとき横断しているかどうかに依存する、前記第１の誤差および前記第２の誤差の各々に依存して、前記スキャン経路に従って印刷することが行われるように、前記スキャン経路は、前記液体の液滴を堆積させて、前記フラットパネルデバイスおよび前記それぞれの製品のうちの他の１つの各々にそれぞれ対する前記永久層の少なくとも一部を形成する、項目５に記載の方法。
（項目７）
前記プリンタを使用することは、前記プリントヘッドと前記第１の基板との間の実質的に連続的な相対運動を表すスキャン経路に従って印刷することを含み、前記スキャン経路に従って印刷することが、前記誤差に少なくとも部分的に依存して、前記フラットパネルデバイスに対するそれぞれの前記層および前記それぞれの製品のうちの他の１つに対するそれぞれの前記層の各々に行われるように、前記スキャン経路は、前記液体の液滴を堆積させて、前記フラットパネルデバイスに対するそれそれの前記層および前記それぞれの製品のうちの別の１つに対するそれぞれの前記層の少なくとも一部を形成する、項目２に記載の方法。
（項目８）
前記基準は、第１の可視的特徴であり、前記記憶されたデータは、第１の記憶されたデータであり、前記誤差は、第１の誤差であり、前記調節されたデータは、第１の調節されたデータであり、前記第１の基板は、前記第１の基板上のそれぞれの場所に可視的特徴を備え、前記可視的特徴は、前記第１の可視的特徴を含み、
前記方法はさらに、前記可視的特徴の各々を光学的に検出するステップと、前記特徴の対応する位置と少なくとも１つの予期される特徴位置との間の誤差を検出するステップとを含み、
前記プリンタを使用することは、前記それぞれの製品の各々のための前記永久層が印刷される場所を定義する、記憶されたデータを受信することと、製品毎の調節されたデータを生成するように、前記可視的特徴に対して、前記基板上の前記それぞれの製品の位置に依存する、前記それぞれの製品の各々の前記誤差のうちの１つまたはそれを上回るものに応じて、前記それぞれの製品の各々のための前記永久層が前記誤差のうちの前記１つまたはそれを上回るものに従って製作されるべき場所を定義する、前記記憶されたデータをレンダリングすることと、前記製品毎の調節されたデータに従って、前記それぞれの製品の各々のための前記液体を印刷することとを含む、
項目２に記載の方法。
（項目９）
レンダリングするステップは、複数のプロセッサコアの各々について、前記第１の基板の印刷領域のそれぞれのサブセットを選択すること、前記それぞれのサブセットを前記複数のプロセッサコアのうちの１つに割り当てること、前記複数のプロセッサコアのうちの前記選択されたものを使用して、製品毎の変換されたデータを生成することとを含む、並列処理環境で少なくとも部分的に具現化される、項目８に記載の方法。
（項目１０）
選択することが、前記それぞれの製品の各１つについて、複数のプロセッサコアが、前記それぞれの製品のうちの１つに特有である様式で検出された誤差に依存して印刷データをレンダリングするように割り当てられる、様式で行われる、項目９に記載の方法。
（項目１１）
前記記憶されたデータは、それぞれの位置におけるプリントヘッドノズル発射決定を表すピクセルを有する、第１のビットマップを備え、
前記記憶されたデータをレンダリングすることは、それぞれの位置におけるノズル発射決定を表すピクセルをまた有する、第２のビットマップを生成することを含み、前記第２のビットマップの各所定のピクセルについて、
前記誤差に依存する前記第１のビットマップの少なくとも１つのピクセルを識別することと、
前記第１のビットマップの前記識別された少なくとも１つのピクセルに依存する、前記第２のビットマップの前記所定のピクセルのための対応するノズル決定を生成することとを含み、
前記プリンタを使用するステップはさらに、前記第２のビットマップに従って前記第１の基板上に前記液体を印刷することを含む、項目１に記載の方法。
（項目１２）
前記記憶されたデータは、ピクセルを有する第１のグレースケールデータを備え、前記ピクセルの各々は、前記第１の基板に対してそれぞれの位置における前記液体の所望量を表すマルチビット値として表され、
前記記憶されたデータをレンダリングすることは、
ピクセルを有する第２のグレースケールデータを生成することであって、前記第２のグレースケールデータの前記ピクセルの各々は、前記第１の基板に対してそれぞれの位置における前記液体の所望量を表すマルチビット値として表される、ことと、
前記第２のグレースケールデータの前記ピクセルの各々について、前記誤差に依存する、前記第１のグレースケールデータの少なくとも１つのグレースケール値を識別することと、
前記第１のグレースケールデータの前記識別された少なくとも１つのグレースケール値に依存する、前記第２のグレースケールデータの前記ピクセルの各々のための前記マルチビット値を生成することと、を含み、
前記プリンタを使用するステップはさらに、前記第２のグレースケールデータに従って前記液体を印刷することを含む、項目１に記載の方法。
（項目１３）
前記記憶されたデータをレンダリングすることはさらに、前記第２のグレースケールデータの前記マルチビット値を液滴密度に変換することを含み、前記液滴密度は、前記第２のグレースケールデータの前記グレースケール値に従って局所的に変動する前記液体の体積を生じるように選択され、前記プリンタを使用するステップは、前記選択された液滴密度に従って、前記フラットパネルデバイスに応じて前記液体を印刷することを含む、項目１２に記載の方法。
（項目１４）
前記記憶されたデータは、プリントヘッドと前記第１の基板との間の所定数のラスタスキャンと、それぞれの各ラスタスキャンについて、前記プリントヘッドの所定のクロススキャン位置とを定義し、
前記第１の基板上に前記液体を印刷するためにプリンタを使用するステップは、前記所定数のラスタスキャンおよび関連クロススキャン位置を使用するが、前記誤差に依存して選択される前記プリントヘッドの個々のノズルを使用することを含む、項目１に記載の方法。
（項目１５）
前記誤差は、傾斜、回転角、距離値、またはスケーリングの量のうちの少なくとも１つを表し、前記プリンタを使用するステップは、前記少なくとも１つを軽減するように調節される様式で、前記第１の基板上に前記液体を印刷することを含む、項目１に記載の方法。
（項目１６）
前記第１の基板を受容するステップは、前記プリンタに対して前記第１の基板の粗い機械的整合を行うことを含み、前記プリンタを使用するステップは、前記第１の基板の予期される整合に対してプリンタデータのミリメートル未満の微細整合をソフトウェアにおいて行うために、前記誤差を使用することを含む、項目１に記載の方法。
（項目１７）
前記プリンタを使用するステップ、および前記永久層を形成するように前記液体を処理するステップは、それぞれ、前記液体を印刷することと、共通の制御された雰囲気中で前記液体を硬化させることとを含み、前記印刷することおよび前記硬化させることは、制御されていない雰囲気への暴露によって集合的に中断されない、項目１に記載の方法。
（項目１８）
レンダリングすることは、複数のプロセッサコアのうちの特定のプロセッサコアを選択することと、変換機能および前記基板の印刷領域のサブセットを前記特定のプロセッサコアに割り当てることと、前記調節されたデータを生成するために前記特定のプロセッサコアを使用することとを含む、並列処理環境で少なくとも部分的に具現化される、項目１に記載の方法。
（項目１９）
レンダリングすることは、複数のプロセッサコアのうちの各コアについて、前記基板の印刷領域のそれぞれのサブセットを選択することと、前記複数の利用可能なプロセッサコアの集約された出力を使用して印刷イメージを生成することとを含み、前記印刷イメージは、前記基板のそれぞれの領域におけるノズル発射決定をそれぞれ表す、ピクセルを有する、並列処理環境で少なくとも部分的に具現化される、項目１に記載の方法。
（項目２０）
レンダリングすることはさらに、前記ノズルのうちの所定の１つから生成されることが予期される液滴のパラメータであって、液滴体積、液滴速度、液滴軌道、または予期される液滴降着位置のうちの少なくとも１つを表す、パラメータを表す、前記プリントヘッドの各所定のノズルの実験測定データを受信することを含み、
前記誤差に依存して、前記第１の基板の特定の領域中で前記液体のそれぞれの液滴を堆積させるように、前記プリンタのプリントヘッドの個々のノズルを割り当てることは、前記実験測定データに依存して行われ、
前記誤差に依存して、前記第１の基板の特定の領域中で前記液体のそれぞれの液滴を堆積させるように、前記プリンタのプリントヘッドの個々のノズルを割り当てることはさらに、前記誤差に依存して発射決定を割り当てることと、前記割り当てられた発射決定を考慮して、堆積させられる前記液体の予期される体積を判定することと、堆積させられる前記液体の前記予期される体積を少なくとも１つの閾値と比較することと、前記予期される体積が前記少なくとも１つの閾値に違反する場合、前記割り当てられたノズル発射決定を調節することを含む、項目１に記載の方法。
（項目２１）
前記少なくとも１つの閾値は、前記特定の領域中で堆積させられる前記液体の最大体積と、前記特定の領域中で堆積させられる前記液体の最小体積とを含み、調節することは、前記液体の前記予期される体積が、前記最小体積未満ではなく、かつ前記最大体積より大きくないように、ノズル発射決定を生じることを含む、項目２０に記載の方法。
（項目２２）
前記液体は、前記フラットパネルデバイスの前記永久層として、有機発光ダイオードの光生成層を形成するためである、項目２０に記載の方法。
（項目２３）
フラットパネルデバイスを製作する装置であって、
第１の基板を受容するための手段と、
前記第１の基板上に液体を印刷するための手段であって、前記液体は、前記第１の基板上で平行に製作されるそれぞれの製品の各々の永久層を形成し得る材料を担持し、前記フラットパネルデバイスは、前記それぞれの製品のうちの１つであり、印刷することは、前記第１の基板上の前記それぞれの製品の各々の前記永久層のための一体印刷プロセスの一部として行われる、手段と、
前記液体の印刷に続いて、前記それぞれの製品の各々の永久層を形成するように前記液体を処理するための手段と、
前記処理に続いて、前記第１の基板上の他のそれぞれの製品から前記フラットパネルデバイスを分離するための手段と、を備え、
（ａ）前記装置はさらに、前記第１の基板上の基準の位置を検出し、前記基準の前記位置と予期される特徴位置との間の差に依存する誤差を検出するための手段を備え、
（ｂ）前記印刷するための手段は、前記フラットパネルデバイスに対応する前記永久層が印刷されるべき場所を定義する、記憶されたデータを受信するための手段と、調節されたデータを生成するように、前記誤差に従って前記記憶されたデータをレンダリングするための手段とを備え、前記第１の基板上に印刷することは、前記調節されたデータに従って行われ、
（ｃ）前記レンダリングするための手段はさらに、
特定の領域中で堆積させられる前記液体の標的総体積が、前記特定の領域のための前記液体の所望量の体積に対して所定の誤差閾値内で保たれる様式で、
前記誤差に依存して、前記第１の基板の前記特定の領域中で前記液体のそれぞれの液滴を堆積させるように、前記プリンタのプリントヘッドの個々のノズルを割り当てるための手段を備える、装置。
（項目２４）
フラットパネルデバイスを製作する装置であって、
第１の基板を受容する機械ハンドラと、
前記第１の基板上でそれぞれの製品の永久層を形成し得る材料を含む、液体を印刷するプリンタであって、前記フラットパネルデバイスは、前記それぞれの製品のうちの１つであり、前記プリンタは、一体の印刷プロセスの一部として前記第１の基板上に前記それぞれの製品の前記永久層を印刷するためである、プリンタと、
前記永久層を形成するよう前記材料を硬化させる、硬化機構と、を備え、
前記フラットパネルデバイスは、前記永久層の印刷に続いて、前記第１の基板上の他のそれぞれの製品から分離され、
前記装置はさらに、前記第１の基板上の基準の位置を検出し、前記基準の前記位置と予期される特徴位置との間の差に依存する誤差を検出する、検出デバイスと、少なくとも１つのプロセッサとを備え、
前記少なくとも１つのプロセッサは、
前記フラットパネルデバイスに対応する前記永久層が印刷されるべき場所を定義する、データを受信し、
調節されたデータを生成するように、前記誤差に従って前記データをレンダリングし、
前記調節されたデータに従って、前記プリンタに前記第１の基板上に印刷させ、
前記少なくとも１つのプロセッサはさらに、前記調節されたデータを生成するために、特定の領域中で堆積させられる前記液体の標的総体積が、前記特定の領域のための前記液体の所望量の体積に対して所定の誤差閾値内で保たれる様式で、前記誤差に依存して、前記第１の基板の前記特定の領域中で前記液体のそれぞれの液滴を堆積させるように、前記プリンタのプリントヘッドの個々のノズルを割り当てる、装置。
（項目２５）
非一過性の機械可読媒体上に記憶された命令を備える装置であって、前記命令は、第１の基板を受容する機械ハンドラと、前記第１の基板上に前記液体を印刷するプリンタと、フラットパネルデバイスの永久層を形成するよう前記液体を硬化させる硬化機構と、前記第１の基板上の基準の位置を検出する検出デバイスとを備える装置の少なくとも１つのプロセッサによって実行され、前記命令は、実行されたとき、前記機械に、
前記基準の位置と予期される特徴位置との間の差に依存する誤差を検出させ、
前記フラットパネルデバイスに対応する前記永久層が前記第１の基板上で印刷されるべき場所を定義する、データを受信させ、
調節されたデータを生成するように、前記誤差に従って前記データをレンダリングさせ、前記調節されたデータに従って、前記プリンタに前記第１の基板上に印刷させ、
前記命令はさらに、実行されたときに、前記調節されたデータを生成するために、特定の領域中で堆積させられる前記液体の標的総体積が、前記特定の領域のための前記液体の所望量の体積に対して所定の誤差閾値内で保たれる様式で、前記誤差に依存して、前記第１の基板の前記特定の領域中で前記液体のそれぞれの液滴を堆積させるように、前記少なくとも１つのプロセッサに前記プリンタのプリントヘッドの個々のノズルを割り当てさせる、装置。
本開示は、印刷プロセスを介して製品をより迅速かつより確実に製作するために使用されることができる、技法、プロセス、装置、デバイス、およびシステム、ならびにそのようなプロセスに従って作製される製品を提供する。
【００１１】
組立ラインプロセスは、一連の基板の中の各基板上に液体の液滴を印刷する（すなわち、堆積させる）ために、プリンタを使用する。次いで、液体は、材料の永久層（すなわち、永久薄膜）を形成するように、硬化させられ、乾燥させられ、または別様に処理される。各基板は、１つまたはそれを上回る製品を製作するために使用され、層は、典型的には、基板によって担持される各製品のために形成されるであろう。いったん印刷が完了すると、基板が前進させられ、新しい基板が装填され、プロセスが繰り返される。例えば、液体を硬化させるための処理は、いくつかの実施形態では、原位置で、または組立ライン内の別の位置で起こることができ、典型的には、印刷および処理は、粒子状物質、酸素、もしくは湿気汚染を最小限にするように、制御された雰囲気内で行われる。詳細に考慮される用途では、プリンタは、有機発光ダイオード（「ＯＬＥＤ」）ディスプレイパネるか、またはソーラパネルの単一の層を堆積させるために使用される。例えば、高解像度ＯＬＥＤテレビ画面の製作では、そのようなプロセスが、ディスプレイの各ピクセル（すなわち、各離散光生成要素）のための１つまたはそれを上回る光生成層を堆積させるために使用されることができる。説明される技法は、多くのタイプの材料およびフラットパネルディスプレイ以外の多くのタイプの製品に適用されることができるが、プリンタおよび関連処理の使用は、他のプロセスを使用して容易に堆積させられることができない、有機材料の層を堆積させるために特に有用であることが分かっており、したがって、本明細書で提示される多くの実施例は、これらの材料に焦点を合わせるであろう。他のタイプの製品および製造プロセスと同様に、印刷および層厚さの整合が、低い変動および高い製造スループットを伴って、小型の確実な電子構成要素（例えば、ミクロン規模）を促進するように、高度な精度で達成されなければならない。
【００１２】
異なる基板、組立ライン機器、人間による取扱、および多数の他の要因と関連付けられる種々のプロセスコーナにより、基板がプリンタの中へ、およびそれを通して移動させられると、各基板は、位置、回転、スケール、傾斜、または他の次元でわずかに変動し得る。いくつかの形態の誤差が、基板に特有であり得る（例えば、基板の反りまたは縁の非線形性）一方で、他の形態の誤差は、繰り返すシステム誤差を表し得る（例えば、基板が、システム自体によって引き起こされる反復可能運動誤差を伴って、プリンタを通して誤って縁誘導される）。どんなソースであっても、印刷プロセスが一連の中の各基板上に同一の製品を印刷することを意図しているため、概して、位置誤差を検出して軽減することが所望される。
【００１３】
したがって、一実施形態では、検出機構が、プリンタに近接しているときに各基板上の基準を検出するために使用される。基準は、基板間誤差、もしくは予期される製品位置、配向、および／または寸法からの他の偏差にもかかわらず、製品位置を識別するために使用される。検出された製品位置は、予期される位置と比較され、プリンタ制御データを（ソフトウェア内で）変換または調節して（すなわち、そのデータまたは印刷を行うようにそれがどのようにしてレンダリングされるかのいずれか一方を修正して）、印刷される層を任意の下層製品寸法と精密に位置合わせするよう、その誤差を識別するために使用される。本明細書に使用されるように、「位置」または「製品位置」は、概して、たとえこれらのものが「位置」の記述を超えて個別に列挙されていなくても、傾斜、スケール、配向等のうちのいずれかを含むと理解されるべきである。
【００１４】
従来の印刷プロセスでは、それぞれノズルを伴う、１つまたはそれを上回るプリントヘッドを備える、組立は、１つまたはそれを上回るラスタ掃引において、印刷されている基板に対して輸送されることに留意されたい。各掃引は、基板の「インスキャン」次元を定義し、各掃引後に、プリントヘッドおよび／または基板は、次の掃引に備えて、基板の「クロススキャン」次元で再配置される。各プリントヘッドは、それぞれ、液体の液滴を噴出するものである、何百から何千ものノズルを有することができ、液体は、インクに類似し、所望の永久層を形成するように硬化させられるか、または別様に処理されるであろう、材料を含む。例えば、１つの公知の技術を用いると、液体は、モノマーまたはポリマーであり、印刷に続いて、紫外線硬化プロセスが、堆積液体を処理して永久層を形成するために使用される。
【００１５】
本第１の実施形態のより詳細な変形例では、高速印刷、正確な印刷、および精密な層厚さならびに位置合わせという目標を調和させるために、いくつかの機構が使用されることができる。
【００１６】
第１の実装では、誤差（例えば、位置、回転、傾斜、またはスケーリングの線形もしくは非線形シフト）が識別されると、理想位置からの検出された偏差に依存する様式で、およびプリントヘッドアセンブリと基板との間の事前計画されたラスタ掃引のシフトもしくは改変を必要としない様式で、新しいノズル発射決定が生成されることができる。つまり、印刷時間（したがって、製造スループット）が、液体を受容する基板の全ての領域を網羅するために必要とされるラスタ掃引の数に直接関係付けられるため、本ラスタ掃引の数およびそれらのそれぞれの位置は、一実施形態では変更されないが、むしろ、プリントヘッドアセンブリからの液滴の意図された密度およびパターンを堆積させるように、印刷が起こることを可能にする様式であるが、任意の下位製品層と正確に位置合わせするか、もしくは意図された製品幾何学形状と正確に整合するよう、ノズル割当および／または駆動パラメータ（例えば、駆動波形）が元のプリンタ制御データに対して変換もしくはレンダリングされる様式で、潜在的に新しいノズルおよび／または駆動パラメータが個別に割り当てられる。本処理の様式は、随意であり、すなわち、別の考慮される実施形態では、基板に対するプリントヘッドアセンブリの異なるオフセット（例えば、クロススキャン方向への異なる前進パターンおよび／または異なる数のスキャンもしくは掃引）を潜在的に採用するように、ラスタ掃引が再査定されることに留意されたい。
【００１７】
環境に応じて、単純に、ノズル発射決定を「シフトさせること」は、必ずしも所望の堆積パラメータを生じるわけではない場合がある。例えば、堆積液体が硬化させられるまでその液体を含有する、流体「ウェル」の中に光生成要素を堆積させるために印刷が使用される、１つの考慮される環境では、誤差は、ノズル発射割当の線形シフトが、ピクセルのウェルの中に多すぎるか、または少なすぎる数の堆積液滴を位置付け得るように、ノズル間隔もしくはノズル発射タイミングときれいに整合しない場合がある。これに対処するために、一実施形態では、「アンチエイリアス処理」プロセスが使用され、それに従って、命令論理の制御下で作用する１つまたはそれを上回るプロセッサは、予期される液体体積に対して（検出された誤差を与えられた）各ピクセルウェルの予期される位置を試験し、予期される総体積が、容認性の理想値または範囲から閾値量以上超えた場合、「シフトした」ノズル割当を選択的に再考し、ピクセルウェルの中へ液滴を発射し得るノズルの数のうちの１つまたはそれを上回るものを調節する。次いで、これは、精密に意図された量の液体が意図された場所で堆積させられていることを確実にすることに役立つ。
【００１８】
別の実施形態では、各ノズルによって生成される液滴は、原位置で実験に測定され、ノズル間で変動するか、またはノズルから液滴を放出するために使用される駆動パラメータに依存する、測定された液滴特性は、記憶され、ノズル割当の考慮に入れられる。例えば、第１の変形例では、個々のノズルは、ノズル（および適用された駆動パラメータ）の関連する実験に測定された液滴パラメータが、許容液滴生成の基準を満たすかどうかに依存して、適格／不適格と見なされることができる。したがって、検証されていないノズルが堆積に使用されるべきではないことを、位置誤差および関連位置合わせが示唆する場合、命令論理は、他のノズるか、または異なる液滴放出パラメータ（例えば、選択されたノズルを制御するための異なる駆動波形）を代わりに使用するよう、ノズルを割り当てるために検証データを使用することができる。第２の変形例では、各所定のノズル（および所定のノズルを駆動するために使用され得る複数の代替的駆動波形のうちの各１つ）が、予期される液滴体積、軌道、および／または液滴降着位置に関して測定され、次いで、本データは、誤差処理または初期ノズル割当の考慮に入れられる。単純な実施例を引用すると、２０．００ｐＬの全体積の液体のための流体ウェルの中へ９．９７〜１０．０３ピコリットル（ｐＬ）液滴をそれぞれ堆積させるように、２つの隣接ノズルが依拠され、２つの他のノズルが堆積を行うために使用されるであろうことを基板誤差が示唆する場合、（ａ）９．９０〜１０．１０ｐＬ液滴を生成することが予期される非隣接ノズルが、（２０．００ｐＬ総体積の期待値を留保して）堆積を行うように割り当てられることができ、および／または（ｂ）検出された誤差にもかかわらず、流体ウェルの中で予期される総体積を維持するよう、１つまたはそれを上回るノズルのノズル駆動詳細（例えば、駆動波形）が、事前選択されたノズルから調節された体積または軌道特性を有する液滴を生成するように調節されることができる。これらのタイプの処理もまた、随意であり、全ての実施形態に必要とされるわけではない。
【００１９】
プリンタ制御データは、実施形態に応じて、多くの形態を成し得ることに留意されたい。１つの実装では、各製品のための所望の層の所望の寸法（例えば、厚さを含む）を説明する、「レシピ」情報は、キャッシュされたテンプレートとして記憶され、次いで、実行時間誤差に適応する調節可能な様式でレンダリングされることができる。第２の実装では、本レシピ情報は、部分的に前処理され、同様に各基板を処理する際に使用するためのキャッシュされたテンプレートとして、オブジェクト（ベクトル）または他の表現で事前に記憶されることができる。位置または整合誤差が各新しい基板について検出されると、テンプレートは、回収され、最終プリンタ制御データ（つまり、適宜に、ノズル発射決定、ラスタ掃引、および関連タイミング）をレンダリングする際に、適宜に修正される。別の実施例を引用すると、別の実装では、レシピデータが製品（および／またはアレイ）について受信され、印刷決定を提示するビットマップにレンダリングされる。ビットマップは、本質的に、基板に対するプリントヘッドのスキャン運動中に基板上の離散位置でノズルに液滴を発射させるか、または発射させないであろうトリガを表す、印刷格子の各節点におけるノズル発射決定のアレイもしくは同等データである。本情報はまた、可変のノズル毎の駆動波形定義または選択を含むこともできる。ビットマップは、テンプレートとしてキャッシュされ、実行時に、読み出され、ビットマップ上の直接処理を介して、印刷を歪曲して誤差に合致させるように修正され、次いで、印刷を制御するために使用される。必然的に、他の実施例が存在し、すなわち、各変形例で、層の位置合わせを達成するよう、検出された誤差は、検出された誤差を考慮して印刷をカスタマイズするよう、ある様式でレンダリングプロセスの考慮に入れられる。
【００２０】
各実施形態で、印刷時間を増加させることなく、高度に正確な印刷を促進するために、任意の所定の製造反復における基板（またはその上で表現される任意の個々の製品）の検出された誤整合は、リアルタイムで少なくとも部分的にソフトウェアにおいて補正されることができる。次いで、本補正は、時間のかかる非常に高い精度の機械的整合または再配置の必要性、ならびに非常に高い精度の整合機構の必要性を低減させる。これは、精度および信頼性を犠牲にすることなく、費用を低減し、製造スループットを増加させる。複数の大型ＯＬＥＤ  ＴＶ画面の配列された印刷に関係付けられる、１つの詳細に考慮される用途では、単一の大型基板が、６〜８枚のＨＤＴＶ画面（例えば、同義的に使用されるであろうパネるか、またはサブパネル）を含み得る。現在、成功した製造プロセスに関して、基板上に印刷される層は、基板につきわずか９０秒を要するはずであることが考慮される。いくつかの実施形態では、本最大印刷時間は、４５秒またはそれ未満であることが予期される。各画面またはパネルが何百万ものピクセルを伴うため、整合は、高品質ディスプレイの製造のために精密となるはずである。したがって、基板および／または製品誤整合もしくは他の誤差を検出して補正するために、数秒（例えば、２秒）未満を要するプロセスを使用して、基板上に液体を印刷することが所望される。開示される実施形態は、製造の本速度（および製造スループット）を促進し、より小型で精密な位置合わせの製品を生産することに役立つ。
【００２１】
多くの製造用途は、組立中の製品の粗い機械的整合に対して比較的堅調である。開示される実施形態に関して、ソフトウェア（非一過性の機械可読媒体上に記憶された命令または命令論理）の制御下で作用する１つまたはそれを上回るプロセッサ（すなわち、機械）によって行われる微細精密整合は、典型的には、位置オフセット、回転オフセット、傾斜、スケーリング誤差のミリメートル〜ミリメートル未満（例えば、ナノスケール〜数百ミクロンまたはそれ未満）の誤差、もしくは他の歪曲を調節する。非常に高密度の精密構造（例えば、何百万ものピクセルを有するＨＤＴＶ用途）を特色とする、および／または何千ものプリントヘッドノズルが関与する、いくつかの用途に関して、誤差処理は、かなりの計算リソースを必要とし得ることに留意されたい。上記のように、一実施形態では、数秒、例えば、２秒もしくはそれ未満で、ハードウェア論理および／またはソフトウェア論理を使用して誤差補償を行うことが所望される。本目的を促進するために、以下のある実施形態は、並列処理に依拠するハードウェア設計（例えば、複数のプロセッサまたはマルチコア処理）および本計算が迅速に起こることを可能にするプロセススレッド割当のための技法を提示する。例えば、以下でさらに議論されるであろう実施形態を予示すると、監視プロセッサまたはプロセッサのグループが、誤差を検出し、元のレシピ情報（または他のキャッシュされたテンプレートデータ）をレンダリングもしくは変換するための定式化を判定することができる。定式化は、基板にわたって線形であり得、または局所的に変動し得る（例えば、非線形もしくは非連続的）。次いで、監視プロセッサは、処理のために地理的区画および関連アフィン変換をマルチコアプロセッサの各コアに割り当てる。１つの設計では、各コアは、データ処理および操作のために独自の専用メモリを有し、監視プロセッサは、各コアおよび関連修正アルゴリズム（例えば、アフィン変換）によって修正される地理的区画を識別し、本情報をそれぞれのコアに提供し、次いで、複数のコアはそれぞれ、全体として基板の調節されたプリンタ制御データを表す、変換された出力を終了することに寄与するように、それらの割り付けられたタスクを行う。本変換された出力は、即時印刷で使用するために好適である。所望であれば、操作に使用されるメモリはまた、ダイレクトメモリアクセス（ＤＭＡ）を提供して、キャッシュされたテンプレートの操作ならびに印刷へのその適合および印刷での使用を加速するように、設計されることもできる。何十〜何百ものコアまたはそれを上回るものを使用する実施形態に関して、これは、所望の印刷ジョブを再レンダリングするために必要とされる処理時間を実質的に短縮する。他の設計も可能である。例えば、異なる地形を各コアに割り当てる代わりに、異なる数学演算（または異なる順次プロセス）が、各コアに割り当てられることができる。本実施例が明確にするはずであるように、機能または処理のほぼあらゆるパーティションが、効率を最大限にするように、または別様に処理時間を短縮するように、提供されることができる。上記で議論されるような並列処理環境もまた、本明細書に説明される他の技法に対して随意と見なされるはずである。
【００２２】
本開示は、組立ライン式プロセスにおいて高度に正確な印刷を促進する、いくつかのハードウェア（すなわち、回路）実装と、そのようなハードウェアの代わりに、またはそれに加えて使用され得る、ソフトウェア技法とを提供する。一般的に言えば、以下で議論される特徴は、混合および合致させられることができ（または別様に随意であり）、実装に従って変動し得る。例えば、以下で議論される一実施形態は、プリンタによって使用される多くのノズル（例えば、何百〜何万ものノズル）のそれぞれのためのいくつか（例えば、１６）のカスタマイズ可能なノズル駆動波形を事前に記憶するために使用され得る、ハードウェアを提供する。各波形は、そのノズルから生成可能である一連の可能な液滴を提供する、わずかに異なる予期される液滴パラメータ（例えば、体積、軌道等）を生成するように事前に選択される。本システムは、一連の選択を提供するよう、これらの波形を事前に選択し、各ノズルの回路を駆動するように、種々の波形選択を事前にプログラムする。次いで、実行時に、本システムは、単純に、波形のうちの１つを選択する。一実施形態では、１６のそのような選択（例えば、非発射決定を表す１つの「ゼロ」波形、および１５の可変駆動波形）がある。別の実施形態では、デフォルト波形が、非同期的に（すなわち、事前に）プログラムされることができ、次いで、どちらの波形がごく最近にデフォルトとしてプログラムされていても「立ち上げる」ように、２値「トリガ」が適用されることができる。もう一度、これらの種々の特徴は、随意であり、全ての実施形態に必要とされるわけではなく、種々の開示される特徴が、実装に適しているような任意の所望の組み合わせまたは順列で使用されてもよい。全てのそのような組み合わせまたは順列、および任意のそのような組み合わせまたは順列が、本開示の教示によって考慮される。
【００２３】
詳細に考慮される実装は、非一過性の機械可読媒体上に記憶された命令を備える、装置を含むことができる。そのような命令論理は、命令が最終的に実行されたときに、特定のアクションをとる、もしくは別様に特定の出力を生じる命令に依存して、入力オペランド上で説明されたタスクを必然的に行う構造を有する、汎用機械として、１つまたはそれを上回る汎用機械（例えば、プロセッサ、コンピュータ、もしくは他の機械）を挙動させるように、ある構造（アーキテクチャ特徴）を有する様式で、書かれるか、または設計されることができる。本明細書で使用されるような「非一過性の機械可読媒体」は、その媒体上のデータがどのようにして記憶されるかにかかわらず、限定ではないが、命令が後に機械によって読み出され得る、ランダムアクセスメモリ、ハードディスクメモリ、光学メモリ、フロッピー（登録商標）ディスクまたはＣＤ、サーバ記憶装置、揮発性メモリ、および他の有形機構を含む、任意の有形（すなわち、物理的）記憶媒体を意味する。機械可読媒体は、独立型形態（例えば、プログラムディスクまたはソリッドステートデバイス）であり得、またはより大型の機構、例えば、ラップトップコンピュータ、携帯用デバイス、サーバ、ネットワーク、プリンタ、もしくは１つまたはそれを上回るデバイスの他のセットの一部として具現化されることができる。命令は、異なる形式で、例えば、呼び出されたときにあるアクションを起動するために効果的であるメタデータとして、Ｊａｖａ（登録商標）コードまたはスクリプトとして、特定のプログラミング言語で書かれたコードとして（例えば、Ｃ＋＋コードとして）、プロセッサ特有の命令セットとして、またはある他の形態で、実装されることができる。命令はまた、実施形態に応じて、同一のプロセッサまたは異なるプロセッサもしくはプロセッサコアによって実行されることもできる。本開示の全体を通して、いずれかが、概して、非一過性の機械可読媒体上に記憶された命令として実装され得、いずれかが、例えば、マイクロ電子、マイクロ光学、「３Ｄ印刷」、または他の印刷プロセスを使用して製品を製作するために使用され得る、種々のプロセスが説明されるであろう。製品設計に応じて、そのような製品は、密閉可能形態であるように、または販売、配布、輸出、もしくは輸入のための完成した製品を最終的に作成し得る、他の印刷、硬化、製造、または他の処理ステップのための予備ステップとして、製作されることができる。また、実装に応じて、命令は、単一のコンピュータによって実行されることができ、他の場合においては、例えば、１つまたはそれを上回るサーバ、ウェブクライアント、もしくはアプリケーション特有のデバイスを使用して、分散基準で記憶および／または実行されることができる。本明細書の種々の図を参照して記述される各機能は、ともに単一の媒体表現（例えば、単一のフロッピー（登録商標）ディスク）上または複数の別個の記憶デバイス上のいずれか一方で記憶される、複合プログラムの一部として、もしくは独立型モジュールとして、実装されることができる。同じことが、本明細書に説明されるプロセスに従って生成される印刷イメージまたはプリンタ制御データにも当てはまり、すなわち、レシピ情報、テンプレート、またはそのようなレシピ情報もしくはテンプレートの処理の結果は、同一の機械上で、もしくは１つまたはそれを上回る他の機械上で使用するためのいずれかで、一時的または恒久的使用のために非一過性の機械可読媒体上に記憶されることができる。例えば、プリンタ制御データは、第１の機械を使用して生成され、次いで、プリンタまたは製造デバイスに転送するため、例えば、インターネット（もしくは別のネットワーク）を介したダウンロードのため、または別の機械上で使用するための（例えば、ＤＶＤ等の輸送媒体を介した）手動輸送のために、記憶されることができる。
【００２４】
また、上記では、検出機構および各基板上で認識される基準が参照されている。多くの実施形態では、検出機構は、基板上の認識可能な形状またはパターンを検出するためにセンサアレイ（例えば、カメラ）を使用する、光学検出機構である。他の実施形態は、アレイ上で前提とならず、例えば、基板がプリンタの中へ装填されるか、またはプリンタ内で前進させられると、基準を感知するために、線センサが使用されることができる。いくつかの実施形態が、専用パターン（例えば、特殊整合マーク）に依拠する一方で、他の実施形態は、認識可能な基板特徴（任意の前もって堆積させられた層の幾何学形状を含む）に依拠し、これらのそれぞれが「基準」であることに留意されたい。可視光を使用することに加えて、他の実施形態は、予期される印刷位置に対する基板詳細の紫外線または他の非可視光、磁気、高周波、もしくは他の形態の検出に依拠することができる。
【図面の簡単な説明】
【００２５】
【図１−１】図１Ａは、場所１０７でそれぞれの製品の永久層を形成し得る液体の印刷を受容するものである、基板のレイアウトを示し、プリントヘッドのノズルによるアクセスのために意図される全体的印刷領域が、鎖線のボックス１０３によって表される。図１Ｂは、図１Ａの鎖線のボックス１０３に類似するが、補正がないと、印刷が間違った場所で起こり、位置ずれをもたらすように、基板が定位置で非意図的にオフセットしている、印刷領域１２５を示す。図１Ｃは、図１Ａの鎖線のボックス１０３に類似するが、基板回転誤差がある、印刷領域１３５を示す。図１Ｄは、図１Ａの鎖線のボックス１０３に類似するが、基板誤整合がスケーリング誤差を表し、例えば、個々の配列された製品がそれぞれ、寸法誤差（ならびに位置誤差）を有し得る、印刷領域１４７を示す。
【図１−２】図１Ｅは、図１Ａの鎖線のボックス１０３に類似するが、基板誤整合（例えば、縁誘導型整合プロセスにおける縁歪曲）が、２つの独立した次元で歪曲をもたらす、印刷領域１５５を示す。図１Ｆは、図１Ａの鎖線のボックス１０３に類似するが、それぞれ基板の異なる部分に影響を及ぼす、異なるタイプの誤差が表される、印刷領域１６３を示す。
【図２Ａ】図２Ａは、基板位置に対する１つまたはそれを上回る印刷堆積領域の整合に関する、フローチャート２０１を提供する。
【図２Ｂ】図２Ｂは、基板位置に対する１つまたはそれを上回る印刷堆積領域の整合に関係付けられる、別のフローチャート２２１を提供する。
【図２Ｃ】図２Ｃは、アレイ内の各製品設計のための層幾何学形状を定義するために使用される、レシピエディタおよびパネル定義ソフトウェアからのスクリーンショットである（すなわち、アレイは、共通基板を使用して製作されるものであり、層堆積は、一連の基板について繰り返されるものである）。
【図３】図３Ａは、検出された誤差に依存して印刷を微調整するように「テンプレート」を調節する１つの特定の方法に関する、フローチャート３０１を提供する。図３Ｂは、検出された誤差に依存して印刷を微調整するように「テンプレート」を調節する１つの特定の方法に関する、別のフローチャート３５１を提供する。
【図４−１】図４Ａ−４Ｉは、整合誤差の処置について議論するために、より詳細には、印刷を微調整するようにプリントヘッドノズル発射決定を割り当てるか、または再び割り当てるためのプロセスを説明するために使用される。図４Ａは、「印刷格子」内の場所における「Ｘ」の存在または欠如が、それぞれ、液滴が、特定の領域中のプリントヘッドによって（例えば、位置４０４におけるノズル４１０から）発射されるか、または（例えば、位置４０５を横断するにつれてノズル４１０から）特定の領域において保留されるであろうことを表す、領域４０３に対するプリントヘッド４０７のレイアウトを示す。例えば、図４Ａは、「ビットマップ」の一区分であり得る（すなわち、プリントヘッドおよび基板がスキャン運動において相互に対して移動した際に、基板の一部にわたって意図されたノズル発射決定を表す）。本明細書で使用されるように、「ビットマップ」という用語は、各ノズルのデータが単一のビットまたは複数のビットから成るかどうかにかかわらず、ノズル毎のデータを指すことに留意されたい。例えば、一実施形態では、４ビットのデータが使用されることができる（すなわち、そのうちの１つが、ノズルを発射しない決定を表し、他のものが、ノズルに「送信」され得る、異なる再プログラムされたノズル駆動波形を表す、１６の可能な値を表す）。明確に、多くの代替案が可能である。図４Ｂは、図４Ａからの元の印刷格子４０３のレイアウトを示すが、基板は、意図された印刷領域に対して誤整合であり、異なるノズルが、スキャン経路を調節することなく、本整合誤差を補償するために使用されることができる。描写される実施例では、誤整合は、ノズル間隔または「ピッチ」と「きれいに」整合しない場合があり、例えば、プリントヘッドおよび基板が相互に対して移動させられると、より多いまたは少ない数のノズル、ならびにプリントヘッドのノズルの異なるセットが、所望の印刷領域４１２に重複し得ることに留意されたい。図４Ｃは、印刷格子が図４Ｂからの所望の印刷領域４１２上に重ね合わせられて見られる、レイアウト４２１を示す。
【図４−２】図４Ｄは、図４Ａからの領域４０３の相対的レイアウト４３１を示すが、意図された印刷領域または製品幾何学形状４３３は、基板誤差または他の誤整合により、その領域に対して回転させられて見られる。図４Ｅは、印刷格子が所望の印刷領域４３３上に重ね合わせられて見られる、レイアウト４４１を示す。図４Ｆは、元のプリンタ格子４０３のレイアウトを示すが、特定の基板に対して、所望の印刷領域４５５によって反映されるような検出されたスケーリング誤差がある。
【図４−３】図４Ｇは、印刷格子が図４Ｆからの所望の印刷領域４５５上に重ね合わせられて見られる、レイアウト４６１を示す。図４Ｈは、図４Ａからの元の印刷格子のレイアウトを示すが、検出された傾斜誤差４７５があり、例えば、基板に影響を及ぼす、あるタイプの歪曲または線形前進誤差により、実際には（形状４７５によって表される）平行四辺形の輪郭に沿って印刷することが所望される。
【図４−４】図４Ｉは、印刷格子が所望の印刷領域４７５上に重ね合わせられて見られる、レイアウト４８１を示し、図４Ｉの印刷格子を使用して補正される印刷を用いて、本明細書で提示される技法を使用すると、印刷は、精密に整合させられることができる（すなわち、形状４７５によって表される）。
【図５Ａ】図５Ａは、ノズル駆動波形（すなわち、電子駆動信号）をプリントヘッドの異なるノズルに割り当てるか、またはそれらついて調節するために使用される回路を示す。
【図５Ｂ】図５Ｂは、記憶されたデータが、プログラム可能な波形定義（したがって、可変体積、液滴軌道、液滴降着場所、速度、または他のノズル毎の液滴パラメータ）を可能にする、対応するプリントヘッドノズルのデータを記憶するために使用され得る、ノズル毎の駆動回路を示す。
【図５Ｃ】図５Ｃは、例示的波形を示し、プログラム可能な調節によって、ノズル液滴パラメータを変動させるために、その波形がどのようにして使用され得るかを説明するのに役立てるために使用される。
【図５Ｄ】図５Ｄは、プリントヘッドのノズルのための駆動回路の別の実施例を示す。
【図６Ａ】図６Ａは、本明細書で紹介される技法をそれぞれ独立して具現化することができる、一連の随意の層、製品、またはサービスを示す、例証的な図であり、例えば、本明細書で提示される技法は、（数字６０３によって）ソフトウェアの形態で、または（基板上に印刷するようにプリンタを制御するために使用される、数字６０７によって）プリンタ制御データとして、もしくは（数字６１３、６１５、または６１７によって例示されるように）これらの技法に依拠して作製される製品として実装されることができる。
【図６Ｂ】図６Ｂは、プリンタを含む製作装置の概略図を提供する。
【図６Ｃ】図６Ｃは、製作装置内の印刷領域の平面図を示し、本印刷領域は、随意に、ガスエンクロージャ内に、すなわち、印刷が制御された雰囲気中で起こるように、含有されることができる。
【図６Ｄ】図６Ｄは、プリンタを含む製作装置の機能ブロック図を提供する。
【図７】図７は、個々のノズル変動および／またはノズル駆動波形変動の効果の測定、ならびに関連補償技法を説明するために使用される、フローチャート７０１を提供する。一実施形態では、印刷が位置誤差について調節されるだけでなく、加えて、印刷が慎重に定義された公差内で起こるよう、ノズル間変動が調節において考慮される。
【図８−１】図８Ａは、大型プリントヘッドアセンブリの各ノズルの液滴体積を測定することが可能な液滴測定システムを示す、例証的略図である。例えば、そのようなシステムは、上記で言及されるノズル間変動を測定するために使用されることができる。図８Ｂは、予期される液滴特性の高信頼理解を達成するように各ノズルの液滴詳細の測定と関連付けられる種々のプロセスおよびオプションを示す、方法の略図である。
【図８−２】図８Ｃは、液滴測定の実施形態と関連付けられるフロー図を示す。
【図８−３】図８Ｄは、ノズル検証と関連付けられるフロー図を示し、つまり、一実施形態では、（本明細書に説明される他の目的に加えて）ノズルを適格または不適格と見なすために、測定が使用されることができる。
【図９Ａ】図９Ａは、ラスタプロセスと関連付けられるブロック図を提供する。より詳細には、図９Ａは、精密な印刷を提供するために、液滴測定の結果がどのようにして検出された基板誤差（例えば、位置、回転、スケーリング、または傾斜誤差）と統合され得るかを説明することに役立つ。影付きの領域（９０７）が、単一のスキャン経路を表す一方で、透明な領域（９０８）は、別の経路を表す。
【図９Ｂ】図９Ｂは、製造プロセスの一部として基板上の印刷と関連付けられるフロー図を示す。
【図９Ｃ】図９Ｃは、製造プロセスの一部として基板上の印刷と関連付けられる別のフロー図を示す。
【図１０−１】図１０Ａは、製造プロセスの一部として基板上の印刷と関連付けられるフロー図を示す。図１０Ｂは、製造プロセスの一部として基板上の印刷と関連付けられる別のフロー図を示す。
【図１０−２】図１０Ｃは、印刷を受容する、例えば、「調節された」プリンタ制御データが１つまたはそれを上回る所望の基準（例えば、ｔｈ１≦体積≦ｔｈ２）を依然として満たすかどうかを試験し、１つまたはそれを上回る所望の基準を満たさない場合に、プリンタ制御データをさらに調節するものである、地形のアンチエイリアス処理に関するフローチャート１０４１を提供する。図１０Ｄは、基板プリンタ変動を軽減するように、プリンタ制御データのレンダリングに更新されたノズル液滴データを組み込むことに関する、フローチャート１０６１を提供する。図１０Ｅは、基板プリンタ変動を軽減するように、プリンタ制御データのレンダリングに更新されたノズル液滴データを組み込むことに関する、さらに別のフローチャート１０８１を提供する。
【図１１Ａ】図１１Ａは、並列処理環境を示すブロック図である。
【図１１Ｂ】図１１Ｂは、印刷イメージのレンダリングおよび／またはラスタ化が並列処理環境でどのようにして行われるかを示す、ブロック図である。
【発明を実施するための形態】
【００２６】
列挙された請求項によって定義される主題は、添付図面と併せて熟読されるべきである、以下の発明を実施するための形態を参照することによって、より深く理解され得る。請求項によって記載される技術の種々の実装を構築して使用することを可能にするように以下で立案される、１つまたはそれを上回る特定の実施形態の本説明は、列挙された請求項を限定することを目的としておらず、それらの用途を例示することを目的としている。前述の内容を限定することなく、本開示は、一体の反復可能印刷プロセスの一部として、基板の複数の製品（または製品の他のアレイ）のそれぞれのための薄膜を製作するために使用される、技法のいくつかの異なる実施例を提供する。種々の技法は、これらの技法を行うためのソフトウェアとして、そのようなソフトウェアを実行するコンピュータ、プリンタ、または他のデバイスの形態で、そのようなフィルム層を形成するための制御データ（例えば、印刷イメージ）の形態で、堆積機構として、または（例えば、説明される技法に従って生産される１つまたはそれを上回る層を有する）これらの技法の結果として製作される電子もしくは他のデバイスの形態で、具現化されることができる。特定の実施例が提示されているが、本明細書に説明される原理はまた、他の方法、デバイス、およびシステムにも適用され得る。
【００２７】
（詳細な説明）
このようにいくつかの基本的実施形態を紹介してきたが、ここで、本開示は続いて、より詳細な実装についてする。図１Ａ−１Ｆは、反復可能製造プロセスにおけるプリンタ制御データ調節と関連付けられる種々の原理を例証するために使用される。
【００２８】
図１Ａは、仮説的基板１０１のレイアウトを図示する。より詳細には、基板は、いくつかの整合マーク１０５と、整合マークに対して定義される印刷領域１０３と、形成されるか、または製品形成のプロセスの一部として堆積させられた基層をすでに有する、いくつかの製品に対応する領域１０７とを含む。例証目的で、基板１０１は、多くの製品１０７、および独立したソーラパネルまたはディスプレイデバイスを形成するように基板から切断されるであろう各「パネル」を形成するために使用されるであろうが、本発明はそのように限定されないことが仮定され得る。一実施形態では、各パネル１０７は、独立したＯＬＥＤパネルとなり、基板１０１は、大きな１枚のガラスである。
【００２９】
複数の製品の存在にもかかわらず、一体の印刷プロセスにおいてアレイまたは基板１０１上に液体を噴出するために、プリンタを採用することが所望される。液体は、液体の堆積およびその硬化または他の処理に続いて、材料および／または液体が各結果として生じた製品の恒久的部分になるように、ならびに層が詳細に計画された厚さを有するように、材料を担持する。随意の実施形態では、単位面積あたりの堆積液体の体積または密度が、層厚さを構築するために使用される、制御された液滴堆積を使用して、層厚さが付与される。つまり、液体は、望ましくない孔または間隙を伴わずにブランケット液体被覆を生じる、限定された拡散を有し、もしくは液体は別様に、全て詳細に計画された厚さを別様にもたらすであろう様式で、幾何学的に閉じ込められるであろう様式において堆積または硬化させられる。たとえ堆積流体が典型的には無色であり、いかなるタイプの色調（すなわち、「ハーフ」、「ブレンド」、または別様である）を作成するために使用されていなくても、本プロセスは、概して、本明細書では「ハーフトーニグ」と称される。典型的実装では、プリンタが基板全体（すなわち、アレイ中の各製品の層）を印刷し、次いで、基板がプリンタから別個の硬化チャンバに輸送され、そこで、全て制御された雰囲気（例えば、液体が湿気、酸素、または他の形態の所望されない粒子状物質に暴露されることを防止する、窒素もしくは他の周囲の非空気雰囲気）の存在下で、液体が硬化または別様に硬質化させられるであろうことに留意されたい。本実施例に関して、全体的な印刷領域１０３の境界内の離散場所で所望の材料を堆積させるようにプリンタに求める、レシピデータが事前に生成されることが仮定されるであろう。簡単に言うと、各製品のレシピデータは、その製品の層厚さおよび寸法、ならびに角の丸み付けまたは縁蓄積プロファイル等の任意の所望の詳細を説明し、アレイのレシピデータは、各製品の層（すなわち、製品レシピデータ）が基板に対して位置付けられる場所を説明する。レシピデータは、処理またはレンダリングされると、多くの確保する類似基板について繰り返されるであろう再現可能な基準で、各個別製品領域１０７の中へ液体を堆積されるようにインクジェットプリンタに命令し得る。レシピデータ（またはその任意の処理されたバージョン）は、一連の基板の中の各基板上でプリンタに液体を堆積させるために使用されるであろう、テンプレートとして使用するために、メモリに記憶または「キャッシュ」される。図１Ａは、基板に対する理想的堆積を表す、（その上に多くの製品または「パネル」を伴う）これらの基板のうちの１つを示す。
【００３０】
前述のように、残念ながら、実践では、各アレイもしくは基板は、製品のうちの１つまたはそれを上回るもののための堆積層の位置合わせに影響を及ぼす、その構造もしくはその位置のいずれかにおける非一様性、回転、スケール、傾斜、または他の整合問題を有し得る。多くの製造プロセスに関して、そのような歪曲は、耐えられ得るが、マイクロ電子機器等の用途に関して、または非常に精密な整合が別様に必要である場合、そのような整合問題は、特徴サイズを限定し、製品欠陥を生じ、もしくは別様に製造の時間および／または費用を増加させ得る。これらの問題を回避および／または補償することと、自動的であり、精度を維持しながら可能な限り高速である、印刷を提供することとが所望される。
【００３１】
これを行うために、一実施形態では、ハードウェア論理および／または命令論理は、理想的にはプリンタの計画されたスキャン経路を調節することを必要としない（例えば、ノズルデータのみが調節される）様式で、検出された誤差を考慮してノズル発射データを調節する。これは、全ての実施形態に必要とされるわけではない。基準（例えば、基板の整合マークまたは光学的に認識される特徴）は、各新しい基板がプリンタの中で装填され、前進させられ、または位置付けられると、光学的に検出される。次いで、関連画像データが、基板（またはそのパネル）の実際の位置を予期される位置と比較するためにプロセッサによって使用され、偏差に依存して、印刷イメージは、印刷がパネルレイアウト情報（および任意の前もって堆積させられた層）と位置合わせするように調節される。これらの技法を使用して行われる整合補正は、典型的には、ミクロン規模またはより微細である（例えば、ミリメートル未満である位置誤差、いくつかの実施形態では、１００ミクロンまたはさらに実質的にそれ未満の位置誤差を補正する）。
【００３２】
図１Ｂは、基板が実際にインクジェットプリンタに対して誤整合である状況を示す。この場合、縁誤差、機械的位置付け誤差、基板プロセスコーナ、または他の問題によるかどうかにかかわらず、本誤整合は、製作されている各製品の層の間の整合誤差の可能性を生じる。描写された誤差は、例証を容易にするために規模が誇張されていることに留意されたい。より詳細には、（数字１２３によって表される）ｘｙデカルト誤差は、補正されないままにされた場合、基板上の理想印刷領域１２５に対して個々の製品層（１０７）をオフセットさせるであろう。本オフセットは、任意の下位（または後に堆積または製作される）製品層に対して問題を引き起こし得る。本明細書に開示される技法は、インク堆積が位置合わせ誤差に一致する様式でシフトさせられる、例えば、印刷プロセスが基板および／またはパネル位置の誤差に一致する様式でオフセットされる（または別様に変換される）ように、プリンタ制御データを調節するために使用される。本検出された誤差は、そのような誤差に合致する様式でプリンタノズル制御データを生成または調節することによって補正される。前述のように、レシピデータが前処理される場合、随意の技法が、誤差に依存する様式で任意の以前のノズル発射パターンを再び割り当てるために使用されることができる。一実施形態では、本再割当は、典型的には、ベクトル量だけ全てのノズル発射決定を単純に偏移させること以上を伴い、すなわち、所望の領域のための精密な液体充填を留保するために、ノズル間変動ならびに関心堆積領域（例えば、ピクセルウェル）および印刷格子との位置不一致を考慮して、他の要因（例えば、以下でさらに議論されるようなアンチエイリアス処理）を調節するように、ノズル発射決定が再査定され得ることに留意されたい。一実施形態では、本再割当は、任意の前もって処理もしくはレンダリングされたデータと関連付けられる印刷格子点に依存する（例えば、テンプレートビットマップに依存する）個々のノズル発射決定、および／またはノズル駆動パラメータを効果的に変換して、ビットマップもしくはベクトル表現レベルで動作するプロセスによって行われる。スキャン経路変動等の他の調節技法の使用（例えば、プリントヘッドオフセットおよびラスタ化変化を調節すること）も可能である。
【００３３】
図１Ｃは、基板が、回転角α（数字１３３）によって表される別の形態の誤差を持つ、状況を表す。補正されないままにされた場合、本誤差は、個々の製品層（１０７）を（例えば、基板の所望の印刷領域１３５に対して）他の製品層と潜在的に誤整合にさせるであろう。本明細書で議論される技法を使用して、本誤差は、誤整合を検出し、例えば、ハードウェア、ソフトウェア、またはそれらの組み合わせで、プリンタデータのレンダリングにおける回転調節を考慮に入れることによって、補正されることができる。もう一度、ビットマップ等のテンプレート印刷イメージがすでに生成されている場合、本補正は、随意に、（例えば、レシピデータから印刷イメージを新たに生成する必要なく）前処理されたビットマップから直接、新しいノズル発射割当および／または駆動パラメータを計算することによって、そのイメージのコピーに直接行われることができる。前の実施例と同様に、調節は、誤差にもかかわらず、堆積層が意図された製品幾何学形状と正確に整合する、基板毎の印刷プロセスをもたらし、印刷は、ほぼ即時に行われることができる。
【００３４】
誤差が前処理されたデータ（テンプレートもしくはビットマップ等）に考慮されるか、またはレシピ情報からプリンタデータを最初にレンダリングするように直接適用されるかどうかは、実装決定であることに留意されたい。何百万ものピクセル（および基板あたり何百万もの潜在的液滴堆積点）を有するＯＬＥＤデバイスに関して、前もってレンダリングされたビットマップの基板毎の適合は、サポートするハードウェア能力に応じて、計算量が非常に高くあり得る。いくつかの実施形態では、検出された位置合わせ誤差を考慮に入れる様式で、レシピデータからプリンタデータを直接レンダリングすることは、より速くあり得、他の実施形態では、ビットマップ（または他の前処理）の使用は、より効率的であり得る。以下で提供される並列処理特徴をさらに使用する実施形態に関して、より多数の処理オプションが利用可能である。
【００３５】
図１Ｄは、この場合、スケーリング問題を表す、基板または製品アレイ全体にわたって線形であるように描写される、さらに別のタイプの誤差を表す。本実施例の目的で、基板は、意図されるよりもわずかに大きいまたは小さいことが仮定されるべきであり、例えば、温度変化により、誤差が少なくとも局所的に一様もしくは線形であるような様式で、基板がわずかに収縮または拡張している可能性がある。したがって、簡略化された実施例を提供すると、本仮説に関して、テンプレート画像の全ての次元また配置は、ｋ１およびｋ２がスカラーであり、ＸおよびＹが基板上のデカルト座標を表す、ｋ１Ｘ、ｋ２Ｙによって、調節されるはずであることが仮定される。スケーリング誤差が１つの次元のみ（例えば、Ｘ次元）にある状況は、ｋ２＝１である、簡略化された実施例を提示することに留意されたい。補正されないままにされた場合、スケーリング誤差は、オフセット誤差ならびに各パネルの所望の設置面積（１４８）よりわずかに小さい（１４９）個々の製品層（１０７）をもたらすであろう。同様に、全体的な印刷領域は、基板の所望の印刷領域（１４７）よりわずかに小さく（１４５）見られる。本誤差を補正するために、スケーリングが、ｋ１およびｋ２に従って補正される。もう一度、一実施形態では、これは、（例えば、レシピデータから直接、または前処理されたテンプレートデータからのいずれかである、潜在的に異なるノズル発射決定およびマッピングを用いて）変換されたプリンタ制御データを生成するように変数ｋ１およびｋ２を考慮に入れることによって、実装されることができる。（以下で議論されるような）アンチエイリアス処理および／またはノズル液滴詳細もまた、随意に、所定の場所または単位面積（すなわち、厚さを統制し得る）における堆積液体の局所密度が意図された層寸法に対応することを確実にするように、本変換の一部として適用される／考慮に入れられることができる。前の実施例と同様に、調節は、基板位置誤差にもかかわらず、堆積層が意図された製品幾何学形状と正確に整合し、所望の堆積充填、密度、および体積が正しい、基板毎の印刷プロセスをもたらす。図１Ｄに対する特定の調節が、プリントヘッド毎のスキャンノズル割当への実質的な変更をもたらし得、実施形態に応じて、（実施形態および誤差の性質に応じて）スキャンの数に潜在的に影響を及ぼし得ることに留意されたい。つまり、一実施形態では、以前に参照されたように、ノズル発射決定は、（例えば、スキャンの位置または数を変更することなく）本明細書に開示される技法に依存して再び割り当てられる。別の実施形態では、スキャン経路は、ノズル毎の液滴データおよび誤差を考慮して再び最適化されることができ、異なるスキャン経路およびより多いまたは少ない数のスキャンが使用されることができる。実施形態にかかわらず、印刷は、計画された通りにほぼ即時に行われることができ、基板誤差は、各基板（または局所的基準で所定の基板の一部）の位置誤差を独立して考慮する動的調節によって、ソフトウェア、ハードウェア、または両方で補正される。
【００３６】
もう一度、これらの図で描写される全ての誤差は、例証目的で視覚的に誇張されており、すなわち、配列された領域（例えば、ガラス基板）が、幅数メートル×長さ数メートルである規模のものであると仮定される場合、粗い機械的整合は、典型的には、数ミリメートルまたはより良好な規模まで精密であることに留意されたい。したがって、多くの実施形態では、開示される技法は、比較的小さい誤整合（例えば、数十〜数百ミクロンまたはさらにそれ未満）を補正するために使用される。
【００３７】
図１Ｅは、例えば、個々の製品領域または基板が全体として傾斜を被る、さらに別のタイプの誤差を表す。ここで、誤差は、基板上のＸ位置（図面のページに対して垂直方向）に応じて変動する、Ｙ位置誤差（図面のページに対して水平方向）をもたらすと見なされる。実施例として、本タイプの誤差は、基板縁誤差によって、または特定のプリンタもしくは製造デバイスに一意の影響を及ぼす輸送誤差によって引き起こされ得る。図中、全ての次元および位置は、Ｘ’＝Ｘ、Ｙ’＝ｆｎ｛Ｘ｝だけ傾斜させられると見なされ、Ｘ’およびＹ’は、グラフィック１５３によって表されるように、調節された座標である。もう一度、傾斜状況はまた、実践では、パネル傾斜誤差に追加される、各パネル１０７の位置オフセット誤差ももたらすであろうことに留意されたい（これは、図中で次の行に対する１つの行の中のパネルの水平オフセットと見なされる）。補正されないままにされた場合、傾斜誤差は、所望の設置面積に対して個々の製品層（１０７）を変形させるであろう。本誤差を補正するために、印刷イメージは、もう一度、根本的誤差に合致するよう、ソフトウェアで事前傾斜パネル印刷に調節／変換される。前の実施例と同様に、行われた変換は、ノズル発射決定を単純に偏移させること以上を含むことができ、例えば、適切な標的領域中で適切な体積のインクの堆積を確実にする付加的プロセスを特色とすることができる。これは、随意に、以前に議論されたように、プリントヘッド毎のスキャンノズル割当への実質的な変更をもたらし、スキャンの数に潜在的に影響を及ぼし得る。印刷は、もう一度、ほぼ即時に行われ、基板誤差は、テンプレート印刷イメージのリアルタイム調節によって、または特定の基板のレシピ情報のレンダリングにおいて、ソフトウェアで補正される。
【００３８】
図１Ｆは、記述された誤差が、相互から独立して各パネルに影響を及ぼし得、基板位置に加えて、またはその代わりに、そのような誤差があり得る、仮説的事例を表す。例えば、図１Ｆは、所望の印刷領域１６３に対して、第１のパネル１０７’が傾斜して見られる一方で、第２、第３、および第４のパネル（１０７”、１０７”’、および１０７””）は、それぞれ、他のパネル１０７に対して回転、オフセット、およびスケーリング誤差を有すると見なされる、事例を描写する。１０７””のスケーリング誤差が本パネルのみに影響を及ぼすため、位置オフセットが小さいまたは存在しないものとして図式的に描写されていることに留意されたい。本明細書で紹介される教示を適用して、各パネルの誤差は、所定のアレイまたは基板を印刷するために使用されるであろうレンダリングを調節することによって、別個に補正される。この点に関して、任意の所定のパネルまたはその一部の誤差は、複雑であり得、位置オフセット、回転、傾斜、およびスケーリング誤差のうちの１つまたはそれを上回るもののための変換技法の重畳もしくは組み合わせとして、補正がモデル化される。これは、パネルのグループ、単一のパネル、複数のパネルの部分を跨架する空間、または任意の所定のパネルの一部に、独立基準で行われることができる。前もってレンダリングされるテンプレート印刷イメージをキャッシュする実施形態に関して、各新しい基板について（例えば、４５秒毎に）、そのキャッシュされた画像のコピーが、特定の基板を機械的に再配置する必要なく、必要に応じてノズル発射決定を再び割り当て、整合、配向、または他の誤差を低減させるように操作されることができる。各次の基板について、例えば、４５秒毎に、キャッシュされたテンプレートプリンタ制御データのインスタンスが、もう一度、ロードされ、新しい基板に特有の位置付けまたは整合の誤差を補正するために使用されることができ、印刷に即時に適用され得るレンダリングされたデータを生成する。
【００３９】
予期される位置からの基板またはパネル偏差に合致するように、プリンタ制御データの微細整合のためのいくつかの技法がある。第１に、１つの考慮される実施形態は、実際の（すなわち、検出された）基板および／またはパネル位置上に印刷格子を重ね合わせる。前述のように、印刷格子は、プリントヘッド上のノズルピッチを表す、「水平に分離された」節点と、例えば、プリントヘッドおよび基板が相互に対して「スキャンされる」につれて、例えば、「１ミクロン毎の」距離で、ノズルが発射され得る、デジタルタイミングを表す、「垂直に分離された」節点とを特色とすることができる。本重ね合わせられた空間内の各節点に関して、本システム（すなわち、１つまたはそれを上回るプロセッサ上で作動する命令論理）は、それぞれのノズルが液体の液滴を堆積させるようにその点で発射されるはずかどうかを判定する。重ね合わせられた空間に関して、各節点における発射決定は、理想的な基板の元の「レシピ」データならびに完璧に整合した基板内の同等点からのその節点の位置の偏差の関数である。プリンタ制御データがビットマップを形成するように「事前にレンダリングされる」（すなわち、ノズル発射決定が一様な整合を仮定する様式ですでに割り当てられている）、１つの実装では、偏差基板またはパネル位置を伴って重ね合わせられた印刷格子の各発射決定が、変換を介して、元のビットマップ内の同等点にマップされることができる。実施例を提供すると、所定の基板が、それが存在するはずである場所の「右側に」３１．０ミクロンだけオフセットされた場合、最初に、元のビットマップ内の同一の節点位置を識別し、次いで、その位置の３１．０ミクロン「左側に」ある点を識別し、最終的に、その偏移した点に最も近い節点と関連付けられる発射詳細を識別することによって、印刷格子内の各節点の発射決定が、計算されることができる。以下でさらに議論されるように、詳細には、液体がピクセルウェルの中に印刷されるものである、そのような実施形態では、そのようなプロセスが、液体の多すぎるか、または少なすぎる液滴をウェル境界内に堆積させ得、（以下で議論される）アンチエイリアス処理等の調節プロセスが、本可能性を軽減するために採用されることができる。第２の実装では、重ね合わせられた格子における各発射決定は、事前にレンダリングされたテンプレートからの発射決定の加重関数（例えば、元のビットマップ内の「左側に」３１．０ミクロンオフセットした点に最も近い４つの印刷節点の発射決定の加重平均）であり得る。必然的に、多くの変形例および可能な調節機構が、当業者に想起されるであろう。他の実施形態は、インポートされた整合データまたはノズルパラメータの原位置測定を採用することができ、次いで、それらは、適宜に、所定の基板のプリンタ制御データのレンダリング、アンチエイリアス処理、液滴密度（ハーフトーンパターン）調節、および他のプロセスの考慮に入れられる。これらのそれぞれは、適切な量および／または密度の液体が基板の離散領域中で印刷されていることを確実にするために、１つまたは複数の付加的プロセスを使用することによって、より確実な堆積を生成することに役立つ。いくつかの実施形態では、スキャン経路またはプリントヘッドクロススキャンオフセットの数が、印刷時間を最適化するように再考されることができる。開示される技法およびそれらの相対的利益の種々の組み合わせが、以下の議論を考慮すると、当業者に明白になるであろう。
【００４０】
図２Ａは、いくつかの例示的処理タスクを紹介するために使用される。より詳細には、図２Ａは、ある機能が、オフラインプロセスの一部として（すなわち、鎖線２０９の上方で）行われるものとして、または実行時間中に（すなわち、鎖線２０９の下方で製造プロセスの一部としてオンラインで）行われるものとして線引きされた、フローチャート２０１を示す。コンピュータ（例えば、独立型、または工業用もしくは製造プリンタ等の製造デバイスの一部）は、最初に、数字２０３により、基板を横断する層の所望の堆積を説明する情報を受信する。図２Ａの右側で記述されるように、いくつかの変形例が考慮される。例えば、一実施形態（２０４）は、配列された堆積の一部として、一度に多くの製品の製造を考慮する。簡潔に図１Ａに戻ると、特定の製造プロセスに関して、図示される１５枚のパネルのそれぞれに対する層は、幅、長さ、および厚さが相互と正確に同一となる可能性がある。例えば、（これらのパネルのうちの１つを表す）単一のレシピが、１５の個々の製品のための予期される印刷場所の総印刷データを用いて総印刷イメージを生成するように、ハードウェア論理または命令論理もしくは両方によって、電子的にロードされて配列されることができる。これは、全ての実施形態に当てはまる必要はない。例えば、両方とも同一の基板上でともに、第１のサイズのＴＶ画面が、パネルの第１の水平行によって表されることができ、第２のサイズのＴＶ画面が、パネルの第２の行によって表されることができ、各パネルは、本実施例では異なる製造詳細を有し得る。複数の製品が各基板によって表されるかどうかにかかわらず、本方法は、各層の所望の位置（例えば、数字２０５による、「左上」隅位置ならびに長さおよび幅寸法、数字２０６による、所望の層厚さ）等の情報を受信することを含むことができる。一実施例では、「レシピエディタ」ソフトウェアが、１つまたはそれを上回る製品を担持する基板の層パラメータを定義するために使用されることができる（例えば、以下の図２Ｃの議論を参照）。次いで、コンピュータは、多くの基板を処理する際に、すなわち、それぞれ、組立ラインプロセスの一部としてシーケンス実行において、テンプレートとして使用するための所望の層を表す、情報を記憶する。記憶された情報は、随意に、「理想的」基板（すなわち、全ての製品がその上で完璧に位置付けられた、完璧に位置付けられているもの）の印刷を表すように、ビットマップまたは他の形態として事前にレンダリングされ、または別様にデフォルト基板／製品位置とどうにかして関連付けられる。
【００４１】
実行時間中に、各新しい基板がプリンタの中へ装填され、または別様に受容されると、基板は、機械的手段を使用して大まかに位置付けられる。例えば、本ステップは、数字２１１により、機械ハンドラを介して、または基板を所望の印刷位置に「大まかに」位置付ける縁ガイドを介して、行われることができる。次いで、プリンタは、数字２１３により、精密検出システムを使用して、実際の基板位置を検出する。一実施形態では、これは、基準（基板内または上の公知のパターン）の領域を撮像する高精度カメラを使用して行われ、カメラが、印刷システムに対して精密に位置付けられ、位置検出ソフトウェアが、例えば、ミクロン単位まで、基準の正確な位置を識別するよう、画像処理を行うために使用される。有利なことには、基準は、基板の回転配向および／またはスケールならびに／もしくは傾斜の判定を可能にする、２次元パターンまたはパターンのセットであり得る。基準が複雑であるほど（またはより多くの数の独立した特徴が認識可能であるほど）、補正され得る整合または位置問題の精度および／または数ならびに／もしくは複雑性が大きくなる。これの実施例を提供すると、一実施形態（以下でも議論される図９Ａ参照）は、基板上の全パネルが、パネル基準でパネル毎の誤差検出または誤差軽減を可能にする、少なくとも２つの専用整合マークを有し得ることを考慮する。これは、全ての実施形態に必要とされるわけではない。どちらの検出機構であっても、次いで、コンピュータ（および／またはそのプロセッサのうちの１つ）は、（１）検出されたパネル位置、次元、および配向と、（２）予期されるパネル位置、次元、および配向との間の偏差を導出し、印刷を任意の下位層および／または製品幾何学形状と位置合わせするように、必要に応じて印刷ジョブを適合させる（２１５）。数字２１７により、次いで、パネルは、プリンタから非装填され、随意に、数字２１８により、硬化させられる。参照数字２１９によって示されるように、次いで、新しい基板が、新しい印刷ジョブのために装填されることができる。
【００４２】
ＯＬＥＤまたはソーラパネル製造のための仮説的印刷プロセスを表す実施例として、パネルの典型的な層厚さは、「印刷される」（次いで、硬化または別様に処理される）特定の層に応じて、およそミクロン未満〜数百ミクロンであり得る。アレイ定義情報が、受信され、各パネルの印刷場所にリンクされる特定のパネルのレシピに従って、その場所を判定するために使用され得る。例えば、基板につき１５枚のパネルを伴う構成では、第１のパネル「レシピ」が、基板上のパネルの最初の２行のそれぞれで（すなわち、それぞれ精密な場所において）５回複製されるものであり、第２の一意のパネルレシピが、パネルの第３の行で（すなわち、第１のレシピと異なる第２のレシピを仮定して、精密な場所において）５回複製されるものであったことを示すように、アレイ定義情報が受信され得る。アレイ定義は、本実施例では、各パネル場所およびその場所に使用される特定のレシピを識別し得る。任意の所定の製品のための均質な連続層の実施例は、例証的にすぎないことに留意されたい。いくつかの実施形態では、層は、（特定の製品またはパネルのための薄膜カプセル化等の均質コーティングであることとは対照的に）各製品内でパターン化されてもよく、または厚さは、特定のパネルレシピによって定義されるように層内で変動させられることができる。１５枚パネルの３行の実施例を続けると、製品の第３の行は、潜在的に、パネルの最初の２行に作成されるよりも大きい厚さを「構築する」ために使用される、より高密度のハーフトーニングを伴って、異なる層厚さを特色とし得る。
【００４３】
図２Ｂは、一連の基板の中の各基板のための例示的印刷プロセスのフローチャート２２１を提供する。より詳細には、各新しい基板が一連の中で受容されると（２２３）、機械ハンドラが基板を第１の位置に輸送する（２２５）。これは、予期される基準位置がカメラの視野内に収まる様式で基板を位置付ける。一実施形態では、数字２２７により、１つまたはそれを上回るカメラが、基準位置を捕捉するために使用される。例えば、図９Ｂと併せて以下で議論される１つのプロセスは、最初に、基準の粗い位置を識別するために標準的なカメラを使用し、次いで、基板および基準は、第２の高解像度カメラを使用して、画像捕捉のために、すなわち、基準のミクロン規模位置を識別するために、必要に応じて再配置される。図２Ｂは、いくつかの随意のプロセス２２９および２３１、すなわち、基板が複数の基準の捕捉を可能にするように再配置されるプロセスを鎖線で図示する。記述されるように、より多くの基準および整合特徴が使用されるほど、基板または個々のパネルの非線形性を検出する能力が優れている。本実施形態では、基板は、各パネルのための基準をカメラに効果的に輸送するように、精密ハンドラによって制御されるが、代替実施形態では、カメラは、運動システムに搭載されることができ、基準の場所を特定するように静止基板に対して輸送されることができ、または分割運動軸の場合のように、基板およびカメラが両方とも移動させられることができる。図の左側でテキストによって記述されるように、別の実施形態は、基板装填または他の輸送中に基板および／またはその基準を撮像するために、線スキャナを使用し、なおも他の実施形態は、プリントヘッドに搭載された（すなわち、非常に頻繁な「連続」誤差監視および補正のために使用される）カメラを特色とし、なおも別の実施形態は、非視覚的検出機構を使用する。基準および／または検出機構の数にかかわらず、いったん位置詳細が識別され、任意の誤差が確認されると（２３３）、記憶されたテンプレートが読み出され（２３５）、レンダリングされる。図２Ｂは、記憶されたテンプレートが、レシピ（２３６）、ビットマップ（２３７）の形態、またはある他の形態（２３８）（例えば、オブジェクト、ベクトル、または他の形式）であり得ることを図示する。オフセット、配向不整、および／または他の誤差は、線形基準で（２３９）、最小二乗適合（ＬＳＦ）アプローチを使用して（２４０）、またはある他のタイプの誤差推定機構を使用して（２４１）、確認されることができる。例えば、一実施形態は、パネルにつき２つの基準を使用する。基準は、複雑な形状（例えば、図９Ａによって描写される「十字」等）の形態であり得、所定のパネルにわたってパネル回転、角オフセット、ならびにＸおよびＹスケーリング誤差を判定するために使用される。次いで、プリンタ制御データが、線形またはアフィン変換を使用して、テンプレートから調節もしくはレンダリングされることができる。ＬＳＦアプローチに関して、パネル内または基板にわたる非線形誤差が検出され、１つまたはそれを上回る次元で多項式によってモデル化されることができ、例えば、ソフトウェアの制御下で動作する監視プロセッサが、（例えば、複数の基準に対する誤差尺度を使用して）曲線を検出された誤差に適合する。次いで、調節が、プリンタ格子発射決定および関連ノズルパラメータを割り当てるように、多項式またはアフィン変換に従って行われる。テンプレートを実際の基板位置にマップするための機構（２４２）を装備し、次いで、監視プロセッサは、随意に、処理タスクを付加的なプロセッサ（例えば、マルチコアプロセッサのコア）に割り当てる。一実施形態では、１２個またはそれを上回る処理コアを有するマルチコアプロセッサが、レンダリング（または変換）タスクを分割して処理を加速するために使用される。別の実施形態では、何百ものコアが使用され、処理をさらに加速する。そのような並列処理は、鎖線の機能ボックス２４３の使用によって示唆されるように、随意である。並列処理が使用されるかどうかにかかわらず、本システムは続いて、検出された基板および／またはパネル位置、回転、傾斜、ならびにスケールに依存する様式で、プリンタ制御データをレンダリングし、適宜にラスタスキャンを割り当てる（２４５）。図２Ｂの右側で見られる、第１の随意のステップによって示唆されるように、一実施形態では（２４６）、所定のノズル波形の最新の予期される液滴詳細が供給される（例えば、各一意のノズルに使用される各一意の波形の液滴体積および２次元液滴軌道の平均ならびに標準偏差）。本情報は、精密な体積充填を生成し、またはインクの均質分布を確実にするように計算される様式で、レンダリングプロセスで使用される。以下で議論されるように、一実施形態では、本データは、ロバストな測定集団を作成し、（例えば、粘度、周囲温度、および他の要因の関数として）堆積液体の性質の変動を考慮するよう、（例えば、基板印刷の間で）連続的に測定される。一実施形態では、前述のように、スキャン経路が、位置ずれに応答して調節されない一方で、ノズル／液滴発射パラメータのみが変更される。別の実施形態では、数字２４７により、ラスタ化が再査定され、再び最適化される。例えば、ノズル発射データが変化すると、より少ないスキャンを行うことが可能であり得る（または逆に、堆積液滴体積および位置に対する最適な制御のためにスキャンを追加することが賢明であり得る）。数字２４７は、一実施形態では、スキャン間のプリントヘッドオフセットが必要に応じて再査定され得ることを表す。数字２４８により、一貫性チェックもまた、誤差に対処するように空間的視点からすでに部分的に調節されているプリンタ制御データに行われることができる。例えば、一実施形態では、プリンタ制御データは、最初に、検出された基板・プリンタ変動に依存してレンダリングされ、後に、流体ウェル（または基板の他の離散領域）を識別し、これらの領域のインク密度および充填を「チェックする」ように、ソフトウェアプロセスが呼び出される。変換が、多すぎるか、または少なすぎるインクを堆積させるであろう場合、ソフトウェアプロセスは、誤差を排除するようにプリンタ制御データを平滑化または別様に調節し、それによって、所望の規範内で総インク充填およびインク密度を維持する。さらに別の実施形態では、連続層（例えば、カプセル化層）の「縁」が、誤差調節に続いて、所望の縁プロファイルを維持するために査定される（２４９）。つまり、堆積流体の拡散性質により、意図された層境界まで主要な均質層厚さに層縁におけるインク密度を増加／減少させることが所望され得、そのような実施形態では、縁特性は、誤差に対処するようにプリンタ制御データを空間的に変換する誤差処理後に、査定または調節されることができる。参照されるような縁処理は、別のタイプの一貫性チェックを表し、前述の米国仮出願第６２／０１９０７６号で広範囲に議論されている（すなわち、図７Ａ−７Ｅ参照）。本仮出願は、カプセル化層のための記述された技法の使用について議論しているが、これらの教示は、パターン化されたか、または別様である、任意の堆積層の精度を増進するように適用され得ることに留意されたい。これらの原理の多くの変形例が、当業者に想起されるであろう。最終的に、処理が完了したとき、数字２５１および２５３により、任意のラスタスキャン情報を含む、レンダリングされたプリンタ制御データが、プリンタに送信され、本方法が終了する。前述のように、一実施形態では、概して、本システムによって処理される各基板またはパネルに、約２秒またはそれ未満で基板につき本処理を行うことが所望される。
【００４４】
前述のように、層情報が受信され、記憶され、多くの形態でレンダリングされてもよい。図２Ｃは、「理想的な」印刷を定義するために、層の説明を生成して編集するように使用され得る、「レシピエディタ」の実施例を提供する。そのようなデータは、各新しい基板のために調節または変換されるであろうテンプレートデータを生成するために、（ある形態の前処理を伴って、もしくは伴わずに）保存されることができる。
【００４５】
より詳細には、図２Ｃは、パネルレシピ定義または編集を提供する、ソフトウェアユーザインターフェース（「ＵＩ」）のスクリーンショット２６１を示す。そのようなＵＩは、プリンタまたは製造システムと統合された様式で、より早い設計時間において（例えば、コンピュータ支援設計システムの一部として）、もしくはある他の様式で、使用されることができる。スクリーンショット２６１によって表されるように、ソフトウェアアプリケーションは、有利なことには、基板または印刷領域のレイアウトを模倣し、そのレイアウトを編集するための機構を提供する。スクリーンショットの左側で見られるＵＩディスプレイ領域２６３は、６つの描写されたパネルの間で様々に具現化される、３つの異なるパネルサイズを包含する。本実施例では、３つの異なるパネルサイズのそれぞれが、それぞれのレシピを有し得る。スクリーンショットの右下で見られる、第２のＵＩディスプレイ領域２６５は、アレイ定義のための窓を提供し、「サブパネル１」、「サブパネル２」、「サブパネル３」、「サブパネル３Ｈ１Ｖ０」、「サブパネル３Ｈ０Ｖ１」、および「サブパネル３Ｈ１Ｖ１」を含む、描写された６つのパネルのそれぞれのデカルト位置の識別、ならびに対応するレシピへの（各パネルのための）リンク（この場合、これらの名前によって達成される、例えば、「サブパネル３」）を可能にし、後半の３つのパネル（「サブパネル３Ｈ１Ｖ００」、「サブパネル３Ｈ０Ｖ１」、および「サブパネル３Ｈ１Ｖ１」）は全て、同一のレシピ（「サブパネル３」）を使用するが、基板に対するそれぞれの水平および垂直オフセットを特色とする。これらの定義のうちの最上位のものが、拡大されて見られる（すなわち、「選択されている」ため）。第２のＵＩディスプレイ領域２６５は、任意の所定のパネル（右側）の図式的選択および除去、ならびに任意の所望のパネル（図示されるようにパネル１等）のデータの拡張および操作を提供することに留意されたい。例えば、図２Ｃは、最上位のパネル「サブパネル１」が、８２５×５００ミリメートルのサイズを有するように、その左上隅を印刷可能基板領域の左および上縁からそれぞれ５０ミリメートルに位置付けさせるように、ならびに（すなわち、選択された「角の丸み」値を介して）選択的な角の丸み付けを有するように、定義されることを示す。１つまたはそれを上回る基準の予期される位置は、第３のＵＩディスプレイ領域２６９を使用して識別されることができる。前述のように、特定のパネルの（プリンタまたは印刷輸送経路に対する）予期される基準位置と任意の実際の（すなわち、検出された）基準位置との間の偏差に基づいて、印刷（および任意の所定のパネルの印刷領域）が、レンダリングされることができるように、印刷は、そのような基準に対して効果的に定義される。スクリーンショット２６１によって示唆されるように、異なる基準または基準特徴点が、例えば、スケーリング誤差もしくは傾斜を検出するように識別されることができる。所望であれば、他の実施形態では、第３のＵＩディスプレイ領域２６９は、次いで、ソフトウェアが実行時に各基板上で識別される検出（撮像）された形状に合致させる、基準形状または基板特徴の定義���受け入れるように構成されることができる。最終的に、ＵＩは、基板サイズおよび厚さの定義を可能にする、第４のＵＩディスプレイ領域２６７を提供すると見なされる。一実施形態では、印刷された層厚さは、（例えば、それぞれのパネルの各層について）全てのパネルにわたって共通であるが、これは、全ての実施形態に当てはまる必要はない。１つの考慮される実施形態では、厚さは、パネルにつき変動し得、異なる局所的ハーフトーニング密度を使用して影響を受け得る。各層に関して、印刷は、例えば、複数のスキャンを介して、基板にわたって一体の印刷ジョブとして行われ、次いで、基板およびその湿潤インクは、永久層を生成するように硬化チャンバに輸送される。本印刷後硬化プロセスはまた、典型的には、粒子状物質、酸素、または湿気汚染を阻止するように、制御された雰囲気内で行われる。堆積液体が硬化または別様に硬質化された後に、他の層が追加されることができる。
【００４６】
前述のように、例えば、レシピエディタを使用して定義される層データは、例えば、ビットマップとして、未製作レシピデータとして、ベクトル表現を使用して、またはある他の様式において、実施形態に好適な多数の形態で記憶されることができる。一実施形態では、レシピデータは、グレースケール画像（例えば、基板上の各位置のための８ビット値のアレイ）を作成するために使用され、画像内の各グレースケール値は、対応する基板位置で適用されるインクの密度を表し、各グレースケール値は、局所的ハーフトーニングを生成して層厚さを構築するために（すなわち、印刷格子に従って）使用される。実施例が、ここで役立つであろう。一実施形態では、８ビットグレースケール値の行列が、「０」〜「２２５」の８ビット値の行および列を伴って定義される。各値、例えば、「２３５」は、基板の単位面積に対応し、特定の層厚さにマップする。例えば、値「２３５」は、（プロセスおよび材料に応じて）完成した層において７ミクロンの厚さにマップし得る。行列内の全てのグレースケール値が同一の値を共有した場合、これは、比較的均質な層にマップし得るが、値は、パネルにわたって厚さを変動させ、下位幾何学形状（例えば、層の下の構造的空隙）を補充するように、縁蓄積を調整するように、または任意の所望の効果のために、変動させられることができる。グレースケール値割当は、（グレースケール値を所望の厚さに適合させる様式でインクおよびプロセスパラメータに依存して選択される、可変局所的ハーフトーニングを伴って）所望の厚さに「推測計算」されることができるか、または（グレースケール値と固定された関係を持つハーフトーニングを伴って）所望の厚さに事前に較正されることができるかのいずれかである。一実施形態では、堆積インク密度が最終的な層厚さに密接に関係しているように、試験層形成後に（例えば、硬化または乾燥後に）グレースケール値と厚さとの間の相関が測定される。測定されたデータ（または他のフィードバック）に基づいて、次いで、ソフトウェアは、例えば、以下の式を使用して、液滴密度を所望の格子ピッチにマップすることができる。
【数１】
2018137241.tif 000003
本式では、インスキャンピッチは、プリントヘッドと基板との間の相対運動の第１の方向への落下機会の間の間隔を表し、クロススキャンピッチは、本第１の方向と略垂直な（または別様にそれと無関係である）方向への落下機会の間の間隔を表し、パラメータｈ（×１００）は、パーセンテージでのグレースケール値である。一実施形態では、本関係は、ごく最近の測定を強調することに重きを置いて、経時的に変動し得、したがって、プロセスまたは温度等の動的要因のために、特定の機械もしくインク詳細のために、ノズル寿命のために、または他の要因のために、ロバストな実験データを作成するように、インク詳細が継続的に再測定されることができる。明確に、多くの実施例が可能であり、本実施例が示すように、レシピデータから「テンプレート」を生成するように、または実行時に検出された誤差に応じてテンプレートから印刷ジョブをレンダリングするようにのいずれかで、多くの異なるタイプの処理が行われることができる。
【００４７】
図３Ａ−Ｂおよび図４Ａ−Ｇは、種々のレンダリングプロセスについて議論するために使用される。上記で様々に記述されるように、一実施形態では、基板またはパネル全体の線形歪曲を表す誤差が、検出されて補正されることができ、別の実施形態では、基板全体または任意のパネルの非線形歪曲を表す誤差が、検出されて補正されることができる。
【００４８】
図３Ａは、検出された誤差を調節するために、検出されたパネル地形と印刷格子との間のマッピングが最初に定義される（３０３）、フローチャート３０１を提示する。本マッピングは、記憶された「テンプレート」（または未製作層データ）のインスタンスのレンダリングを検出された歪曲に適合させるように生成される。例えば、簡潔に図１Ｂを再び参照すると、基板位置オフセットの場合、そのような格子が、オフセットベクトル１２３に対応する様式で実際のパネル位置に対して（すなわち、誤差に適合して）ピクセル発射パターンを定義するために使用されるであろう。図１Ｃの実施例の場合、マッピングは、角度αだけ回転させられる印刷イメージを表すために十分なサイズの印刷格子の一部を識別または指定し得る。図１Ｄの実施例の場合、マッピングは、（ｋ１）Ｘおよび（ｋ２）Ｙによって拡大縮小される印刷を受容するために十分なサイズである。一般的に言えば、変換は、製品アレイまたは基板の特定の実行の所望の印刷可能領域を包含するよう定義される。例えば、基板歪曲がテンプレート印刷イメージに対して基板規模を増加または減少させる場合には、印刷格子が、増加、減少、または偏移した面積を表す、より多いもしくは少ないノズル位置を特色とし得る。次いで、変換は、任意の基板（例えば、パネル）誤差と位置合わせする様式で印刷データをレンダリングするために使用される。例えば、事前にレンダリングされたテンプレートが繰り返しの印刷実行のために記憶される場合には、本テンプレートは、印刷イメージを任意の検出された実行毎の位置または整合誤差に適合させる様式においてマッピングに対応する（したがって、誤差に対応する）様式で、変換される（すなわち、回転させられる、拡大縮小される、オフセットされる、傾斜される等）ことができる。本変換は、検出されたパネル位置に対応する印刷格子のその部分を識別し（３０５）、次いで、識別された格子点を利用するが、検出された誤差について調節される様式で、キャッシュされたテンプレートデータを修正することによって、行われる。例えば、一実施形態では、数字３０７によって参照されるように、前処理が印刷格子上の各点にＰ（ｘ，ｙ）の発射決定を生成した場合には、検出された製品位置に合致する印刷格子の節点の修正されたプリンタ制御データが、位置誤差ベクトルおよび前処理された発射決定のうちの１つまたはそれを上回るものの分析に依存して判定されることができる。本依存状態は、テンプレートデータの最も近い節点（３０８）、誤差ベクトルに従ったオフセット、または誤整合もしくは位置誤差が格子ピッチの非整数の倍数であり得るため、テンプレートからの２つ、３つ、４つ、または異なる数の発射決定の加重関数（３０９）に対して形成されることができる。一実施形態では、発射決定は、元のテンプレートによって表される印刷格子の単一の節点（すなわち、誤差ベクトルに従ったオフセット）のみに基づき、第２の実施形態では、以下の式に従って、４つの最も近い節点の加重平均に基づく。
【数２】
2018137241.tif 000004
式中、Ｐｎｗ（ｘ，ｙ）、Ｐｎｅ（ｘ＋１，ｙ）、Ｐｓｗ（ｘ，ｙ＋１）、およびＰｓｅ（ｘ＋１，ｙ＋１）は、それぞれ、北西、北東、南西、および南東の格子点決定を表し、ｘおよびｘ’ならびにｙおよびｙ’は、検出された誤差に従って関係付けられる。明確に、これは、１つの誤差保証アルゴリズムにすぎず、多くの代替アルゴリズムが当業者に容易に想起されるであろう。
【００４９】
例えば、誤差を考慮して、仮説的格子点｛Ｐ’（ｘ’，ｙ’）｝（変換されたパネルの特定の格子点を表す）が、キャッシュされたテンプレートの特定のＮＥおよびＳＥ格子点（印刷ピクセル）のそれぞれに最も近く、特定のな対応するＮＷおよびＳＷ格子点（印刷ピクセル）にあまり近くない点に対応する場合、かつこれらのＮＥ、ＳＥ、ＮＷおよびＳＷ点が、それぞれ、（１、１、１、および０）の発射決定に対応した場合には、印刷格子点｛Ｐ’（ｘ’，ｙ’）｝は、｛０．４０＊（１）＋０．４０＊（０）＋０．１０＊（１）＋０．１０＊（１）＝０．６０＞０．５０｝に従って、これら４つの節点までの誤差距離に従って加重される（例えば、「１」の発射決定をＰ’（ｘ’，ｙ’）に割り当てる）発射決定（１、１、１、および０）の関数として、２値発射決定（１または０）を割り当てられ得る。再度、本数学的関係は、例示的にすぎず、多くのアルゴリズムがノズル発射決定を割り当てるために使用され得ることに留意されたい。記述されるように、キャッシュされたテンプレートを使用する、１つの詳細に考慮される実施形態では、発射決定は、ノズル発射決定を処理して変換された画像内の液滴の一貫した数を確実にするために使用される、ソフトウェアアンチエイリアス処理プロセスを伴って、変換された画像からの最も近い単一の重複印刷ピクセルのみに基づく。一実施形態では、記述されるように、アフィン変換が使用される。補正方法にかかわらず、誤差が調節されたプリンタ制御データが作成されると、新しいまたはカスタマイズされた印刷イメージとしてメモリに記憶され（３１１）、完成し、レンダリングされたプリンタ制御データが、実行のためにプリンタに送信される（３１３）。層の完成（３１７）に続いて、次いで、本システムは、（例えば、同一の変換を使用して）次の層または新しい製品実行もしくは基板のために準備される。
【００５０】
数字３１０は、堆積の一貫性を確実にするために使用される鎖線の（随意の）ラッププロセスを指すことに留意されたい。例えば、特定の点Ｐ’（ｘ’，ｙ’）が、ディスプレイの光生成層として使用するための液体を保定するために使用される流体ウェル内に収まり、加重誤差関数が、テンプレートイメージに対してそのウェルの外側に収まったテンプレート印刷ピクセルへの依拠を求めた場合、代わりに、未完成の印刷ウェルと関連付けられる他の印刷ピクセルに依拠するよう、加重関数が偏移させられ得る（すなわち、ラップされる）。そのようなラッププロセスはまた、随意に、並列処理環境内の各コアまたはプロセッサに行われることもでき、例えば、局所的一貫性を維持するために、他のプロセッサの印刷ピクセルを借用する。他の実施例も、可能である。例えば、数字３１３は、いくつかの実施形態では、テンプレートイメージが誤差に従って偏移または歪曲させられ、次いで、基板の所定の領域（例えば、流体ウェル）を処理し、閾値内の準拠について検査するように、ソフトウェアデーモンが呼び出されることを示す。１つのそのようなプロセス（すなわち、アンチエイリアス処理３１４）は、誤差偏移に続いて、総液体が依然として必要規範を満たすことを確実にするように、液滴の数（またはそれぞれの液滴の平均体積を表す、記憶されたデータからの予期される総体積）を単純に検査することを含む。別の変形例では、検証データ、予期される液滴体積または軌道、もしくは他のデータ等のノズルデータが、所望の総値一貫性を確実にするように（例えば、層の均質性を促進するように）、そのようなデーモンによって検査されることができ３１５、プリンタ制御データへの調節が、堆積一貫性を提供するように必要に応じて行われる。記述されるように、多くの異なるプロセスが使用されることができる。
【００５１】
図３Ｂは、記憶されたテンプレートの処理を説明するために使用される、別のフローチャート３５１を図示する。より詳細には、所望の層を表す情報が、最初にテンプレートからロードされる（３５３）。一実施形態では、本情報は、未製作レシピデータを含み、第２の実施形態では、情報は、ノズル発射命令を表すビットマップを含み、第３の実施形態では、情報は、例えば、これら２つの形態の中間である、ある他の形式によって表される。次いで、本システムは、実際（検出された）パネルまたは基板位置にわたってテンプレートによって表される印刷をマップするために必要とされる、変換パラメータを計算する（３５５）。次いで、これらのパラメータは、変換された表現を生成するように適用される（３５７）。随意のプロセスブロック３５９によって示唆されるように、一実施形態では、プリンタ制御データのレンダリングが、実行時に、変換パラメータに従ってレシピデータ（すなわち、テンプレートとして記憶される）に直接行われることができる。記述されるように、一実施形態では、１つまたはそれを上回るアフィン変換が使用されることができる（３６０）。次いで、変換された表現は、レンダリングされたビットマップとして出力され（３６１）、ラスタデータを生成するために使用される（３６３）。変換された表現は、単位面積のインク密度または総体積の一貫性について、もしくは他の品質制御理由で、チェックされることができる（３６３）。任意の補正を受けて、次いで、本データがプリンタに出力され（３６３）、方法が終了する（３６５）。
【００５２】
図４Ａは、１つの例示的印刷格子およびキャッシュされたビットマップに適用されるような変換を説明するために使用される、実施例４０１を提供する。理想的な（すなわち、誤差がない）「ビットマップ」印刷イメージのための印刷格子が、数字４０３によって参照される。（例えば、数字４０４による）その印刷格子内の各「ボックス」は、格子点によって定義される印刷「ピクセル」を表し、ボックス内の「Ｘ」は、プリントヘッドが下位基板に対して移動させられると、印刷ノズルが対応する格子点において液滴を発射するものであることを表す。同様に、空である（すなわち、「Ｘ」を有していない）と見なされる「ボックス」またはピクセル４０５は、印刷ノズルがその位置にわたって発射しないであろうことを表す。図４Ａの最上部は、（数字４０９によって識別されるような）個々の三角が各ノズルを表す、プリントヘッド４０７の表現を示す。プリントヘッドが基板に対して移動すると、各所定のノズルは、それぞれ異なる時点で、一連の印刷ピクセル（離散液滴発射点）を通過し得る。実施例として、ノズル４１０は、図面のページに対して下向きに移動させられると、印刷ピクセル４０４に対応する領域（そこで発射される）、後に、印刷ピクセル４０５に対応する領域（そこで発射されない）を通過する。ビットマップ４０３は、事前に定義され、反復可能製造プロセスで使用するためにテンプレートとしてメモリに記憶される。
【００５３】
図４Ｂは、製品の事例が、例えば、基板の位置誤差により、テンプレートに対してオフセット位置にあると見なされる、実施例４１１を提供する。本オフセットに基づいて（４１３）、正確な位置合わせのために印刷を受容するはずである領域は、数字４１２によって表される。理想的な印刷イメージ４０３によって提供されるノズル発射命令が調節されないままである場合には、下位製品幾何学形状と誤整合である様式で、印刷が起こるであろう。したがって、印刷が適切な位置で起こるように、テンプレートを調節することが所望される。この点に関して、図４Ａからのテンプレートは、誤差を軽減するよう、個々の基板、パネル、または他の製品領域と動的に整合させられるように（例えば、位置のシフトによって）実行時に歪曲され得る。
【００５４】
図４Ｃは、検出された製品位置に重なり合う印刷格子４２２の一部の実施例４２１を提供する。本実施形態では、これは、図４Ａによって表されるものと同一の印刷格子であるが、検出された製品位置に対応する節点を伴うことに留意されたい。もう一度、各描写された節点は、基板に対するその運動においてプリントヘッド４０７によって通過されるであろう印刷ピクセルを定義し、各「ボックス」（印刷ピクセル４１９等）は、プリントヘッドノズルおよびノズル発射時間に対応する。一実施形態では、特定のノズルは、事前に判定される（例えば、テンプレートと関連付けられるスキャンもまた、特定の製品事例に使用されるであろう）が、これは、全ての実施形態に必要とされるわけではない。しかしながら、位置オフセット（４１３）は、プリントヘッドノズルインスキャンまたはクロススキャンピッチと正確に整合しない場合があることに留意されたい。したがって、ソフトウェアは、印刷格子４２２に対して検出された製品位置を効果的に重ね合わせ、オフセット４１３に従って、元のテンプレート画像のシフトしたバージョンに基づいて、本オーバーレイのための発射決定を行う。各印刷ピクセルは、本実施例では、オフセット４１３に応じて、元のテンプレート印刷イメージの最大４つの印刷ピクセルに対応して（重なって）もよい。
【００５５】
例えば、図４Ｂおよび４Ｃは、検出された製品位置の印刷ピクセル４１９が、数字４１５および４１７によって表されるように、（誤差４１３を考慮して）４つ／２つのテンプレート印刷ピクセルの中間の点に対応する、２つの事例を示す。種々の実施形態に関して、任意の数の近くのピクセルが加重関数で適用され得ることに留意されたい。一実施形態では、単一の「最も近い」ピクセルのみが使用され、第２の実施形態では、（例えば、数字４１７により）「２つの」隣接するピクセルが使用されることができる一方で、第３の実施形態では、異なる数の近くのピクセル（例えば、「９」）が使用されることができ、すなわち、開示される技法は、４つのテンプレート印刷ピクセルの加重平均の考慮に限定されると見なされるべきではない。２つの印刷ピクセルの実施例４１７は、２より多い、２未満、または２に等しいかどうかにかかわらず、かつ複数のピクセルの加重平均に基づくかどうかにかかわらず、任意の数のピクセルの代理としての機能を果たす。参照されたピクセルセットに基づいて、印刷ピクセル４１９について決定が行われ、いったん図４Ｃで見られる全ての格子点に行われると、これは、実際の製品位置に対応するように図４Ａからのデータを効果的に「変換」する。いったん本プロセスが完了すると、次いで、ラスタ化（例えば、スキャン計画）が、適宜に行われ、次いで、印刷が、検出された製品位置に基づいて実行される。上記のプロセスは、元のテンプレート印刷イメージによって表される任意のインク密度を、特定の印刷実行において検出されるようなシフトした製品幾何学形状上に正確にマップする。
【００５６】
図４Ｄおよび４Ｅは、それぞれ、意図しない製品（アレイ、製品、基板、またはパネル）回転の場合のビットマップ処理を図示する、実施例４３１および４４１を提供する。図４Ｄで見られるように、数字４３５により、基板またはその一部が角度αだけ配向不整であることが仮定される。したがって、適切な印刷のために、印刷ノズル発射パターンはまた、輪郭４３３によって表されるように、本同一値に従って歪曲されるはずである。図４Ｅは、検出された製品／パネル位置に対応する印刷格子領域を強調表示する。所望の印刷領域が基板に対して回転させられる一方で、プリントヘッド４０７およびノズル（ノズル４０９等）はそれぞれ、液滴が発射され得る規則的印刷格子を定義し得ることに留意されたい。もう一度、印刷格子の各格子点（または印刷ピクセル）に関して、ソフトウェアは、元のテンプレートイメージをシフトさせて重ね合わせ、次いで、その格子点の加重ピクセル発射決定を得るために、元のテンプレートの任意の重ね合わせられた印刷ピクセルに加重する。本動作は、例えば、図４Ｅの印刷ピクセル４４３、ならびに４つのテンプレート格子点４４５または２つのテンプレート格子点４４７の関連（例証的）処理を参照して表される。もう一度、２つの格子点の実施例４４７は、単純に、代替実施形態がキャッシュされたテンプレート印刷イメージの任意の数の参照を使用できることを示すように引用される。
【００５７】
図４Ｆおよび４Ｇは、それぞれ、スケーリング誤差の場合の処理を図示する、実施例４５１および４６１を提供する。もう一度、数字４０３は、特定の地形のためのテンプレートを指し、数字４５５は、スケーリングベクトル４５７に従って、新しい層を所望の製品設置面積と適切に整合させるように印刷を受容するはずである設置面積を表す。そのような実施例では、新しい印刷格子が、数学的乗算プロセスによって、スケーリングベクトルに従って効果的に定義される。印刷格子はまた、効果的にサイズが拡大縮小されることに加えて、基板位置に従って可変オフセットも潜在的に使用することに留意されたい。印刷される製品またはパネルの設置面積への両次元の増加を仮定すると、効果は、重ね合わせられたテンプレートイメージのピクセルが、サイズを増加させられる場合の通りである（例えば、図４Ｇで表せられるようなテンプレート印刷イメージピクセル４６５および／または４６７の描写されたサイズを図４Ｅで描写される印刷イメージピクセル４４５および４４７と比較する）。
【００５８】
図４Ｈおよび４Ｉは、傾斜補償を対象にした説明図を示す。数字４７５は、傾斜調節式４７７に従って、新しい層を所望の製品設置面積と適切に整合させるように印刷を受容するはずである設置面積を表す。傾斜の量は、歪曲されている対象の高さに従って変動することに留意されたい。補償されている誤差が基板にわたって一様な傾斜に対応する場合には、「Ｙ」次元（図を横断して左から右）内の歪曲の量は、基板縁から得られる「Ｘ」次元値に応じて変動する。本実施例におけるＸ座標変換は、統一である（すなわち、変化がない）が、一般に、本結果は傾斜の配向に応じて異なるであろうことに留意されたい。テンプレートは、式４７７に従った数学的乗算プロセスによって、スケーリングベクトルに従って拡大縮小され、検出された製品規模に対応する印刷格子に対して効果的に重ね合わせられる。重ね合わせられた格子の各印刷格子点の発射値は、加重基準に従って、（例えば）１つ、２つ、４つ、または別の数の重複もしくは近傍印刷ピクセルに基づいて、式４７７（すなわち、スケーリングの逆数）に従って計算される。これは、テンプレートの加重されて位置的に重ね合わせられた印刷ピクセル４８５または４８７に対する印刷格子点４８３の描写された合致によって、図４で表される。再度、各格子点は、図面のページに対して垂直に移動させられる際のプリントヘッド４０７の（例えば、数字４０９によって参照される）ノズルの可能な発射位置を表す。
【００５９】
描写される実施例では、印刷格子の他の部分に対してテンプレート印刷ピクセルの一貫した数（例えば、４）によって必ずしも加重されるわけではない、印刷格子の設置面積の縁に隣接する印刷ピクセルがあることに留意されたい。新しい設置面積の境界領域に隣接する液滴の表現の不足を回避するために、縁格子点は、有利なことには、適切な液滴密度を確実にするアルゴリズム（例えば、設置面積の反対側からのピクセルのラッピング）を使用することができる。描写された設置面積（例えば、４７５）が所望の層の境界を表す状況では、次いで、所望であれば、以前に参照されたように、明確に定義された縁を確実にするように、縁プロセス（例えば、フェンシング）が適用されることができる。他の技法および変形例も、可能である。
【００６０】
一実施形態では、ビットマップは、各値がインクの体積または所望の厚さを表す、グレースケール値（例えば、８ビットまたは他のマルチビット値）から成り得ることが、以前に記述された。上記で説明される処理はまた、単純に、適切な距離尺度およびグレースケール規模によりテンプレートの各グレースケール値に加重することによって、そのようなグレースケール値に適用されることもできる。例えば、再度、正規化された重複領域に従って、４０％をテンプレートのＮＥおよびＳＥ格子点（印刷ピクセル）のそれぞれにマップし、そのテンプレートのＮＷおよびＳＷ格子点の１０％をマップする、検出された製品幾何学形状の仮説的格子点｛Ｐ’（ｘ’，ｙ’）｝の実施例を使用して、ＮＥ、ＳＥ、ＮＷ、およびＳＷ点が、それぞれ、（２３５、２３５、１５０、および０）のグレースケール決定を有する場合には、仮説的格子点｛Ｐ’（ｘ’，ｙ’）｝が、｛０．４０＊（２３５）＋０．４０＊（２３５）＋０．１０＊（１５０）＋０．１０＊（０）＝２０３｝に従って、２０３のグレースケール値を割り当てられ得る。本尺度はまた、所望であれば、個々の印刷格子注釈のためのソフトウェアによって、任意の所望の閾値との比較を介して、２値発射決定に直接変換されることができる（例えば、「１」＝２０３＞Ｔｈであれば発射する）。これらの関係は、例示的にすぎず、カスタマイズされた印刷イメージにおいてノズル発射決定を割り当てるために、多くのアルゴリズムが使用され得ることに留意されたい。前述のように、少なくとも１つの考慮されるシステムでは、測定されたノズル毎、駆動波形毎の液滴詳細が、本プロセスの考慮に入れられることができる（例えば、所望のプリントヘッドスキャンオフセットを仮定して、Ｐ’（ｘ’，ｙ’）に対応するノズルが、重い液滴、例えば、体積＝１２．４ｐＬを発射するという事実は、Ｐ’（ｘ’，ｙ’）の液滴を代わりに発射するように異なるノズルを割り当てる際に、依拠され得るか、または逆に、Ｐ’（ｘ’，ｙ’）のために、異なるプリントヘッドオフセット、したがって、異なるノズルを採用するよう、スキャンが再計画されることができる）。他の変形例も、可能である。
【００６１】
印刷イメージを変換するための方法が紹介されているが、ここで本開示は、製品の１つまたはそれを上回る層を製作するために工業用プリンタで使用される印刷およびプリントヘッドと関連付けられる、ある例示的回路について議論する。
【００６２】
上記で議論される図では、簡略化されたプリントヘッド（例えば、図４Ａ−４Ｉの数字４０７によって参照される）が、例えば、２０個等の比較的少数のノズルを有するものとして描写された。実際、特に大型製品のための典型的製造動作に関して、プリントヘッドは、複数の行に配列された、例えば、何千ものはるかに多数のノズルを有し得る。例えば、全体で、何千または何万もの印刷ノズルが、基板の比較的広い帯状部分を横断して材料を噴出するために使用されるように、共通アセンブリに搭載された複数のそのようなプリントヘッドがあり得る。本構造は、高度に正確な位置分解能を伴う高品質インク液滴送達を提供する。各プリントヘッドは、液滴につき公称量のインク（例えば、１０ピコリットルまたは１０．００ｐＬ）を堆積させることが予期されるが、実践では、本数は、ノズル位置、液滴速度、および液滴放出軌道が変動し得るように、ノズル間で変動し得る。これらの変動は、潜在的に、堆積層の欠陥であって、チェックされないままにされた場合、完成した製品の品質に引き継がれ得る欠陥を引き起こし得る。
【００６３】
一実施形態では、所望の層をより正確に製作するために、各ノズルの液滴詳細が測定され、これらのパラメータのそれぞれに対する各ノズルの性能の統計モデルを作成するために使用される。繰り返しの測定は、測定誤差を効果的に平均化し、各パラメータの平均およびシグマの比較的正確な理解を深めることに役立ち、種々の技法が、上記で参照される変動に対処するために使用される。一般的に言えば、これらの技法は、変動を活用し、測定されたノズル毎または液滴毎の平均および関連シグマに基づいて、特定のインク充填、インク充填密度、ならびに液滴分布を達成することを目的としている、精密に計画された液滴堆積を提供する。ハーフトーニング（すなわち、インク密度）および／またはテンプレート調節は、正常に作動しないノズルおよび／または液滴位置ならびに／もしくは体積の変動が補正され得るように、そのような変動を組み込むことができる（または補正されることができる）。本明細書で使用されるような「ハーフトーニング」は、すなわち、たとえ「色調」が正確な意味において使用されなくても（すなわち、「インク」または堆積液体が典型的には無色である）、層厚さに影響を及ぼすように液滴密度（例えば、印刷格子節点のグループあたりの液滴の数）を変動させることを指すことに留意されたい。以下で説明される１つの技法では、複数の（代替的）電気駆動波形が、標的液滴体積および位置（理想的な標的液滴体積および位置に近似する少なくとも１つの選択を含む）を変動させる／送達する選択的能力を提供するように、ノズル毎の基準で選択のために利用可能にされる。統計的測定は、計画の高い精度を提供するよう、各そのような波形について、および各ノズルについて行われることができる。これらの測定は、インク性質（例えば、粘度）の変化に適応し、温度変化、ノズルの詰まりまたは寿命、および他の要因を考慮するよう、経時的に更新もしくは再実施されることができる。以下の節では、本理解を提供する測定能力が紹介される。印刷格子の使用に関する前述の議論を簡潔に熟考すると、各格子点は、プリントヘッドのノズルと関連付けられるであろう。上記で参照される測定能力は、例えば、正常に作動しないノズルがプリントヘッド通過における発射決定を割り当てられないように（および／または任意の必要液滴が他のノズルに再分配されるように）、本プロセスで適用されることができる。加えて、液滴の「Ｘ」軸位置の差異は、液滴タイミングを変更して液滴をより良く位置付けるか、またはそれらの体積を変化させるよう、参照される代替ノズル駆動波形の使用を通して、もしくは事前選択された波形を調整または増幅することを通して、補正されることができる。これらの実践についての実質的な付加的詳細が、（参照することによって本明細書に組み込まれている）以前に参照された本出願で提供される。
【００６４】
図５Ａ−５Ｄは、ノズル発射および駆動波形選択に対する制御を紹介するために使用される。
【００６５】
典型的には、異なる駆動波形および結果として生じた液滴量の効果は、事前に測定される。一実施形態では、各ノズルについては、次いで、最大１６個の異なる駆動波形が、後に、ソフトウェアによって選択されるような離散量変動を提供する際に選択的に使用するために、ノズルあたり１ｋのスタティックランダムアクセスメモリ（ＳＲＡＭ）に記憶される。異なる駆動波形が手元にあると、次いで、各ノズルは、特定の駆動波形を達成するデータのプログラミングを介して、どの波形を適用するかに関して液滴毎に指示される。本構成情報は、基板に適用されるであろう発射決定からプランタ（または制御プロセッサ）によって別個に記憶される。
【００６６】
図５Ａは、概して、数字５０１によって指定される、１つのそのような実施形態を図示する。詳細には、印刷される材料の特定の層に対する標的領域あたりの意図された充填量を定義するデータを受信するために、プロセッサ５０３が使用される。数字５０５によって表されるように、本データは、格子点または位置アドレスあたりの液滴量を定義する、レイアウトファイルまたはビットマップファイルであり得る。一連の圧電変換器５０７、５０８、および５０９は、それぞれ、ノズル駆動波形およびプリントヘッド間製造変動を含む、多くの要因に依存する、関連放出液滴量５１１、５１２、および５１３を生成する。較正動作中に、変数のセットのそれぞれは、使用されるであろう特定のインクを考慮して、ノズル間変動および異なる駆動波形の使用を含む、液滴量に及ぼすその効果について試験される。所望であれば、本較正動作は、例えば、温度、ノズルの詰まり、ノズル寿命、または他のパラメータの変化に応答するように、動的にされることができる。本較正は、印刷計画および次の印刷を管理する際に使用するために、測定データをプロセッサ５０３に提供する、液滴測定デバイス５１５によって表される。一実施形態では、本測定データは、オフラインプロセスとして、（例えば、何千個ものプリントヘッドノズルおよび潜在的に多数の可能なノズル発射波形について）文字通り数分、例えば、何千個ものノズルについてはわずか３０分、好ましくはさらに少ない時間を要する、動作中に計算される。別の実施形態では、そのような測定は、反復して、つまり、各ノズルについて、異なる時点で（例えば、基板が装填および非装填されるにつれて、組立ラインプロセスにおいて連続基板の間で）ノズルの異なるサブセットを更新する様式で行われることができる。非撮像（例えば、干渉）技法が、随意に使用されることができ、毎秒何十から何百ものノズルを覆って、ノズルにつき何十回もの液滴測定を潜在的にもたらす。本データおよび任意の関連統計的モデル（および平均）は、受信されたときにレイアウトデータまたは印刷イメージ（例えば、ビットマップデータ）５０５を処理する際に使用するために、メモリ５１７に記憶されることができる。１つの実装では、プロセッサ５０３が、実際のプリンタから遠隔にあるコンピュータの一部である一方で、第２の実装では、プロセッサ５０３は、製品用の製作機構（例えば、ディスプレイを製作するためのシステム）またはプリンタのいずれか一方と統合される。
【００６７】
描写される実施形態について液滴の発射を行うために、１つまたはそれを上回るタイミングまたは同期化信号５１９のセットが、基準として使用するために受信され、これらは、特定のノズル（それぞれ、５２７、５２８、および５２９）に対する駆動波形を生成するように、各ノズルドライバ５２３、５２４、および５２５に配信するためにクロックツリー５２１を通過させられる。各ノズルドライバは、それぞれ、プロセッサ５０３からマルチビットプログラミングデータおよびタイミング情報を受信する、１つまたはそれを上回るレジスタ５３１、５３２、および５３３を有する。各ノズルドライバおよびその関連レジスタは、それぞれ、レジスタ５３１、５３２、および５３３をプログラムする目的で、１つまたはそれを上回る専用書き込み許可信号（ｗｅｎ）を受信する。一実施形態では、レジスタのそれぞれは、複数の所定の波形を記憶する１ｋスタティックＲＡＭ（ＳＲＡＭ）を含む、かなりの量のメモリと、これらの波形の間で選択し、別様に波形生成を制御するプログラム可能レジスタとを備える。プロセッサからのデータおよびタイミング情報は、マルチビット情報として描写されるが、本情報は、各ノズルへの直列または並列ビット接続のいずれか一方を介して提供されることができる（以下で議論される図５Ｂで見られるように、一実施形態では、本接続は、図５Ａで見られる並列信号表現とは対照的に直列である）。
【００６８】
所定の堆積、プリントヘッド、またはインクについて、プロセッサは、液滴を生成するために選択的に適用されることができる、１６個の駆動波形のセットを各ノズルのために選択する。本数は、恣意的であり、例えば、ある設計では、４つの波形が使用され得る一方で、別の設計では、４０００個の波形を使用され得ることに留意されたい。これらの波形は、有利なことには、各ノズルに対する出力液滴量および／または位置の所望の変動を提供するように、例えば、略理想的な液滴量（例えば、１０．００ｐＬの平均液滴量）を生成する少なくとも１つの波形選択を各ノズルに行わせるように、ならびに各ノズルから一連の意図的な量変動を提供するように選択される。種々の実施形態では、１６個の駆動波形の同一のセットが、ノズルの全てに使用されるが、描写される実施形態では、各波形がそれぞれの液滴体積特性を与える、１６個のおそらく一意の波形が、それぞれ別個に各ノズルについて事前に定義される。
【００６９】
印刷中に、各液滴の堆積を制御するために、次いで、事前定義された波形のうちの１つを選択するデータが、ノズル毎の基準で、各ノズルのそれぞれのレジスタ５３１、５３２、または５３３にプログラムされる。例えば、１０．００ｐＬの標的液滴量を考慮すると、ノズルドライバ５２３は、レジスタ５３１へのデータの書き込みを通して、１６個の異なる液滴量のうちの１つに対応する、１６個の波形のうちの１つを設定するように構成されることができる。ノズル毎の（および波形毎の）液滴体積および関連分布がプロセッサ５０３によって登録され、所望の標的充填を生成することを補助してメモリに記憶されると、各ノズルによって生成される体積は、液滴測定デバイス５１５によって測定されているであろう。本同一プロセスは、液滴位置または軌道について行われることができる。プロセッサは、レジスタ５３１をプログラムすることによって、特定のノズルドライバ５２３に１６個の波形のうちのプロセッサが選択した１つを出力させたいかどうかを定義することができる。プロセッサはまた、所定のスキャン線のためのノズルの発射へのノズルあたりの遅延またはオフセットを利用するように（例えば、各ノズルをプリントヘッドによって横断される格子と整合させるように、速度または軌道誤差を含む誤差を補正するように、および他の目的で）レジスタをプログラムすることもでき、本オフセットは、各スキャンのためのプログラム可能な数のタイミングパルスによって特定のノズル（または発射波形）の使用を調節する、カウンタによって達成される。実施例を提供すると、液滴測定の結果が、１つの特定の液滴が期待より低い速度を有する傾向があることを示す場合には、対応するノズル波形が、より早くトリガされる（例えば、圧電作動に使用されるアクティブ信号レベルの前の無駄時間を短縮することによって、時間的に前進させられる）ことができ、逆に、液滴測定の結果が、１つの特定の液滴が比較的高い速度を有することを示す場合には、波形は、以降でトリガされることができる等である。他の実施例が明確に可能であり、例えば、いくつかの実施形態では、駆動強度（すなわち、所定のノズルの圧電アクチュエータを駆動するために使用される信号レベルおよび関連電圧）を増加させることによって、遅い液滴速度が妨げられ得る。一実施形態では、全てのノズルに配信される同期信号は、同期化の目的で、定義された時間間隔（例えば、１マイクロ秒）で生じ、別の実施形態では、同期信号は、例えば、プリントヘッドと基板との間の１ミクロン毎の漸進的相対運動を発射するように、プリンタ運動および基板地形に対して調節される。高速クロック（φｈｓ）が、例えば、１００メガヘルツ、３３メガヘルツ等で、同期信号より何千倍も速く作動させられ、一実施形態では、複数の異なるクロックまたは他のタイミング信号（例えば、ストロボ信号）が、組み合わせて使用されることができる。プロセッサはまた、格子間隔を定義する値もプログラムし、ある実装では、格子間隔は、利用可能なノズルの集合全体に共通するが、これは各実装に当てはまる必要はない。例えば、場合によっては、全ノズルが「５ミクロン毎に」発射するものである、規則的な印刷格子が定義されることが���きる。本格子は、印刷システム、基板、または両方に特有であり得る。したがって、１つの随意的な実施形態では、先験的に未知である基板地形に合致するように印刷格子を効果的に変換するために使用される、同期周波数またはノズル発射パターンを用いて、特定のプリンタについて印刷格子が定義されることができる。別の考慮される実施形態では、プロセッサが、次いで、（例えば、不規則な印刷格子を定義するように）全てのノズルから読み出される新しい格子間隔を（要求に応じて）選択することができるように、全てのノズルにわたって共有される、いくつかの異なる格子間隔（例えば、１６）を、プロセッサが事前に記憶することを可能にするメモリが、全てのノズルにわたって共有される。例えば、（例えば、非色特有の層を堆積させるように）ノズルがＯＬＥＤの全ての色成分ウェルのために発射するものである、実装では、３つまたはそれを上回る異なる格子間隔を、プロセッサによってラウンドロビン様式で連続的に適用されることができる。明確に、多くの設計代替案が可能である。プロセッサ５０３はまた、動作中に各ノズルのレジスタを動的に再プログラムされることもでき、すなわち、同期パルスは、そのレジスタの中で設定される任意のプログラムされた波形パルスを起動するトリガとして適用され、新しいデータが次の同期パルスの前に非同期的に受信された場合には、新しいデータが次の同期パルスとともに適用されるであろうことに留意されたい。プロセッサ５０３はまた、同期パルス生成（５３６）のためのパラメータを設定することに加えて、スキャンの開始および速度（５３５）を制御する。加えて、プロセッサは、プリントヘッドの随意の回転（５３７）を制御する。このようにして、各ノズルは、任意の時間に（すなわち、任意の「次の」同期パルスとともに）各ノズルに対する１６個の異なる波形のうちのいずれか１つを使用して、一斉に（または同時に）発射することができ、選択された発射波形は、１回のスキャン中に発射間で動的に、１６個の異なる波形のうちのいずれかの他方と切り替えられることができる。
【００７０】
図５Ｂは、各ノズルに対する出力ノズル駆動波形を生成するためにそのような実施形態で使用される、回路（５４１）の付加的な詳細を示し、出力波形は、図５Ｂで「ｎｚｚｌ−ｄｒｖ．ｗｖｆｍ」として表される。より詳細には、回路５４１は、同期信号、シリアルデータ（「データ」）を搬送する単一のビット線、専用書き込み許可信号（ｗｅ）、および高速クロック（φｈｓ）の入力を受信する。レジスタファイル５４３は、それぞれ、初期オフセット、格子定義値、および駆動波形ＩＤを伝える、少なくとも３つのレジスタのデータを提供する。初期オフセットは、記述されるように、印刷格子の開始と整合するように各ノズルを調節する、プログラム可能な値である。例えば、複数のプリントヘッド、ノズルの複数の行、異なるプリントヘッド回転、ノズル発射速度およびパターン、ならびに他の要因等の実装変数を考慮すると、初期オフセットは、遅延および他の要因を考慮するように、各ノズルの液滴パターンを印刷格子の開始と整合させるために使用されることができる。オフセットは、例えば、基板地形に対して印刷格子またはハーフトーンパターンを回転させるように、もしくは基板の誤整合を補正するように、複数のノズルにわたって異なる方法で適用されることができる。同様に、記述されるように、オフセットはまた、異常な速度または他の効果を補正するために使用されることもできる。格子定義値は、プログラムされた波形がトリガされる前に「数えられる」同期パルスの数を表す数であり、フラットパネルディスプレイ（例えば、ＯＬＥＤパネル）を印刷する実装の場合に、印刷される標的領域は、おそらく、規則的な（一定の間隔）または不規則的な（複数の間隔）印刷格子に対応する、異なるプリントヘッドノズルに対して１つまたはそれを上回る規則的な間隔を有する。前述のように、ある実装では、プロセッサは、要求に応じて全てのノズルのためのレジスタ回路に読み出すことができる、最大１６個の異なる印刷格子間隔を定義するように、独自の１６エントリＳＲＡＭを保つ。したがって、印刷格子間隔値が２（例えば、２ミクロン毎）に設定された場合には、各ノズルは、この間隔で発射されるであろう。駆動波形ＩＤは、各ノズルに対する事前に記憶された駆動波形のうちの１つを選定するように使用される、選択値である。一実施形態では、駆動波形ＩＤは、４ビット選択値であり、各ノズルは、１６×１６×４Ｂエントリとして記憶される、最大１６個の所定のノズル駆動波形を記憶するように、独自の専用１ｋバイトＳＲＡＭを有する。簡潔には、各波形は、１６個の離散信号レベルから成り、各波形に対する１６個のエントリのそれぞれは、プログラム可能な信号レベルを表す４バイトを含有し、これらの４バイトは、高速クロックのパルスの数を数えるために使用される、２バイトの分解能電圧レベルおよび２バイトのプログラム可能な持続時間を表す。したがって、各プログラム可能な波形は、（０〜１個の）離散パルスから、それぞれプログラム可能な電圧および持続時間の（例えば、３３メガヘルツクロックの１〜２５５個のパルスに等しい持続時間の）最大１６個までの離散パルスから成ることができる。
【００７１】
数字５４５、５４６、および５４７は、どのようにして所定のノズルに対して規定波形が生成され得るかを示す、回路の一実施形態を指定する。第１のカウンタ５４５は、新しい線スキャンの開始によってトリガされる、初期オフセットのカウントダウンを開始するように、同期パルスを受信する。第１のカウンタ５４５は、ミクロン増分でカウントダウンし、ゼロに達するとき、トリガ信号が第１のカウンタ５４５から第２のカウンタ５４６に出力される。本トリガ信号は、本質的に、各スキャン線に対する各ノズルの発射プロセスを開始する。次いで、第２のカウンタ５４６は、ミクロンの増分でプログラム可能な格子間隔を実装する。第１のカウンタ５４５が、新しいスキャン線と併せてリセットされる一方で、第２のカウンタ５４６は、その出力トリガに続いて、高速クロックの次のエッジを使用してリセットされる。第２のカウンタ５４６は、トリガされたとき、特定のノズルに対する選択された駆動波形形状を生成する、波形回路発生器５４７を起動する。発生器回路の下で見られる、鎖線のボックス５４８−５５０によって表されるように、本後者の回路は、高速クロック（φｈｓ）に従って時期を決定される、高速デジタル・アナログ変換器５４８、カウンタ５４９、および高電圧増幅器５５０に基づく。第２のカウンタ５４６からのトリガが受信されると、波形発生器回路は、駆動波形ＩＤ値によって表される数のペア（信号レベルおよび持続時間）を取り出し、信号レベル値に従って所定のアナログ出力電圧を生成し、カウンタ５４９は、カウンタに従って持続時間のＤＡＣ出力を保持するために効果的である。次いで、関連出力電圧レベルが、高電圧増幅器５５０に適用され、ノズル駆動波形として出力される。次いで、次の数のペアが、次の信号レベル値／持続時間等を定義するように、レジスタ５４３からラッチされる等である。
【００７２】
描写された回路は、プロセッサ５０３によって提供されるデータに従って、任意の所望の波形を定義する効果的な手段を提供する。格子の幾何学形状に準拠すること、または異常な速度または飛行角度を伴うノズルを軽減することが必要な場合、任意の特定の信号レベル（例えば、同期に対するオフセットを定義する第１の「０」信号レベル）と関連付けられる持続時間および／または電圧レベルが、調節されることができる。記述されるように、一実施形態では、プロセッサは、事前に波形のセット（例えば、ノズルあたり１６個の可能な波形）を決定し、次いで、これらの選択された波形のそれぞれの定義を、各ノズルのドライバ回路用のＳＲＡＭに書き込み、次いで、４ビット駆動波形ＩＤを各ノズルレジスタに書き込むことによって、発射決定に応答して適用されるプログラム可能な波形のデフォルト選択が達成される。
【００７３】
パルスを成形するための複数の信号レベルの使用が、図５Ｃを参照して議論される。
【００７４】
つまり、一実施形態では、波形が、例えば、デジタルデータによって定義される、一連の離散信号レベルとして事前に定義されることができ、駆動波形が、デジタル・アナログ変換器（ＤＡＣ）によって生成される。図５Ｃの数字５５１は、離散信号レベル５５５、５５７、５５９、５６１、５６３、５６５、および５６７を有する、波形５５３を参照する。本実施形態について記述されるように、各ノズルドライバは、最大１６個の異なる信号波形を受信して記憶する回路を含み、各波形は、それぞれマルチビット電圧および持続時間として表される、一連の最大１６個の信号レベルとして定義される。すなわち、パルス幅は、１つまたはそれを上回る信号レベルについて異なる持続時間を定義することによって、効果的に変動させられることができ、駆動電圧は、微妙な液滴サイズ変動を提供するように選定される様式で波形成形されることができ、例えば、液滴体積は、０．１０ｐＬの単位等で特定の体積漸次増分を提供するように測定される。したがって、そのような実施形態で、波形成形は、標的液滴体積値に近づくように液滴体積を調整する能力を提供する。上記で例示される技法を使用する等、他の特定の液滴体積および位置と組み合わせるとき、これらの技法は、標的領域あたりの精密な充填体積を促進する。別の実施形態では、所定の波形が適用されることができ、随意のさらなる波形成形またはタイミングが、液滴体積、速度、および／または軌道を調節するように、適宜に適用される。さらに別の実施例では、ノズル駆動波形代替案の使用は、さらなる波形成形が必要ではないように、体積を計画する機構を提供する。
【００７５】
図５Ｄは、さらに別の設計５７１を示す。例えば、マスタコンピュータのＣＰＵ５７３は、複数のプリントヘッド（例えば、それぞれ何百もの印刷ノズルを有する、６つの異なるプリントヘッドのうちの１つ）を有する印刷モジュールに（誤差について調節された）印刷データを送信する。印刷モジュールにおいて、イーサネット（登録商標）接続５７５は、ＣＰＵからデータを受信し、そのデータをフィールドプログラマブルゲートアレイ（「ＦＰＧＡ」）５７７に提供する。ＦＰＧＡ内のカスタマイズされた「ソフトプロセッサ」（５７８）は、適宜にデータを処理し、そのデータをメモリ（すなわち、ダイナミックランダムアクセスメモリまたは「ＤＲＡＭ」）５７９に書き込む。上記で説明される実施形態と異なり、描写される実施形態では、波形が、１つまたはそれを上回るノズルによって使用するためにメモリに書き込まれ、データが書き込まれ、または記憶される、特定の形態が、実装決定であり得る。例えば、一実施形態では、ソフトプロセッサ５７８は、各ノズルの一連の駆動レベル（例えば、図５Ｃに関連する上記の議論を参照）として特定の波形を書き込み、次いで、他のＦＰＧＡ論理５８０は、適切な時間に本データを読み出し、これを増幅器５８１に提供し、最終的に、関連プリントヘッド５８３および関連ノズルドライバに提供する。１つの実装では、描写されるＦＰＧＡ５７７およびＤＲＡＭ５７９は、各プリントヘッドの構成要素である（例えば、データが各プリントヘッドに別個に伝送される）が、これは全ての実施形態に当てはまるわけではない。論理５８０および増幅器５８１の１つの機能は、すなわち、（必要に応じて、または設計に適宜に）並行して適切な時間に各ノズルについてともに読み出され得るように、適切な波形を並列形態にすることであることに留意されたい。１つの実装では、ＤＲＡＭ５７９は、随意に、各ノズルのために別個のメモリを有するように編成されることができる。本実施形態では、トリガを使用する代わりに、各ノズルが１６個の波形のうちの１つを受信する（すなわち、１つの波形が、特定のノズルが発射されないものであることを示す、平坦な波形またはゼロ駆動信号である）ことに留意されたい。特定の駆動波形は、ＣＰＵ５７３によって動的に供給され、または事前に書き込まれることができ（すなわち、しかし動的に変更可能であり得る）、実行時４ビット値が、ノズル発射決定および関連波形選択を提供する（ならびにＤＲＡＭ５７９または論理５８０からその波形の出力をトリガする）ために使用される。他の代替案も、可能である。
【００７６】
このようにして、例示的製造デバイスで使用され得るようなノズル制御回路が紹介されているが、ここで、付加的詳細が、そのようなデバイスの１つの可能な実装に関して提示される。以前に示唆されたように、本明細書に説明される技法の１つの考慮される実装は、アレイの中でフラットパネルデバイスを製造するものであり、次いで、これらのデバイスが共通基板から切断される。以下の議論では、より詳細には、（例えば、スマートフォン、スマートウォッチ、タブレット、コンピュータ、テレビ、モニタ、または他の形態のディスプレイとして）電子機器で使用され得る、ソーラパネルおよび／またはディスプレイデバイスの製造に適用される、そのような印刷を行うための例示的システムが説明されるであろう。本開示によって提供される製造技法は、本特定の用途によって限定されず、例えば、任意の３Ｄ印刷用途および広範囲の他の形態の製品に適用されることができる。
【００７７】
図６Ａは、参照数字６０１によって集合的に指定される、いくつかの異なる実装層を表す。これらの層の各１つは、本明細書で紹介される技法の可能な離散実装を表す。第１に、本開示で紹介される技法は、グラフィック６０３によって表されるように、非一過性の機械可読媒体上に記憶された命令の形態（例えば、コンピュータまたはプリンタを制御するための実行可能命令もしくはソフトウェア）を成すことができる。第２に、コンピュータアイコン６０５により、これらの技法はまた、随意に、例えば、販売または他の製品での使用のための構成要素を設計もしくは製造する会社内で、コンピュータまたはネットワークの一部として実装されることもできる。第３に、記憶媒体グラフィック６０７を使用して例示されるように、以前に紹介された技法は、例えば、上記の議論により、作用されたときに、整合誤差を軽減するように、異なるインク体積もしくは位置の使用に依存する構成要素の１つまたはそれを上回る層をプリンタに製作させるであろう、データとして、記憶されたプリンタ制御命令の形態を成すことができる。プリンタ命令は、例えば、ＬＡＮを経由して、プリンタに直接伝送され得ることに留意されたい。これに関連して、記憶媒体グラフィックは、（限定ではないが）コンピュータまたはプリンタの内側にある、もしくはそれにアクセス可能であるＲＡＭ、またはフラッシュドライブ等の携帯用媒体を表すことができる。第４に、製作デバイスアイコン６０９によって表されるように、上記で紹介される技法は、製作装置または機械の一部として、もしくはそのような装置または機械内のプリンタの形態で実装されることができる。製作デバイス６０９の特定の描写は、以下の図６Ｂに関連して議論されるであろう、１つの例示的プリンタデバイスを表すことに留意されたい。上記で紹介される技法はまた、製造された構成要素のアセンブリとして具現化されることもできる。例えば、図６Ａでは、いくつかのそのような構成要素が、最終消費者製品に組み込むために分離されて販売されるであろう、半完成フラットパネルデバイスのアレイ６１１の形態で描写される。描写されたデバイスは、例えば、１つまたはそれを上回る光生成層もしくはカプセル化層、または上記で紹介される技法に依存して製作される他の層を有してもよい。上記で紹介される技法はまた、例えば、携帯用デジタルデバイス６１３（例えば、電子パッドもしくはスマートフォン等）用のディスプレイの形態で、テレビディスプレイ画面６１５（例えば、ＯＬＥＤ  ＴＶ）、ソーラパネル６１７、または他のタイプのデバイスとして、参照されるような最終消費者製品の形態で具現化されることもできる。
【００７８】
図６Ｂは、本明細書に開示される技法を適用するために使用され得る、１つの考慮されるマルチチャンバ製作装置６２１を示す。一般的に言えば、描写された装置６２１は、移送モジュール６２３と、印刷モジュール６２５と、処理モジュール６２７とを含む、いくつかの一般的モジュールまたはサブシステムを含む。各モジュールは、印刷が、例えば、第１の制御された雰囲気中で印刷モジュール６２５によって行われることができ、他の処理、例えば、無機カプセル化層堆積または（例えば、印刷された材料のための）硬化プロセス等の別の堆積プロセスが、第２の制御された雰囲気中で行われることができるように、制御された環境を維持する。装置６２１は、制御されていない雰囲気に基板を暴露することなく、モジュールの間で基板を移動させるために、１つまたはそれを上回る機械ハンドラを使用する。任意の所定のモジュール内で、そのモジュールに行われる処理に適合される、他の基板取扱システムおよび／または特定のデバイスならびに制御システムを使用することが可能である。
【００７９】
移送モジュール６２３の種々の実施形態は、入力ロードロック６２９（すなわち、制御された雰囲気を維持しながら異なる環境の間で緩衝を提供するチャンバ）と、移送チャンバ６３１（基板を輸送するためのハンドラも有する）と、大気緩衝チャンバ６３３とを含むことができる。印刷モジュール６２５内で、印刷プロセス中の基板の安定した支持のための浮動式テーブル等の他の基板取扱機構を使用することが可能である。加えて、分割軸またはガントリ運動システム等のｘｙｚ運動システムが、基板に対する少なくとも１つのプリントヘッドの精密な位置付けに使用されることができるとともに、印刷モジュール６２５を通した基板の輸送のためのｙ軸運搬システムを提供する。また、例えば、２つの異なるタイプの堆積プロセスが制御された雰囲気中の印刷モジュール内で行われることができるように、例えば、それぞれのプリントヘッドアセンブリを使用して、印刷用の複数のインクを印刷チャンバ内で使用することも可能である。印刷モジュール６２５は、不活性雰囲気（例えば、窒素）を導入し、別様に環境調整のための雰囲気（例えば、温度および圧力）、ガス構成要素、および粒子状物質の存在を制御するための手段とともに、インクジェット印刷システムを収納するガスエンクロージャ６３５を備えることができる。
【００８０】
処理モジュール６２７の種々の実施形態は、例えば、移送チャンバ６３６を含むことができ、本移送チャンバはまた、基板を輸送するためのハンドラも有する。加えて、処理モジュールはまた、出力ロードロック６３７、窒素スタック緩衝器６３９、および硬化チャンバ６４１を含むこともできる。いくつかの用途では、硬化チャンバは、モノマーフィルムを一様なポリマーフィルムに硬化させ、焼き付け、または乾燥させるために使用されることができる。例えば、２つの詳細に考慮されるプロセスは、加熱プロセスおよび紫外線放射硬化プロセスを含む。
【００８１】
１つの用途では、装置６２１は、液晶ディスプレイ画面またはＯＬＥＤディスプレイ画面の大量生産、例えば、単一の大型基板上で１度に（例えば）８枚の画面のアレイの製作のために適合される。これらの画面は、テレビに、および他の形態の電子デバイス用のディスプレイ画面として使用されることができる。第２の用途では、本装置は、さらに同一の様式でソーラパネルの大量生産に使用されることができる。
【００８２】
印刷モジュール６２５は、有利なことには、ＯＬＥＤディスプレイデバイスの敏感な要素を保護することに役立つ、有機光生成層またはカプセル化層を堆積させるために、そのような用途で使用されることができる。例えば、描写された装置６２１は、基板を装填されることができ、カプセル化プロセス中に制御されていない雰囲気への暴露によって中断されない様式で、種々のチャンバの間で前後に基板を移動させるように制御されることができる。基板は、入力ロードロック６２９を介して装填されることができる。移送モジュール６２３の中に位置付けられるハンドラは、基板を入力ロードロック６２９から印刷モジュール６２５に移動させることができ、印刷プロセス完了に続いて、硬化のために基板を処理モジュール６２７に移動させることができる。それぞれ制御された厚さである、後続の層の繰り返しの堆積によって、総カプセル化が、任意の所望の用途に適するように蓄積されることができる。もう一度、上記で説明される技法が、カプセル化プロセスに限定されず、また、多くの異なるタイプのツールが使用され得ることに留意されたい。例えば、装置６２１の構成は、異なる並置で種々のモジュール６２３、６２５、および６２７を配置するように変動させられることができ、また、付加的な、より少ない、または異なるモジュールも使用されることができる。
【００８３】
図６Ｂは、連結されたチャンバまたは製作構成要素のセットの一実施例を提供するが、明確に多くの他の可能性が存在する。上記で紹介される技法は、図６Ｂで描写されるデバイスとともに、または実際に、任意の他のタイプの堆積機器によって行われる製作プロセスを制御するために、使用されることができる。
【００８４】
図６Ｃは、堆積プロセス中に出現し得るような基板およびプリンタの平面図を提供する。印刷チャンバは、概して、参照数字６５１によって指定され、印刷される基板は、概して、数字６５３によって指定され、基板を輸送するために使用される支持テーブルは、概して、数字６５５によって指定される。一般的に言えば、支持テーブルによる（例えば、数字６５７によって表されるように、浮動支持を使用する）基板のｘおよびｙ次元移動を含み、概して、矢印６６３によって表されるように、トラベラ６６１に沿った１つまたはそれを上回るプリントヘッド６５９の「遅軸」ｘ次元移動を使用する、移動の組み合わせによって、基板の任意のｘｙ座標に達する。記述されるように、浮動式テーブルおよび基板取扱インフラストラクチャは、基板を移動させ、有利なことには、必要に応じて１つまたはそれを上回る「高速軸」に沿って傾斜排除制御を提供するために使用される。プリントヘッドは、（例えば、プリントヘッドが「遅軸」に沿って、左から右に、およびその逆も同様に移動させられると、プリンタ格子点に対応する列の印刷を達成するように）それぞれ、テンプレートから導出される発射パターンによって別個に制御される、複数のノズル６６５を有すると見なされる。１つまたはそれを上回るプリントヘッドと基板との間の相対運動が、高速軸（すなわち、ｙ軸）の方向に提供されると、印刷は、典型的には、個々の行のプリンタ格子点の行を辿る、帯状部分を表す。プリントヘッドはまた、有利なことには、（例えば、数字６６７により、１つまたはそれを上回るプリントヘッドの回転によって）有効ノズル間隔を変動させるように調節されることができる。所望に応じて、複数のそのようなプリントヘッドが、相互に対してｘ次元、ｙ次元、および／またはｚ次元オフセットで配向されて、ともに使用され得ることに留意されたい（図６Ｃの軸凡例６６９を参照）。印刷動作は、所望に応じて、標的領域全体（および任意の境界領域）がインクで印刷されるまで継続する。必要量のインクの堆積に続いて、（例えば、熱プロセスを使用して）インクを乾燥させるように溶媒を蒸発させることによって、または紫外線硬化プロセス等の硬化プロセスの使用によってのいずれかで、基板が完成させられる。
【００８５】
図６Ｄは、本明細書に規定されるような１つまたはそれを上回る層を有するデバイスを製作するために使用され得る、１つの装置（６７１）の種々のサブシステムを示す、ブロック図を提供する。ソフトウェア（図６Ｄに示されていない）によって提供される命令の下で作用するプロセッサ６７３のセットによって、種々のサブシステムにわたる調整が提供される。前述のように、オンザフライ変換を行って基板またはパネル誤差を補正するために、一実施形態では、これらのプロセッサは、監視プロセッサまたは汎用ＣＰＵと、並列処理に使用される付加的プロセッサのセットとを含む。１つの詳細に考慮される実装では、これらの付加的プロセッサは、マルチコアプロセッサまたはグラフィック処理ユニット（ＧＰＵ、例えば、何百またはそれを上回るコアを伴う）の形態を成す。各コアは、基板誤差に合致するよう印刷イメージを歪曲させるように変換するために、印刷イメージの一部を割り当てられる。誤差がパネルまたは他の製品毎の基準で独立して補正される場合には、各コアは、有利なことには、（すなわち、特定のコアが、全ての割り当てられたイメージデータに単一の変換動作のみを行うように）単一の製品またはパネルの一部または一部分を割り当てられることができる。並列処理および／または本形態の委任は、全ての実施形態に必要とされるわけではない。製作プロセス中に、プロセッサは、ハーフトーン印刷イメージによって提供される発射命令に応じて、プリントヘッドに種々の体積のインクを放出させるように、データをプリントヘッド６７５に送給する。プリントヘッド６７５は、典型的には、行またはアレイで配列される複数のインクジェットノズルと、圧電または他の変換器の起動に応答してインクの噴出を可能にする関連リザーバとを有する。そのような変換器は、対応する圧電変換器に印加される電子発射波形信号によって統制される量で、それぞれのノズルに制御された量のインクを放出させる。他の発射機構も、使用されることができる。プリントヘッドは、ハーフトーン印刷イメージによって表されるように、格子座標に対応する種々のｘ−ｙ位置でインクを基板６７７に適用する。位置の変動は、（例えば、基板を横断する１つまたはそれを上回る帯状部分を印刷に表させる）プリントヘッド運動システム６７９および基板取扱システム６８１の両方によって達成される。一実施形態では、プリントヘッド運動システム６７９が、トラベラに沿ってプリントヘッドを前後に移動させる一方で、基板取扱システムは、例えば、整合および傾斜排除のために、安定した基板支持と、基板の「ｘ」および「ｙ」次元輸送（ならびに回転）の両方とを提供する。印刷中に、基板取扱システムが、１つの次元（例えば、図６Ｃに対して「ｙ」次元）内で比較的速い輸送を提供する一方で、プリントヘッド運動システム６７９は、例えば、プリントヘッドオフセットのために、別の次元（例えば、図６Ｃに対して「ｘ」次元）内で比較的遅い輸送を提供する。別の実施形態では、基板取扱システム６８１によって取り扱われる一次輸送とともに、複数のプリントヘッドが使用されることができる。画像捕捉デバイス６８３は、任意の基準の場所を特定し、以前に説明された整合および／または誤差検出機能を支援するために使用されることができる。
【００８６】
本装置はまた、印刷動作を支援するように、インク送達システム６８５と、プリントヘッド保守システム６８７とを備える。プリントヘッドは、周期的に較正され、または保守プロセスを受けることができる。このような目的で、保守シーケンス中に、プリントヘッド保守システム６８７は、特定のプロセスにとって適宜に、適切な下準備、インクまたはガスのパージ、試験および較正、ならびに他の動作を行うために使用される。そのようなプロセスはまた、例えば、以前に参照された出願者のＰＣＴ特許出願（ＰＣＴ／ＵＳ１４／３５１９３）で議論されるように、ならびに数字６９１および６９２によって参照されるように、液滴体積、速度、および軌道等のパラメータの個々の測定を含むこともできる。
【００８７】
以前に紹介されたように、印刷プロセスは、制御された環境で、つまり、堆積層の有効性を劣化させ得る汚染物質のリスクの低減を提示する様式で、行われることができる。この趣旨で、本装置は、機能ブロック６９０によって表されるように、チャンバ内の雰囲気を制御するチャンバ制御サブシステム６８９を含む。随意のプロセス変形例は、記述されるように、周囲窒素ガス雰囲気（もしくは特異的に選択されたガスを有する、および／または不要な粒子状物質を除外するように制御される、別の不活性環境）の存在下で堆積材料の噴出を行うことを含むことができる。最終的に、数字６９３によって表されるように、本装置はまた、必要に応じて、ハーフトーンパターン情報またはハーフトーンパターン生成ソフトウェア、テンプレート印刷イメージデータ、および他のデータを記憶するために使用され得る、メモリサブシステムも含む。例えば、メモリサブシステムは、各液滴の発射（およびタイミング）を統制するプリンタ制御命令を内部で生成するために、上記で紹介される技法に従って、前もって生成された印刷イメージの変換のための動作メモリとして使用されることができる。そのようなレンダリングの一部または全てが他の場所で行われ、本装置のタスクが受信されたプリンタ命令に従ってデバイス層を製作することである場合には、受信された命令は、印刷プロセスおよび／または保守中に適宜に使用するためにメモリサブシステム６９３に記憶されることができる。数字６９４によって表されるように、１つの随意の実施形態では、個々の液滴詳細は、任意の所定のノズルの発射波形の変動を通して（例えば、ノズル異常を補正するように）変動させられることができる。一実施形態では、代替発射波形のセットが、共有または専用基準で、事前に選択されて各ノズルに利用可能にされ、随意に、前述のように基板変動（誤差）処理６９５と併せて使用されることができる。記述されるように、いくつかの実施形態が、異なるノズルおよび／またはあるノズルの駆動波形を使用して達成される誤差の補償とともに、（すなわち、誤差にもかかわらず）所定のスキャン経路を使用する一方で、別の実施形態では、印刷最適化（６９６）が、スキャン経路詳細を再査定し、潜在的に堆積時間を改良するように行われる。
【００８８】
図７は、議論されたプロセスのうちのいくつかと関連付けられる別のフロー図７０１を提供する。以前の実施例と同様に、数字７０３により、所望の層のレイアウトを表すデータが最初に受信される。本データは、堆積させられる層の境界を規定し、（例えば、所定のパネルのための）着目層の全体を通して厚さを定義するために十分な情報を提供する。本データは、プロセス７０１が行われる同一の機械またはデバイス上で生成されることができ、もしくは異なる機械によって生成されることができる。一実施形態では、受信されたデータは、ｘｙ座標系に従って定義され、提供された情報は、例えば、随意に、以前に紹介されたｘミクロン×ｙミクロン×ｚミクロン実施例と一致する、層の全体を通して適用される単一の高さまたは厚さを規定する、任意の表されたｘｙ座標点における所望の層厚さを計算するために十分である。数字７０５により、本データは、層を受容し得る堆積領域中で、各印刷セル（または各印刷ピクセル）のグレースケール値に変換されることができる。印刷セル領域がレイアウトデータに合致するｘｙ座標系に本質的に対応しない場合には、レイアウトデータは、各印刷ピクセルのグレースケール値を得るように（例えば、複数の座標点の厚さデータを平均化することによって、および／または補間を使用して）変換される。本変換は、例えば、関係または方程式を使用して生成される、所望のマッピング情報に基づき得る。数字７０７により、均質層を生成するために（または他の所望の効果のために）、グレースケール値が、随意に調節されることができる。一実施例を提供すると、所望の層の下に位置し得る微小構造の様々な高さを補償することが所望される場合、随意の技法が、オフセットを追加して、堆積層の頂面を効果的に平坦化するように、特定の場所における着目層を「強化する」グレースケール値を選択する。一実施形態では、（例えば、インスキャン方向での）ノズル発射異常を補正して、（例えば、特定のノズルまたはノズルのセットが不十分なインク体積を生成する場合）より多くのインクまたは（例えば、特定のノズルまたはノズルのセットが過剰なインク体積を生成する場合）より少ないインクを堆積させるために、グレースケール値操作も使用されることができる。そのような随意のプロセスは、機能ブロック７１４により、較正プロセスおよび／または実験に判定されたデータを前提にすることができる。次いで、数字７０９により、グレースケール値は、液滴密度パターン（例えば、特定のハーフトーンパターン）に変換され、次いで、数字７１０により、ビットマップが生成される。図によって示されるような誤差拡散は、層の均質性を助長することに役立つように依拠されることができる。
【００８９】
図７は、随意に、堆積層の一様性および精度を確実にし、検出されたパネルまたは基板位置誤差を調節することに役立つように適用される、いくつかのノズル／波形誤差補正プロセス７１３の集合の使用を示す。任意の下位製品層との正確な位置合わせ、水／酸素障壁を生成するための適切なカプセル化の作成を確実にするため、またはディスプレイパネルの高品質光生成もしくは光誘導要素を提供するため、または他の目的もしくは効果のためであろうと、そのような一様性は、デバイス品質にとって重要であり得る。前述のように、較正プロセスまたは実験に判定された（推測計算された）データは、数字７１４により、グレースケール値の誤差、またはノズルもしくはノズル波形詳細、または基板もしくはパネル位置変動を補正するために使用されることができる。代替として、個々のノズル駆動波形は、数字７１５によって表されるように、誤差を補正するように計画または調節されることができる。別の実施形態では、前述のように、ノズルが検証され、または適格と見なされることができ（７１９）、各ノズルは、最小液滴生成閾値を満たすように判定されるか、または使用から不適格と見なされるかのいずれかである。特定のノズルが不適格と見なされているが、使用のために暫定的に選択される場合には、適切な液滴堆積を提供するために、数字７１６により、異なるノズル（または容認可能なノズルの繰り返しの通過）が、そうでなければ不適格と見なされたノズルによって印刷されたであろう液滴を堆積させるために使用されることができる。例えば、一実施形態では、プリントヘッドは、１つのノズルが異常である場合、特定の格子点に所望される液滴を堆積させるために、異なる冗長ノズルが使用されることができるように、行および列の両方で配列されるノズルを有する。随意に、また、例えば、（これを可能にするよう定位置で調節されるプリントヘッドとともに）異なるノズルを使用して、またはスキャンの数を増加もしくは減少させて、所望の液滴が堆積させられることができるような様式で、プリントヘッドをオフセットして、スキャン経路を調節するために、そのような問題が考慮されて使用されることもできる。これは、図７で数字７１７によって表される。多くのそのような代替案が、可能である。数字７２０および７２１によって表されるように、一実施形態では、各ノズルが、（測定のノズル毎または駆動波形毎の分布を生じるように）液滴パラメータを繰り返し測定する液滴測定デバイス（７２０）を使用して、事前に較正され、次いで、ソフトウェアが、ノズル位置誤差および／または体積、速度、ならびに軌道のノズル液滴平均を理解し、かつこれらのパラメータのそれぞれの予期されるノズル毎の分散を理解して、各ノズルの統計的モデル（７２１）を構築する。本データは、記述されるように、特定のノズル（および／または液滴）を適格と見なす／検証するため、もしくは各個別液滴を生成するために使用されるであろうノズルを選択するため、および別様に各新しい基板または他の製品アレイのテンプレート印刷イメージを調節もしくはカスタマイズするために使用されることができる。各そのような測定／誤差補正プロセスは、すなわち、所望の層性質を確実にしながら、印刷プロセスを最適化するよう、プリンタ制御データが生成および／または更新されるように、印刷イメージ調節／カスタマイズ化を含む印刷計画（７２２）、ならびに任意のスキャン経路計画および／または印刷格子計算の考慮に入れられることができる。最終的に、次いで、数字７２５により、最終印刷データが、実行時にプリンタに送信するために生成される。
【００９０】
図８Ａ−８Ｄは、概して、ノズル毎の液滴測定および検証のための技法を導入するために使用される。
【００９１】
より詳細には、図８Ａは、光学システム８０１および比較的大型のプリントヘッドアセンブリ８０３（すなわち、それぞれ多数の個々のノズル、例えば、８０７を伴う、それぞれのプリントヘッド８０５Ａ／８０５Ｂのノズルプレートによって表される）を描写する、例証的な図を提供する。典型的な実装では、何百から何千ものノズルが存在する。インク供給部（図示せず）が、各ノズル（例えば、ノズル８０７）と流体的に接続され、圧電変換器（同様に図示せず）が、ノズルあたりの電子制御信号の制御下でインクの液滴を噴出するために使用される。ノズル設計は、ノズルプレートの氾濫を回避するように、各ノズル（例えば、ノズル８０７）においてインクのわずかな陰圧を維持し、所定のノズルに対する電子信号は、対応する圧電変換器を起動し、所定のノズルのためのインクを加圧し、それによって、所定のノズルから１つまたはそれを上回る液滴を放出する。一実施形態では、各ノズルに対する制御信号は、通常は０ボルトであり、所定の電圧での正のパルスまたは信号レベルは、特定のノズルがそのノズルに対する液滴（パルスにつき１つ）を放出するために使用される。別の実施形態では、異なる調整されたパルス（または他のより複雑な波形）が、ノズル毎に使用されることができる。しかしながら、図８Ａによって提供される実施例に関連して、液滴が排出つぼ８０９によって収集されるようにプリントヘッドから下向きに（すなわち、３次元座標系８０８に対してｚ軸高さを表す「ｈ」の方向に）放出される、特定のノズル（例えば、ノズル８０７）によって生成される液滴体積を測定することが所望されると仮定されるはずである。典型的用途では、「ｈ」の寸法は、典型的には、約１ミリメートルまたはそれ未満であり、動作プリンタ内でこのようにして個別に測定されるそれぞれの液滴を有する、何千ものノズル（例えば、１０，０００個のノズル）があることに留意されたい。したがって、精密に各液滴（すなわち、説明されたような約１ミリメートルの測定窓内で、大型プリントヘッドアセンブリ環境内で何千ものノズルのうちの特定のな１つから生じる液滴）を光学的に測定するために、ある技法が、光学測定のために相互に対して光学アセンブリ８０１、プリントヘッドアセンブリ８０３、または両方の要素を精密に位置付けるように、開示される実施形態で使用される。
【００９２】
一実施形態では、これらの技法は、（ａ）光学較正／測定のために液滴を生成するものである任意のノズルに直接隣接して測定領域８１５を精密に位置付けるための（例えば、次元面８１３内の）光学システムの少なくとも一部のｘ−ｙ運動制御（８１１Ａ）、および（ｂ）面下光学回復（８１１Ｂ）の組み合わせを利用する（例えば、それによって、広いプリントヘッド表面積にもかかわらず、任意のノズルの隣の測定領域の容易な配置を可能にする）。したがって、約１０，０００個またはそれを上回る印刷ノズルを有する例示的実施形態では、本運動システムは、プリントヘッドアセンブリのそれぞれのノズルの排出経路に近接して、（例えば）１０，０００ほどの離散位置に光学システムの少なくとも一部分を位置付けることが可能である。一実施形態では、さらに微細な位置付け能力を有する、連続運動システムまたはシステムが使用されることができる。以下で議論されるように、２つの考慮された光学測定技法は、シャドウグラフィおよび干渉法を含む。それぞれを用いると、飛行中の液滴を捕捉するよう（例えば、シャドウグラフィの場合は液滴の影を効果的に撮像するよう）、精密な焦点が測定領域上で維持されるように、光学部が、典型的には定位置で調節される。典型的な液滴は、直径が約数ミクロンであり得るため、光学的配置は、典型的には、極めて精密であり、プリントヘッドアセンブリおよび測定光学部／測定領域の相対的位置付けに関して課題を提示することに留意されたい。いくつかの実施形態では、本位置付けを支援するために、光学システムおよびプリントヘッドの相対的位置付けに干渉することなく、測定光学部が測定領域の近くに配置されることができるように、光学部（鏡、プリズム等）が、測定領域８１５から生じる次元面８１３の下方で感知するための光捕捉経路を配向するために使用される。これは、内側で液滴が撮像されるミリメートル次数の堆積高ｈ、または監視されているプリントヘッドによって占有される大規模ｘおよびｙ幅によって制限されない様式で、効果的な位置制御を可能にする。干渉法ベースの液滴測定技法を用いると、異なる角度から小液滴に入射する別個の光線が、光路に対して略直角な視点から検出可能な干渉パターンを作成し、したがって、そのようなシステム内の光学部は、光源ビームの経路から約９０度外れた角度からであるが、液滴パラメータを測定するよう、面下光学回復を利用する様式でも光を捕捉する。他の光学測定技法も使用されることができる。これらのシステムのさらに別の変異形では、運動システム８１１Ａは、随意に、かつ有利なことには、液滴測定中にプリントヘッドアセンブリを移動させることなく、液滴測定システムの選択的従事および離脱を可能にする、ｘｙｚ運動システムであるように作製される。手短に紹介すると、１つまたはそれを上回る大型プリントヘッドアセンブリを有する、工業用製作デバイスでは、製造稼働時間を最大限化するために、各プリントヘッドアセンブリが、１つまたはそれを上回る保守機能を果たすように、時としてサービスステーションに「駐留させられる」であろうことが考慮され、プリントヘッドの純然たるサイズおよびノズルの数を考慮すると、プリントヘッドの異なる部品上で複数の保守機能を一度に果たすことが所望され得る。この趣旨で、そのような実施形態では、逆よりもむしろプリントヘッドの周囲で測定／較正デバイスを移動させることが有利であり得る。［これは、次いで、例えば、所望であれば別のノズルに関する、他の非光学的保守プロセスの従事も可能にする。］これらの動作を促進するために、プリントヘッドアセンブリは、随意に、光学較正の対象となる特定のノズルまたは一連のノズルを識別するシステムを用いて、「駐留させられる」ことができる。いったんプリントヘッドアセンブリまたは所定のプリントヘッドが静止すると、運動システム８１１Ａは、特定のノズルから噴出される液滴を検出するために好適な位置で測定領域８１５を精密に位置付けるために、「駐留させられた」プリントヘッドアセンブリに対して光学システムの少なくとも一部を移動させるように従事させられ、移動のｚ軸の使用は、プリントヘッドの面の十分に下方からの光回復光学部の選択的従事を可能にし、光学較正の代わりに、またはそれに加えて、他の保守動作を促進する。おそらく別様に記述すると、ｘｙｚ運動システムの使用は、サービスステーション環境で使用される他の試験または試験デバイスから独立している、液滴測定システムの選択的従事を可能にする。本構造は、全ての実施形態に必要とされるわけではなく、１つのみのプリントヘッドアセンブリが移動し、測定アセンブリが静止しているか、またはプリントヘッドアセンブリの駐留が必要ではない、他の代替案も可能であることに留意されたい。
【００９３】
一般的に言えば、液滴測定に使用される光学部は、光源８１７と、（必要に応じて光を光源２１７から測定領域２１５に指向する）光送達光学部８１９の随意的なセットと、１つまたはそれを上回る光センサ８２１と、液滴を測定するために使用される光を測定領域８１５から１つまたはそれを上回る光センサ８２１に指向する回復光学部８２３のセットとを含むであろう。運動システム８１１Ａは、随意に、噴出されたインクを収集するように容器（例えば、排出つぼ８０９）も提供しながら、排出つぼ８０９の周囲の測定領域８１５から面下場所への液滴測定後の光の指向を可能にする様式で、排出つぼ８０９とともに、これらの要素のうちのいずれか１つまたはそれを上回る要素を移動させる。一実施形態では、光送達光学部８１９および／または光回復光学部８２３は、液滴進行と平行な垂直寸法に沿って、光を測定領域８１５に／から指向する鏡を使用し、運動システムは、液滴測定中に一体的ユニットとして要素８１７、８１９、８２１、８２３、および排出つぼ８０９のそれぞれを移動させる。本設定は、焦点が測定領域８１５に対して再較正される必要がないという利点を提示する。数字８１１Ｃによって記述されるように、光送達光学部もまた、随意に、例えば、概して図示されるように、測定の目的で排出つぼ８０９の両側で光を指向する、光源８１７および光センサ８２１の両方とともに、測定領域の次元面８１３の下方の場所から光源光を供給するために使用される。数字８２５および８２７によって記述されるように、光学システムは、随意に、集束の目的でレンズ、ならびに（例えば、多画素化「写真」の処理に依拠しない非撮像技法のための）光検出器を含むことができる。再度、光学アセンブリおよび排出つぼに対するｚ運動制御の随意的な使用が、光学システムの随意的な従事および離脱、ならびにプリントヘッドアセンブリが「駐留させられている」間の任意の時点で、任意のノズルに近接する測定領域８１５の精密な移動を可能にすることに留意されたい。プリントヘッドアセンブリ８０３のそのような駐留および光学システム８０１のｘｙｚ運動は、全ての実施形態に必要とされるわけではない。例えば、一実施形態では、レーザ干渉法が、液滴特性を測定するために使用され、種々のノズルからの液滴を撮像するように、プリントヘッドアセンブリ（および／または光学システム）が、堆積面内で、またはそれと平行に（例えば、面８１３内で、またはそれと平行に）、いずれかで移動させられる。他の組み合わせおよび順列も、可能である。
【００９４】
図８Ｂは、いくつかの実施形態のための液滴測定と関連付けられるプロセスのフローを提供する。本プロセスフローは、概して、図８Ｂの数字８３１を使用して指定される。より詳細には、参照数字８３３によって使用されるように、本特定のプロセスでは、プリントヘッドアセンブリが、最初に、例えば、プリンタまたは堆積装置のサービスステーション（図示せず）に駐留させられる。次いで、例えば、堆積面の下方から、光学システムが個々の液滴を測定することが可能である位置までの移動を通して、光学システムの一部または全体の選択的従事によって、液滴測定デバイスが、プリントヘッドアセンブリとともに従事させられる（８３５）。数字８３７により、駐留させられたプリントヘッドに対する、１つまたはそれを上回る光学システムの構成要素のこの運動は、随意に、ｘ、ｙ、およびｚ次元で行われることができる。
【００９５】
以前に示唆されたように、単一のノズルおよび関連ノズル発射駆動波形（すなわち、液滴を噴出するために使用されるパルスまたは信号レベル）さえも、液滴毎にわずかに変動する液滴体積、軌道、および速度を生成することができる。本明細書の教示によると、一実施形態では、数字８３９によって示されるような液滴測定システムは、所望のパラメータの期待性質に関する統計的信頼度を導出するように、液滴につきそのパラメータのｎ回の測定を得る。１つの実装では、測定されたパラメータが、体積であり得る一方で、他の実装については、測定されたパラメータは、飛行速度、飛行軌道、ノズル位置誤差（例えば、ノズル曲げ）または別のパラメータ、もしくは複数のそのようなパラメータの組み合わせであり得る。１つの実装では、「ｎ」が、各ノズルについて異なり得る一方で、別の実装では、「ｎ」は、各ノズルに行われる測定の固定された数（例えば、「２４」）であり得、なおも別の実装では、「ｎ」は、パラメータの測定された統計的性質を動的に調整するよう、または信頼度を精緻化するよう、付加的な測定が行われることができるように、測定の最小数を指す。明確に、多くの変形例が可能である。図８Ｂによって提供される実施例については、所定のノズルからの期待液滴量および緊密な信頼区間を表す正確な平均を得るよう、液滴量が測定されていると仮定されたい。本平均は、加重されようと別様であろうと、関連測定データを考慮してプロセッサによって割り当てられることができる。これは、予期される標的の周囲で（すなわち、液滴平均の複合に対して）標的領域中の複合インク充填の分布を確実に維持しながら、（複数のノズルおよび／または駆動波形を使用して）液滴の組み合わせの随意の計画を可能にする。随意のプロセスボックス８４１および８４３によって記述されるように、干渉法またはシャドウグラフィが、理想的には体積（または他の所望のパラメータ）の瞬間または近瞬間測定および計算を可能にする、考慮される光学測定プロセスである。そのような高速測定を用いると、例えば、インク性質（粘度および構成材料を含む）、温度、電力供給変動、および他の要因の経時的な変化に対処するように、量測定を頻繁かつ動的に更新することが可能になる。この点に基づいて、シャドウグラフィは、典型的には、例えば、光センサ機構として高解像度ＣＭＯＳまたはＣＣＤカメラを使用する、液滴の画像の補足を特色とする。液滴が、（例えば、ストロボ光源を使用して）複数の位置において単一の画像補足フレーム内で正確に撮像されることができる一方で、画像取得は、典型的には、（例えば、何千もノズル内の）大型プリントヘッドアセンブリからの十分な液滴集団の撮像が数時間かかり得るように、有限量の時間を伴う。複数の２値光検出器およびそのような検出器の出力に基づく干渉パターン間隔の検出に依拠する、干渉法は、非撮像方法（すなわち、画像分析を必要としない）であるため、シャドウグラフィまたは他の技法より何倍も速く（例えば、５０倍）液滴体積測定を生じる。例えば、１０，０００個のノズルのプリントヘッドアセンブリを用いると、何千ものノズルのそれぞれの大型測定集団が数分で得られることができ、液滴測定を頻繁かつ動的に行うことを確実にすることが予期される。前述のように、１つの随意の実施形態では、液滴測定（もしくは軌道および／または速度等の他のパラメータの測定）が、周期的な断続プロセスとして行われることができ、液滴測定システムは、スケジュールに従って、または基板の間で（例えば、基板が装填もしくは非装填されるにつれて）従事し、もしくは他のアセンブリおよび／または他のプリントヘッド保守プロセスに対して積み重ねられる。代替ノズル駆動波形が各ノズルに特異的な様式で使用されることを可能にする実施形態に関して、高速測定システム（例えば、干渉計システム）は、各ノズルに対する、およびそのノズルのための各代替的駆動波形に対する統計的集団作成を容易に可能にし、それによって、以前に示唆されたように、種々のノズル・波形対合によって生成される液滴の計画された液滴の組み合わせを促進することに留意されたい。数字８４５および８４７により、０．０１ｐＬより良い精度まで、ノズル毎に（および／またはノズル・波形対合毎に）期待液滴量を測定することによって、標的堆積領域あたりの非常に精密な液滴の組み合わせを計画することが可能となり、複合充填もまた、０．０１ｐＬ分解能まで計画されることができ、標的体積は、標的体積の０．５％またはそれより良い規定誤差（例えば、公差）範囲内で保たれることができる。数字８４７によって示されるように、各ノズルまたは各ノズル・波形対合に対する測定集団は、一実施形態では、それぞれのそのようなノズルまたはノズル・波形対合に対する信頼性分布モデルを生成するよう、すなわち、許容液滴交差に対する３σ信頼度（または４σ、５σ、６σ等の他の統計的尺度）を伴って、計画される。いったん十分な測定が種々の液滴について行われると、これらの液滴の組み合わせを伴う充填は、評価され、可能な限り最も効率的な様式で印刷（８４８）を計画するために使用されることができる。分離線８４９によって示されるように、液滴測定は、アクティブ印刷プロセスと測定および較正プロセスとの間で断続的に前後に切り替えて行われることができる。製造システム休止時間を最小限にするために、そのような測定は、典型的には、プリンタが他のプロセスを任されている間に、例えば、基板装填および非装填中に、行われることに留意されたい。
【００９６】
図８Ｃは、概して、数字８５１によって表される、液滴測定の方法の別の実施形態を図示する。プリントヘッドが搭載されるか、または別様に位置オフセットを補正するように液滴測定システムを較正することが所望されるとき、所定のプリントヘッドノズルを用いた液滴測定を精密に合致させるために、較正ルーチンが実行されることができる。典型的実施形態では、本整合プロセスは、１つまたはそれを上回るプリントヘッド基準もしくは整合マーク（８５３）を識別するように、下から、つまり、ノズルプレートにおける基板の視点から上向きに見て、プリントヘッドの画像を撮影する、「上向きのカメラ」または他の撮像デバイスを用いて行われる。一実施形態では、カメラ（撮像システム）は、液滴測定に使用されるものと同一のデバイスであり得るが、別個の撮像デバイスでもあり得る。例えば、２５６個のノズルの４行に配列される１０２４個のノズルを有する、例示的プリントヘッドに関して、ノズルプレートと撮像デバイスに対応する格子システムとの間のオフセットおよび回転傾斜を判定するために、（基板基準と混合されないよう）ノズルプレート上の基準が使用される。一実施形態では、基準は、随意に、特定のノズル（８５４）、例えば、プリントヘッドの隅に最も近いノズル（例えば、第１および第４の行、ノズル１および２５６）であり得、他の機構も使用され得ることに留意されたい。典型的実装では、プリントヘッド構成データ（８５５）が、ソフトウェアによってシステムにロードされ、これらの隅のノズルを識別するために使用され、各ノズルの位置を最初に推定するように依拠される補間（８５７）を用いて、全てのノズルのアドレスを撮像システムの格子８５６にマップするために使用される。実施例を提供すると、一実施形態では、システムソフトウェアは、異なるノズル構成を伴う異なるプリントヘッドに適応するように設計され、この趣旨で、システムソフトウェアは、行の数、（存在する場合）基準の存在、行毎のノズルの数、ノズルの行および列の間の平均垂直ならびに水平オフセット等を識別するように、プリントヘッド構成データをロードする。このデータは、記述されるように、システムソフトウェアがプリントヘッド上の各ノズルの位置を推定することを可能にする。１つの考慮されるシステムでは、本較正プロセスは、印刷プロセスの間ではなく、いったんプリントヘッドが交換されると行われる。異なる実施形態では、本較正プロセスは、液滴測定システムが初期化される度に行われ、例えば、各新しい測定が、２つの印刷動作の間に実行される。
【００９７】
生成中に、ノズル（およびノズル波形）測定が、基板印刷動作の間に各中断を伴って一連のノズルを通して前進する、ローリング基準で行われることができる。全てのノズルを新たに測定するように従事するか、またはそのようなローリング基準であるかどうかにかかわらず、図８Ｃの同一の基本プロセスが測定のために採用されることができる。この趣旨で、数字８５８および８５９により、液滴測定デバイスが（事前測定または基板印刷動作のいずれかのすぐ後で）新しい測定のために従事するとき、システムソフトウェアは、（例えば、ポインタを第２のプリントヘッドの「３１２番目の」ノズルに対する「ノズル２，３１２」にロードすることによって）測定が行われる次のノズルを識別することができる。（例えば、新しいプリントヘッドの設置、最近の起動、または毎日の測定プロセス等の周期的プロセスに応答する）初期測定の場合、ポインタは、プリントヘッドの第１のノズル、例えば、「ノズル２，００１」を指し示すであろう。本ノズルは、特定の撮像格子アクセスと関連付けられるか、またはメモリから参照されるかのいずれかである。本システムは、液滴測定システム（例えば、以前に参照された排出つぼおよび測定領域）を予期されるノズル位置に対応する位置まで前進させるために、提供されたアドレスを使用する。典型的システムでは、本移動と関連付けられる機械的スローが、極めて精密である、すなわち、ほぼミクロン分解能まで精密であることに留意されたい。本システムは、随意に、本時点で、予期されるミクロン分解能位置についてノズル位置を検索し、ノズルを見出し、推定格子位置からわずか数ミクロンの距離内で、プリントヘッドの画像分析に基づいてその位置を中心とする（８６０）。例えば、ジグザグ、螺旋、または他の検索パターンが、ノズルの予期される位置について検索するために使用されることができる。（一実施形態では、本プロセスはまた、人間のオペレータによるプリンタの調節によって手動で行われ得ることに留意されたい。）ノズルの間の典型的ピッチ距離が、約２５０ミクロンであり得る一方で、ノズル直径は、約１０〜２０ミクロンであり得る。いったん着目ノズルが識別されると、ソフトウェアは、問題になっているノズルから液滴を発射し、問題になっているノズルが実際に発射したことを確認するように液滴測定システムに依拠する（次いで、ノズルの識別を確認する）。図８Ｃは、新しいノズルが測定のために識別される度に（例えば、液滴測定システムが移動する度に）行われている本プロセスを示すが、いくつかの実施形態では、オフライン構成中に（例えば、液滴測定システム格子が非常に緊密である状況で）本測定を一度行い、各ノズルの格子位置を記憶し、次いで、プリントヘッドが交換されるときのみ、または誤差処理に応答して、本位置を更新することも可能である。液滴測定システムおよび／またはプリントヘッド位置の力学があまり精密ではないシステムでは、監視中のノズルの変化があるときはいつでも、各ノズルに推定および検索機能を使用することが有利であり得る。数字８６１によって示唆されるように、一実施形態では、推定および検索機能が、３つの次元（ｘｙｚ）のそれぞれにおいて液滴測定デバイス（およびその関連光学部）を監視中のプリントヘッドノズルと整合させることに留意されたい。
【００９８】
次いで、各ノズルの精密なｚ位置（液滴測定領域に対する距離）が、一貫した液滴測定および／または画像捕捉を確実にするために調節される（８６２）。例えば、液滴測定システムは、典型的には、各液滴を複数回測定し、（例えば、各液滴画像の重心に対する）距離に基づいてこれらのパラメータを計算することによって、液滴速度および飛行軌道を判定することが、以前に記述された。種々のパラメータは、（例えば、シャドウグラフィベースの液滴測定システムの）ストロボタイミングの誤差、液滴撮像システムとノズルプレートとの間の未補正整合誤差、ノズルプロセスコーナ、および他の要因を含む、適切な液滴測定に影響を及ぼし得る。一実施形態では、例えば、全ての液滴にわたって液滴測定場所に対するストロボ発射を正規化する様式で、そのような誤差を補償するために、種々の統計的プロセスが使用される。例えば、仮説的プリントヘッドが１，０００個のノズルを有する場合には、本システムは、平均液滴画像位置に関して、測定領域中で（１，０００個のノズルまたはそのサブセットにわたる平均で）所望の数の液滴を中心にしながら、位置誤差の最小値を生じる平均オフセットを選ぶことによって、プリントヘッドプレートからのｚ軸オフセットを正規化することができる。類似技法が、干渉法ベースのシステムまたは他の液滴測定システムに適用されることができる。
【００９９】
図８Ｃは、液滴測定領域８６３と、それぞれの仮説的軌道８６５および８６７に沿った、その測定領域を通る２つの液滴８６４および８６６の仮説的通路とを示す。いくつかのものが、本図によって提供される実施例について留意されるはずである。第１に、速度および軌道測定は、同一の液滴を複数回（液滴８６４および８６６の場合、それぞれ３回）を測定することに依存すると見なされる。本要件は、ストロボ（または光源）のタイミングを変化させること、関連液滴を発射するために使用される駆動波形を変化させること、液滴測定システムのｚ軸位置を変化させること、および／またはプリントヘッドのｚ軸位置を変化させることのうちの１つまたはそれを上回るものによって、ストロボ（または撮像源）発射に対して測定領域を適切に位置付けるために使用されることができる。例えば、（シャドウグラフィベースのシステムの場合、単一の暴露中に）ストロボが繰り返し発射されるにつれて、３つの液滴画像が単一の液滴に予期されるが、２つのみが観察される場合、測定領域は、高さが誤整合であり、３回の暴露が得られるまで、液滴位置が測定領域に対して捕捉される場所を効果的に再定義するように調節される。必然的に、本仮説は、実施例のみを提供し、他の実装は、３回より多くの液滴暴露または３回未満の暴露を測定し得る。また、軌道８６７に対する軌道８６５の偏差は、液滴が生成される方法の統計的変動によるものであり得るため、随意に、（アルファおよびベータ角に関して）平均液滴軌道およびこれらの寸法のそれぞれにおける標準偏差を表す統計的モデルを構築するために使用され得ることに留意されたい。理解されるはずであるように、液滴測定領域８６３が、２次元液滴描写（例えば、図面のページの通り、ｙｚ面）を示す一方で、ｘ軸に対する軌道角は、液滴が図８Ｃによって表される図面シートの面により近づいているか、またはそこからより遠く離れていることを示す、複数のストロボ暴露の間の所定の画像フレーム内の見掛けの液滴サイズの変化から導出されることができる。類似干渉パターン変化が、干渉法ベースの技法の場合に適用される。
【０１００】
測定８６３内で表される方式はまた、ノズル行の曲げを測定するために使用されることもできる。つまり、実施例として、液滴８６４および８６６が共通の正確なノズル位置から生じると仮定されるが、逆軌道が液滴測定領域の予期されるｙ軸中心と（すなわち、図面ページに対して右から左に）整合しない場合、問題になっているノズルは、同一行または列内の他のノズルに対して、そのｙ軸位置でオフセットされ得る。以前の議論によって示唆されるように、そのような異常は、液滴の精密な組み合わせを計画する際に考慮されることができる、理想的液滴発射偏差につながり得、すなわち、好ましくは、任意のそのような行の「曲げ」または個々のノズルオフセットが記憶され、以前に議論されたように印刷スキャン計画の一部として使用され、印刷システムは、各個別ノズルの差異を平均するのではなく、計画的にそれを使用する。随意の変形例では、同一の技法が、ｘ軸に沿った不規則的なノズル間隔を判定するために使用されることができるが、描写される実施形態に関して、任意のそのような誤差は、液滴速度偏差の補正に包含されることができる（例えば、任意のそのような間隔誤差は、ノズル速度の調節によって補正されることができる）。液滴８６４および８６６を生成するノズルのｙ軸曲げを判定するために、それぞれの軌道８６５および８６７は、同一のノズルの他の測定軌道を伴って効果的に逆描画され（または別様に数学的に適用され）、監視中の特定のノズルの平均ｙ軸位置を識別するために使用される。本位置は、ノズル行曲げの証拠であり得る、そのようなノズルの予期される場所からオフセットされてもよい。
【０１０１】
前述のように、および本議論によって示唆されるように、一実施形態は、測定されている各パラメータについて、例えば、体積、速度、軌道、ノズル曲げ、および潜在的に他のパラメータについて、各ノズルの統計的分布を構築する（８６８）。これらの統計的プロセスの一部として、個々の測定が、却下され、または誤差を識別するために使用されることができる。いくつかの実施例を引用すると、測定が発射誤差を表し得る、同一のノズルの他の測定からある程度まで除去されている値を有する、液滴測定が得られる場合、１つの実装では、本システムは、統計的誤差パラメータを超える点まで逸脱するならば本測定を破棄する。液滴が全く見られない場合、これは、液滴測定システムが間違ったノズル（間違った位置）にあるか、または発射波形誤差を有する、もしくは監視中のノズルが動作不能であるという証拠であり得る。測定誤差取扱プロセス８６９は、必要に応じて任意の新しいまたは付加的な測定を行うことを含む、適切な調節を行うために採用される。数字８７０により、各測定は、有利なことには、記憶され、関連統計的分布を構築するために使用され、次いで、本システムは、測定誤差に対する十分なロバスト性が得られるまで、同一のノズルからの付加的な液滴の測定を行うようにループする。本ループ（８７１）は、ｎ個の液滴が各ノズルまたは各ノズル・波形対合のために得られるまでの実施を示すと図８Ｃで見なされる。十分にロバストな分布が得られたとき、本システムは、所望の統計的パラメータ（例えば、平均、各尺度パラメータの標準分布）を計算（記憶）し、所定のノズルに割り当て（８７２）、任意の適切な誤差取扱プロセス８７３（ちょうど測定されたノズルを検証すること、またはそれもしくは関連波形を動作不能と見なすこと）を実行し、次いで、適宜に次の発射波形または次のノズルに進む（８７４）。つまり、所定のノズルまたはノズル・波形対合の測定分布が完了すると、システムソフトウェアは、測定される次のノズル（８７４、例えば、アドレスポインタによって更新される）を識別し、次いで、数字８７６により、適宜に液滴測定システムを移動させるように、または次の測定を行うように戻る。代替として、数字８７５により、時間が来て、本システムが製造ラインの一部として別の基板を印刷するように求められている場合、本システムは、（存在する場合）新たに調達されたデータに基づいて任意のスキャン動作を更新し、「次の」ノズルのアドレスを記憶し、基板印刷に戻る（８７５）。一実施形態では、そのような印刷動作が完了した後、予想される中断（または保守休止時間）中に、本システムは、記憶されたノズルアドレスおよび液滴測定の詳細を読み出し、それが中断されたところから継続する。
【０１０２】
図８Ｃによって別個に呼び出されないが、描写された測定プロセスは、典型的には、各ノズルとともに使用するために利用可能な各代替波形に行われるであろうことに留意されたい。例えば、各ノズルが、選択され得る４つの異なる圧電駆動波形を有した場合、図８Ｃの内側プロセスループ８７１は、概して、４＊ｎ回繰り返され、特定の実装が、各波形の２４個の液滴に基づく統計的分布の構築を求めた場合には、１つのノズルに９６回のそのような測定（４つの波形のそれぞれに２４回）があり得、各測定は、液滴速度、軌道、および体積のそれぞれ、ならびに（例えば、ノズル曲げを査定する目的で）推定ノズル位置の統計的平均および拡散尺度を生じるために使用される。
【０１０３】
図８Ｄは、ノズル適格性に関するフロー図を示す。一実施形態では、各ノズルに対する、および任意の所定のノズルに適用される各波形に対する、液滴量、速度、および軌道のいずれかおよび／またはそれぞれに対する、統計的モデル（例えば、分布および平均）を生じるように、液滴測定が行われる。したがって、例えば、１２個のノズルのそれぞれに対する波形の２つの選択がある場合、最大２４個の波形・ノズルの組み合わせまたは対合がある。一実施形態では、各パラメータ（例えば、体積）の測定が、ロバストな統計的モデルを発生させるために十分な各ノズルまたは波形・ノズル対合について行われる。計画にもかかわらず、所定のノズルまたはノズル・波形対合が、例外的に広い分布、または十分に異常であるため特別に処置されるべきである平均を生じ得ることが概念的に可能であることに留意されたい。適用されるそのような特別な処置は、一実施形態では、図８Ｄによって概念的に表される。
【０１０４】
より詳細には、参照数字８８１を使用して、一般的な方法が表される。液滴測定デバイスによって生成されるデータは、後に使用するためにメモリ８８５に記憶される。方法８８１の適用中に、本データは、メモリから回収され、各ノズルまたはノズル・波形対合のデータは、抽出されて個別に処理される（８８３）。一実施形態では、正規無作為分布が、平均、標準偏差、および測定される液滴の数（ｎ）によって表されるように、または同等の尺度を使用して、各変数が適格と見なされるために構築される。再度、他の分布形式（例えば、スチューデントのＴ、ポアソン等）が使用され得ることに留意されたい。測定されたパラメータは、関連液滴が実践で使用されることができるかどうかを判定するように、１つまたはそれを上回る範囲と比較される（８８７）。一実施形態では、使用から液滴を不適格と見なすように、少なくとも１つの範囲が適用される（例えば、液滴が所望の標的に対して十分に多いまたは少ない体積を有する場合には、そのノズルまたはノズル・波形対合は、短期間の使用から除外されることができる）。実施例を提供するために、１０．００ｐＬの液滴が所望される場合には、例えば、本標的から１．５％より多く離れた（例えば、＜９．８５ｐＬまたは＞１０．１５ｐＬ）液滴平均に結び付けられるノズルまたはノズル・波形が、使用から除外されることができる。また、もしくは代わりに、範囲、標準偏差、分散、または別の拡散尺度が使用されることができる。例えば、狭い分布（例えば、３σ＜平均の１．００５％）を伴う液滴の統計的モデルを有することが所望される場合には、本基準を満たさない測定値を伴う液滴は、除外されることができる。また、複数の要因を考慮する、精巧／複雑な基準のセットを使用することも可能である。例えば、非常に狭い拡散と組み合わせられた異常な平均が承認され得、例えば、測定された（例えば、異常な）平均μから離れた拡散（例えば、３σ）が１．００５％以内である場合には、関連液滴が使用されることができる。例えば、１０．００ｐＬ±０．１ｐＬ以内の３σ量を伴う液滴を使用することが所望される場合には、±０．８ｐＬの３σ値を伴う９．９６ｐＬ平均を生成するノズル・波形対合が除外され得るが、±０．３ｐＬの３σ値を伴う９．９３ｐＬ平均を生成するノズル・波形対合は、容認可能であり得る。明確に、任意の所望の拒否／異常基準（８８９）に従って、多くの可能性が可能である。同一のタイプの処理が、液滴あたりの飛行角度および速度に適用され得る、すなわち、ノズル・波形対合あたりの飛行角度および速度が、統計的分布を呈し、液滴測定デバイスから導出される測定および統計的モデルに応じて、いくつかの液滴が除外され得ることが期待されることに留意されたい。例えば、正規の５％外である平均速度または飛行軌道、もしくは特定の標的外の速度の分散を有する液滴が、仮定的に使用から除外されることができる。異なる範囲および／または評価基準が、記憶装置８８５によって測定および提供される各液滴パラメータに適用されることができる。
【０１０５】
拒否／異常基準８８９に応じて、液滴（およびノズル・波形の組み合わせ）が異なる様式で処理および／または処置され得ることに留意されたい。例えば、記述されるように、所望の規範を満たさない特定の液滴は、拒否されることができる（８９１）。代替として、特定のノズル・波形対合の次の測定反復のために付加的な測定を選択的に行うことが可能であり、実施例として、統計的分布が広すぎる場合、付加的な測定を通して統計的分布の緊密性を向上させるよう、特定のノズル・波形対合に付加的な測定を特別に行うことが可能である（例えば、分散および標準偏差は、測定されたデータ点の数に依存する）。数字８９３により、例えば、より高いまたは低い電圧レベルを使用するために（例えば、より大きいまたは小さい速度、もしくはより一貫した飛行角度を提供するために）、もしくは特定規範を満たす調整されたノズル・波形対合を生成するよう、波形を成形するために、ノズル駆動波形を調整することも可能である。数字８９４により、（例えば、特定のノズル・波形対合と関連付けられる異常な平均速度を補償するように）波形のタイミングも調節されることができる。（以前に示唆された）実施例として、他のノズルに対して早い時間に、遅い液滴が発射されることができ、より速い飛行時間を補償するように、速い液滴が後の時間に発射されることができる。多くのそのような代替案が、可能である。最終的に、数字８９５により、任意の調節されたパラメータ（例えば、発射時間、波形電圧レベルまたは形状）が記憶されることができ、随意に、所望であれば、調節されたパラメータは、１つまたはそれを上回る関連液滴を再測定するように適用されることができる。（修正された、または別様な）各ノズル・波形対合が適格と見なされた（合格した、または拒否された）後に、次いで、本方法は、数字８９７により、次のノズル・波形対合に進む。もう一度、特定の液滴詳細が、有利なことには、（少なくとも局所基準で）任意の変換された堆積パラメータの均質性を確実にするように、印刷格子発射命令を導出する際に考慮される。一実施形態では、ノズル詳細が、各格子点の変換計算の中へ加重される。別の実施形態では、異常液滴またはノズルに対応する格子点について行われる発射決定を抜粋、再分配、または別様に調節するために使用される第２のプロセスを用いて、印刷格子点発射決定が、（上記で議論されるような）変換されたテンプレート印刷イメージ重複に依存する加重基準で行われる。換言すると、ノズル発射決定は、第１の変換プロセスで行われることができ、次いで、第２の誤差補正プロセスは、ノズルまたは液滴詳細を考慮するように適用されることができる。他の代替案も、可能である。
【０１０６】
精密機械的システムおよび液滴測定システム整合技法の使用を通して、開示される方法は、記述されたパラメータ（例えば、体積、速度、軌道、ノズル位置、液滴降着位置、ノズル曲げ、および他のパラメータ）のそれぞれの平均液滴測定基準を含む、個々のノズル特性の非常に高精度の測定を可能にする。理解されるはずであるように、記述された技法は、製造プロセス、特に、ＯＬＥＤデバイス製造プロセスにおける高度な一様性、したがって、増進した信頼性を促進する。特に、液滴測定の速度、他のシステムプロセスに対するそのような測定の積み重ね、および整合誤差補正プロセスの組み込みに関して、制御効率を提供することによって、上記で提示される教示は、製作プロセスにおいて融通性および精度の両方を提供するように設計される、より高速で安価な製造プロセスを提供することに役立つ。
【０１０７】
図９Ａ−９Ｃは、もう一度、基板上の１つまたはそれを上回るフラットパネルの実施例を挙げる、製品アレイのための例示的実行時印刷プロセスを図示するために使用される。
【０１０８】
図９Ａは、個々のパネル製品を表す、いくつかの鎖線のボックスを伴って、基板９０１を描写する。図の左下で見られる、１つのそのような製品は、参照数字９０２を使用して指定される。（一連の基板の中の）各基板は、一実施形態では、数字９０３によって表されるようないくつかの整合マークを有する。一実施形態では、２つのそのようなマーク９０３が、全体として基板に使用され、基板位置オフセット、回転誤差、およびスケール誤差の調節を可能にし、別の実施形態では、３つまたはそれを上回るそのようなマーク９０３が、傾斜誤差の調節を促進するために使用される。さらに別の実施形態では、各パネル（４枚の描写されたパネルのうちのいずれか等）が、マーク９０５等のパネル毎の整合マークを伴う。これらの整合マークは、パネルにつき、または製品につき、独立した誤差処理を行うために使用されることができる。もう一度、十分な数または密度のそのようなマーク（例えば、パネルもしくは他の製品につき３つまたはそれを上回る）が、非線形誤差の補償を可能にする。基板基準９０３に加えて、またはその代わりに、これらのマークがあり得る。さらに別の実施形態では、整合マークは、（例えば、卵形９０９によって表されるような）パネル位置に関係なく規則的間隔で複製される。どちらの方式が使用されても、１つまたはそれを上回るカメラ９０６が、上記で参照される誤差を検出するために、整合マークを撮像するように使用される。１つの考慮される実施形態では、単一の静止カメラが使用され、プリンタの輸送機構（例えば、ハンドラおよび／または空気浮動機構）が、単一のカメラの視野内で各整合マークを順に位置付けるように基板を移動させる。異なる実施形態では、カメラは、基板に対して輸送するために運動システム上に搭載される。さらに別の実施形態では、以下で議論されるように、低または高倍率画像であって、高解像度拡大のための基準を粗く位置付ける低倍率画像、およびプリンタ座標系に従って精密な基準位置を識別する高倍率画像が撮影される。以前の議論を熟考して、一実施形態では、プリンタの輸送機構は、意図された位置の約１ミクロン以内まで運動を制御し、したがって、本システムは、ソフトウェアにおいて位置を精密に追跡することができ、プリンタベースまたは基板ベースの座標系に対して誤差を計算することができる。
【０１０９】
典型的実装では、印刷は、一度に基板全体の上に所定の材料層を堆積させるように（すなわち、複数の製品のための層を提供する単一の印刷プロセスを用いて）行われるであろう。これを例証するために、図９Ａは、基板の長軸に沿ったプリントヘッドの２つの例証的スキャン９０７および９０８を示し、分割軸プリンタでは、基板は、典型的には、スキャンの間にプリントヘッドを位置的に（すなわち、図面ページに対して垂直方向に）前進させるプリンタを伴って、前後に（例えば、描写された矢印の方向に）移動させられる。スキャン経路は線形として描写されているが、これはいかなる実施形態でも必要とされないことに留意されたい。また、スキャン経路（例えば、９０７および９０８）は、被覆領域に関して隣接し、相互排他的として図示されているが、これもいかなる実施形態でも必要とされない（例えば、プリントヘッドは、必要に応じて印刷帯状部分に対して部分的基準で適用されることができる）。最終的に、また、任意の所定のスキャン経路が、典型的には、１回の通過で複数の製品のための層を印刷するように、基板の印刷可能な全長を通り越すことに留意されたい。各通過は、（歪曲または補正されるような）印刷イメージに従ってノズル発射決定を使用し、各発射決定は、所望の液滴体積、軌道、および速度を生じるように、選択されプログラムされた波形を印加する。有利なことには、（以前に紹介されたような）プリンタに内蔵されたプロセッサは、ノズル／液滴測定ならびにパラメータの適格化および更新の両方、基板毎またはパネル毎の詳細の検出、テンプレートの補正、および２値ノズル発射決定（例えば、図５Ｂからの「トリガ（発射）」信号を参照）と関連して使用されるであろうノズル発射データ（例えば、図５Ｂからの「データ」および「駆動波形ＩＤ」を参照）のプログラミングを行う。いったん印刷が終了すると、次いで、基板および湿潤インク（すなわち、堆積液体）が、永久層の中への堆積液体の硬化または処理のために輸送されることができる。例えば、簡潔に図６Ｂの議論に戻って、基板は、全て制御された雰囲気（すなわち、有利なことには、湿気、酸素、または粒子状物質汚染を阻止するために使用される）を壊すことなく、印刷モジュール６２５の中で適用される「インク」を有し、次いで、硬化チャンバ６４１に輸送されることができる。
【０１１０】
図９Ｂは、再度、フラットパネルデバイス製作の実施例を使用して、製造動作のための１つの整合および検出プロセス９１１を図示する。多くの代替プロセスが可能であり、図９Ｂが実施例のみを提供することに留意されたい。本プロセスは、最初に、新しい基板が大まかに機械的に整合させられ、次いで、整合マークが光学的に測定され、最終的に、ソフトウェアプロセスが微細（仮想）整合を補正する、３部動作方法を使用する。新しい基板が装填されるとき、ロボットが最初に、基板を真空グリッパまで前進させるために使用されるプリンタリフトピン上に基板を配置する。グリッパは、空気浮動式テーブルによって支持されている間に基板を移動させ、基板は、大まかに整合させられ、光学測定のために（すなわち、基準の場所を特定するように）定位置にある、位置まで前進させられる。本システムは、カメラ制御システム（または他の撮像デバイス）が、基準の存在が予期される領域を撮像するために必要に応じて作動および／または起動されるように、粗い基板詳細のためにプログラムされることに留意されたい。第１に、低倍率画像が捕捉され、基板が再配置され、その後に、基準位置を精密に検出するために、より高い倍率の画像が使用される。光学測定のいずれか一方の段階中に、検索プロセス（例えば、螺旋）が、適宜に各基準を見出すために使用される。次いで、本システムは続いて、例えば、適宜に基板の精密な位置、配向、傾斜、および／またはスケールを識別することに役立つように、第２の基準（ならびに／もしくは適宜により大きい次数の基準）を測定する。前述のように、本プロセスはまた、関連誤差補正プロセスにとって適切な解像度で位置／歪曲情報を得るよう、パネル毎の基準で、または実際にありとあらゆる基準に、適用されることもできる。検出された基準パラメータ（位置、サイズ、形状、回転、傾斜、または関連基準参照点等）は、誤差を検出するように、そのような基準の予期されるパラメータと比較されることができる。記述されるように、任意の検出された誤差は、平行移動、回転、スケーリング、または傾斜誤差のうちの１つまたはそれを上回るもの、もしくは複数のそのような誤差の重畳を伴い得る。検出された誤差に基づいて、印刷が「適切な場所」にあるように任意の誤差を補正する、プリンタ制御データが構築される。図の右側で記述されるように、整合マーク判定に基づいて、システムソフトウェアは、テンプレート上の動作によって誤差を補正する。前述のように、テンプレートは、読み出され、次いで、本テンプレートのインスタンスは、前述の誤差補正プロセス（または別の同等プロセス）を介して適宜にノズル発射決定を生成するように、適宜に操作（レンダリング）される。その後、印刷が行われる。
【０１１１】
図９Ｃは、ソフトウェアにおける基板誤差補正について議論するために使用される、例証的略図を提供する。概して、数字９２１によって表される、一実施形態では、例えば、基板またはパネルレシピ、もしくは両方に従って、印刷される層を表すデータが、最初に読み出される（９２３）。数字９２５によって記述されるように、本情報は、典型的には、テンプレートとして維持され、データのコピーまたは「インスタンス」が読み出され、誤差に適合され、プリンタに送信され、次いで、（すなわち、次の基板のプロセス中に以前の基板処理からのデータ汚染を回避するように）破棄される。これらのプロセスは、図９Ｃで様々に表される。
【０１１２】
テンプレートのコピーが手元にあると、数字９２７により、本システムは、基板幾何学形状を検出する。数字９２８−９３２によって記述されるように、検出プロセスは、一度（例えば、印刷が開始する前に、または新しい基板が装填されると）、断続的に（例えば、印刷プロセスが中断されることができ、または基準捕捉が、基板の複数の細分のそれぞれについて、例えば、各パネルについて起こることができる）行われることができ、繰り返されることができ、または連続基準で行われることができる。数字９３１によって詳細に記述されるように、一実施形態では、複数の異なる基準が、異なるタイプの線形および非線形誤差の検出ならびに補正を可能にするために使用される。いったん誤差が検出されると、次いで、数字９３５により、本システムは、変換を計算する。例えば、一実施形態では、誤差が基板にわたって線形であるため、単純な一次方程式が導出され、プリンタ制御データを生成するために、キャッシュされたテンプレートをレンダリングするように使用される。他の実施形態では、誤差は、不連続的である様式で（例えば、領域に従って）、またはある他の様式で、二次方程式もしくは他の多項式によってモデル化されることができる。並列処理実施形態では、マスタまたは監視プロセッサが、本判定を行い、次いで、処理を離散コアもしくはプロセッサに割り当てる。数字９３７により、次いで、本システムは続いて、修正する、および／またはノズル発射決定を割り当てて誤差を軽減するために使用する、テンプレートの読み出されたインスタンスから関連データを見出す。数字９３８−９４１により、以前に議論されたように、テンプレートがノズル発射データのビットマップの形態を成す実施形態では、本システムは、テンプレート内の誤差ベクトル位置に「最も近い」ピクセルへの誤差適合、テンプレートからの複数のピクセルの加重尺度を、またはある他の様式で、基礎とすることができる。数字９４０により、新しい発射決定を得るために印刷格子点の「タイル」上で行列演算を本質的に行うプロセスを用いて、アフィン変換が適用されることができる。例えば、そのような変換は、真の基板位置（および配向、傾斜等）に対応する「変換された空間」のデータを得るように、オフセット、回転、および他の要因によってテンプレートデータを加重することができる。数字９４１により、他のプロセスも行われることができる。ノズル割当が行われると、次いで、本システムはまた、随意に、基板の離散領域の充填またはインク密度誤差を是正するために、位置補償後処理を呼び出すこともできる。いくつかのオプションおよびタイプの処理が、図９Ｃで表される（これらはまた、概して、図１０Ａ−Ｅに関連して以下で議論されるであろう）。例えば、数字９５１は、印刷格子９５３によって重ね合わせられ、数字９５４によって示される特定の節点または液滴位置を伴う、ＯＬＥＤディスプレイパネルの光生成要素を保持し得る、仮説的流体ウェルを図示する。位置誤差が、ウェル９５１の境界内で多すぎるか、または少なすぎる液滴をもたらす場合、アンチエイリアス処理プロセスが、ウェル内に収まるであろう液滴の数をチェックするように適用されることができる。例えば、印刷格子の回転が、テンプレートによって表される液滴密度を与えられる、ウェル内に収まるであろう液滴の数を変化させる可能性があり、アンチエイリアス処理プロセスは、本問題を検出し、正しい数および／または体積の液滴がウェル内に堆積させられるように、位置補償プロセスからノズル割当を修正する（９４５）。数字９４６−９４８を介して図の右側で示されるように、液滴詳細および／またはノズル検証も、本プロセスの考慮に入れられることができる。例えば、節点９５４の液滴が、位置誤差を示す液滴パラメータを記憶している（例えば、予期される発射軌道が、液滴を描写された流体ウェルの外側に降着されるであろう、誤差α、βを有する）場合、本問題はまた、どれが必要充填パラメータを満たすよう発射決定を変更したはずであるかを判定するように、ウェル内に収まる他の「節点」の詳細を検討する、ソフトウェアによって、補正されることもできる（９４５）。同様に、検証プロセスが使用され、発射決定が位置補償プロセスによって動作不能（または不適格と見なされた）ノズルに割り当てられる場合、本問題は、ソフトウェアによって検出されて補正されることができる（９４５）。前述のように、なおも別の実施形態では、液滴パラメータは、原位置で測定され、変化する条件を考慮するロバストな現在のデータセットを提供するように、周期的に更新されることができる。一般的に言えば、ステップ９４５は、液体送達が堆積のための必要詳細を満たすであろうことを確実にするように、重点およびエイリアシング誤差を補正する。プロセス９５５により検出される、対処または考慮されることができない誤差がある場合には、例外取扱ルーチン（９５７）が、典型的には、問題になっている誤差に対処するよう、またはデータを新たにレンダリングするよう、スキャン経路を調節もしくは再計算するために呼び出される。次いで、誤差が完全に軽減された場合には、数字９５９により、出力データが適宜に記憶され、および／またはプリンタならびにプリントヘッドに送信される。一実施形態では、システムソフトウェアはさらに、基板の間で相関する繰り返しの誤差を検出し、次いで、随意に、反復可能誤差を「学習」し、テンプレートをその誤差に適合させるように、（すなわち、９６１により）キャッシュされたテンプレートを更新できることに留意されたい。例えば、その運動における特定の位置で、または特定のな位置に対して、基板をわずかに「揺らぎ」させる、基板のためのシステム縁ガイドの意図されていない突出によって、位置誤差が所定のシステムで引き起こされる可能性がある。これらおよび他の反復可能誤差は、本システムによって学習され、ジョブ毎の誤差処理を低減させるために使用されることができる。本技法はさらに、図１０Ｅに関連して以下で議論されるであろう。
【０１１３】
図１０Ａ−１０Ｅは、すなわち、ノズル発射決定の割当において、印刷格子の特定の節点のための液滴詳細の調節において、および／または位置補償後プロセスとして、様々に適用され得る、異なるタイプの誤差補償技法を示すために使用される。
【０１１４】
より詳細には、図１０Ａは、領域中の液滴割当および／または液滴調節に関するフローチャート１００１を示す。例えば、そのような技法は、局所的基準で（すなわち、較正された厚さでブランケット被覆を提供するように拡散し得る、流体を堆積させるように）ハーフトーニングに、または（例えば、図９Ｃに関連して上記で議論されるように）流体ウェル内の総充填に適用されることができる。本方法は、第１に、数字１００３により、問題になっている領域またはウェルを識別し、所望の数の液滴または所望の充填体積を識別する。次いで、数字１００５により、本システムは、各ノズルおよび／またはノズル駆動波形の液滴パラメータの統計的平均ならびに分散を読み出す。本データは、ある程度の信頼を伴って予期される液滴パラメータの理解を提供する。パラメータｖ、α、およびβによって表されるように、一実施形態では、本システムは、メモリから、予期される液滴体積および予期される２次元液滴降着位置を表すパラメータ、ならびにこれらのパラメータの分散を読み出すことに留意されたい。次いで、システムソフトウェアは続いて、予期されるインク密度（または総体積）が所定の閾値を満たすかどうかを判定するように、充填を模倣する。一実施形態では、本システムは、単純に、所定の閾値を満たすために必要とされる液滴の適格な組み合わせを判定し、次いで、（すなわち、プリントヘッドによって横断されるスキャン帯状部分内の複数の領域にこれを同時に行う能力を最適化する様式で）これらの適格な組み合わせのうちの１つを選択する。別の実施形態では、本システムは、単純に、いくつかの液滴を選択し、次いで、液滴の組み合わせが所定の閾値外の結果を生じると予期されるであろう場合に、その組み合わせを事後調節する。数字１００６、１００７、および１００８により、本システムは、一実施形態では、所定のノズルのために異なる駆動波形（例えば、以前に説明されたような１６個の事前プログラムされた波形のうちの１つ）を選択することができ、または異なるノズルを選択し、もしくは特定のノズルが利用可能であるかどうかを確認するようにチェックすることができる。数字１００９により、本システムは、必要に応じて（駆動波形選択情報を含む）ノズル割当を調節し、次いで、印刷プロセスは、再度、誤差について精査される（１０１１、例えば、所定のスキャン経路およびスキャンの数の好適性）。誤差がある場合、本システムは、所定のスキャン経路のためにプリントヘッドオフセットを調節し（１０１２）、および／またはスキャンの数を調節することができる（１０１３）。誤差がない場合、本方法が終了し（１０１４）、割り当てられたデータが以前に議論されたようにプリンタに出力される。
【０１１５】
図１０Ｂは、今回は誤差補正後ステップとして、テンプレート調節に関する別のフローチャート１０２１を提供する。数字１０２３により、Ｎ個の領域または流体ウェルに関して、システムソフトウェアは続いて、例えば、検出された誤差データに基づいて、ウェル位置を識別する。ステップ１０２５では、ソフトウェアが、着目領域内に収まる印刷格子節点の発射決定を読み出し、各そのようなパラメータの平均（μ）および標準偏差または他の拡散尺度（例えば、σ）を読み出す（１０２６）。領域の総体積または体積分布のシミューレション（１０２７）に続いて、数字１０２９および１０３１により、次いで、本システムは、本体積もしくは分布が、所定の閾値、例えば、最小閾値（Ｔｈ１）および最大閾値（Ｔｈ２）に一致するかどうかを判定する。体積または分布が所定の閾値に一致しない場合には、システムソフトウェアは続いて、体積または分布が所定の閾値に一致するまで、数字１０３３、１０３５、および１０３６によって示されるように、液滴ならびに／もしくは波形割当を調節する。一実施形態では、複数の波形が各ノズルに利用可能であり、液滴体積の意図的変動を生じるように事前に選択されている場合、単純に新しい発射波形を特定の印刷格子節点に割り当てることによって、スキャン経路を変更することなく、誤差が補償されることができる。本波形が同一のプリントヘッドノズルのための別の発射決定と異なる場合には、ノズル発射の間に特定のノズルのために異なる「デフォルト」波形（すなわち、図５Ｂで描写される「トリガ（発射）」信号を参照）の選択をスケジュールに入れることは本システム次第である。次いで、数字１０３７により、本システムは、適宜に関連ノズルデータを保存する。随意のプロセスブロック１０３９によって記述されるように、特定のノズルのためにプログラムされている好適な波形がない場合、一実施形態では、本システムは、所定のノズルから取得可能な発射詳細を改善しようとして、この時に波形を追加し、または選択された波形を再プログラムすることができる。
【０１１６】
図１０Ｃは、ノズル／波形データが、基板またはパネル誤差に対処するようにテンプレートのインスタンスのレンダリングの考慮に入れられる、プロセスのフローチャート１０４１を示す。より詳細には、数字１０４３−１０４７によって示されるように、本システムは、ビットマップ（例えば、ビットマップ形態のテンプレート）に対応するノズル駆動詳細を読み出すことができる。例えば、再度、新しい印刷格子節点発射割当が、テンプレートに対応する４つの印刷ピクセルの加重平均に基づく、実施例を使用して、４つの割り当てられたノズルが、それぞれ、１０．００、１０．５０、１０．００、および１０．２０ｐＬ液滴を生成すると予期された場合には、本情報は、ノズルまたはノズル波形のいずれか一方を選択して、誤整合基板上に液滴を堆積させるために、考慮されて使用されることができる。図９Ｃからの流体ウェル９５１の実施例に戻って、描写されたウェル内に収まり、発射するように割り当てられる任意の印刷格子節点（例えば、９５４）は、潜在的に、流体ウェルのための総体積を得るために使用されることができ、本システムは、本仮説において４つの印刷ピクセルを効果的に加重し、４つの印刷ピクセルの加重組み合わせに対応する、予期される体積パラメータを有する液滴を生成するように、新しい格子点（例えば、ノズルまたは発射時間）および関連駆動波形（複数の波形が利用可能である場合）を選択することができる。数字１０４９により、ソフトウェアは、所望に応じて任意の平滑化（例えば、必要に応じて、隣接する印刷ピクセルの調節または次の液滴選択）を適用し、もう一度、出力データ（選択された駆動波形を含む）をメモリに書き込むことができる。次いで、本出力データは、最終的に、印刷を制御するようにプリンタに送信されるであろう。数字１０５３により、本システムは、固定スキャンパターンを仮定する（すなわち、単純に、誤差に対処する様式でノズルおよび駆動波形を割り当てる）ことができ、または別の実施形態では、全て印刷時間を最小限にすることに目を向けて、例えば、スキャン経路、プリントヘッドオフセット、スキャンの数、もしくは他の詳細を変更することによって、スキャン（ラスタ化）を再考して再び最適化することができる。これらの随意な特徴は、数字１０５５および１０５７で表される。
【０１１７】
図１０Ｄは、ハーフトーン（すなわち、液滴密度）調節に関する、さらに別のフローチャート１０６１を示す。本実施形態に関連して、例えば、堆積させられたインクを用いた基板の領域にわたるブランケット被覆を提供するように、しかしインク液滴が所望の層厚さ（すなわち、各液滴の所定の限定された拡散特性）を付与する密度で堆積させられるように、インク液滴密度を制御することが所望されると仮定されるはずである。そのようなプロセスは、障壁層、カプセル化層、または層厚さが比較的広い面積にわたって一貫していることが所望される他の層を作成することに特に有用である。数字１０６３により、もう一度、テンプレートからのデータのある部分が、基板および／またはパネル位置誤差を補償するようにレンダリングされるものであることが仮定される。数字１０６７、１０６９、および１０７１により、ソフトウェアは、本実施形態では、予期される液滴体積、位置および分散、ならびに所望の層パラメータ（例えば、厚さ、および所望の厚さを生じるために必要とされるハーフトーン密度またはインク密度）を読み出す。次いで、本システムは、元のテンプレートデータによって表される同一のインク密度を助長するように計算される様式で、利用可能なプールからノズルおよび駆動波形（例えば、特定のスキャン経路を仮定する特定の領域を通り過ぎるであろうノズル）を選択する。例えば、厚さ５ミクロンのカプセル化層を生成することが所望される場合、本システムは、（ａ）各領域を通り過ぎるであろうノズル、所望の厚さを生成するために必要とされる所望のインク密度、ノズル毎および波形毎の液滴詳細を識別し、（ｂ）所望の密度を生じるであろう（すなわち、次いで、隣接領域のためのノズル選択にも組み入れられる）ノズルおよび駆動波形を選択するように数学関数を適用し、次いで、プリンタ制御データを出力する。ハーフトーンまたは密度パターンを計画する際に、システムソフトウェアは、典型的には、均等な密度の流体を堆積させるように入念に堆積を計画し、例えば、ノズル詳細を考慮して、一貫した体積（例えば、１０．００ｐＬ）が利用不可能である場合に、液滴分布に関して「軽い」液滴（例えば、９．００ｐＬ）と「重い」液滴（例えば、１１．００ｐＬ）の平衡を保つことに留意されたい。もう一度、数字１０７３により、出力詳細は、誤差（例えば、スキャン経路が必要結果を生じることができないこと）についてもう一度精査され、誤差が見出されない場合、データがプリンタに出力され（１０７５）、または逆に誤差が見出された場合、例外プロセスが呼び出される（１０７７、例えば、ラスタ化を再査定するため）。他の代替案が、当業者に想起されるであろう。
【０１１８】
最終的に、図１０Ｅは、例えば、図９Ｃに関連して上記で紹介されるように、反復可能誤差のために記憶されたテンプレートを更新することに関する、フローチャート１０８１を提供する。各新しい基板に関して、描写された方法は、予期される位置（１０８３）からの偏差を、数字１０８５によりメモリに記憶されている過去の誤差と比較する。システムソフトウェアは、数字１０８７により、（例えば、一意の基板誤差と対照的に）誤差における相関を検出しようとする。数字１０８８−１０９０により、求められる相関の程度は、ある種類の較正（すなわち、予期される基板規範を設定するように）、連続基板の基準の継続的監視、または推測計算に基づき得る。本システムは、数字１０９１および１０９３により、例えば、回帰ソフトウェア、ニューラルネット、または他の適応プロセスに基づいて、誤差におけるパターンを効果的に「学習」し、次いで、適宜にテンプレートを修正し、偏差データの履歴を更新する。最終的に、数字１０９５により、ソフトウェアは、任意の未補正誤差（例えば、一意の誤差）について現在の基板を補正し、以前に説明されているようにデータをプリンタに出力する。
【０１１９】
前述のように、概して、処理時間を最小限にし、スループットを増加させるよう、印刷を迅速に行うことが所望される。一実施形態では、幅および長さ約２メートルである基板は、層につき９０秒未満でその表面を覆って一様に堆積させられた層を有することができる。別の実施形態では、本時間は、４５秒またはそれ未満である。したがって、そのような用途では、レンダリングおよび基板毎（または製品毎）の誤差軽減が可能な限り急速に行われることが有利である。
【０１２０】
図１１Ａ−１１Ｂは、本処理速度を促進する並列処理アーキテクチャを紹介するために使用される。明白となるはずであるように、精密製造（例えば、それぞれ何百万ものピクセルを有する、多くのテレビ画面の層を一度に印刷すること）を用いると、プリンタ制御データを生成する詳細な印刷格子のソフトウェア調節は、数秒かかり得る。図１１Ａ−１１Ｂで提示されるアーキテクチャおよびプロセスは、理想的には２秒またはそれ未満まで本時間を短縮するために使用される。
【０１２１】
より詳細には、図１１Ａで表されるように、キャッシュされた印刷イメージのコピー、記憶されたレシピデータ、または理想的な印刷を表す他の関連ソースデータが、最初に読み出される。マスタまたは監視プロセッサ１１０３が、任意の基板構成データをすでに認識させられているであろうため、製品（パネル）の数およびそれらのそれぞれの予期される場所を理解し得る。監視プロセッサ１１０３は、整合データを受信し、（例えば、独立基準で各パネルまたは製品について）誤差を計算する。パネル処理、またはサブパネルレベルでの誤差補償は、随意であり、すなわち、開示される技法は、印刷イメージのインスタンスが、特定の基板の全体を通して線形である基準で一致させられる場合でさえも、適用されることができる。本システムはまた、並列プロセッサのセット１１０５、一実施形態では、マルチコアプロセッサまたはグラフィック処理ユニット（ＧＰＵ）も含む。ＧＰＵは、典型的には、それぞれ（またはその多く）が並行して処理を行うために本実施形態で利用される、多数の（例えば、何百から何千もの）コア１１０７を含む。監視プロセッサ１１０３は、パネル定義、所望の誤差補正、および他の要因に依存して、テンプレート印刷イメージのインスタンスの変換を行うために、いくつの並列スレッドまたはプロセスが使用されるはずであるかに関して、決定を行う。本プロセスに関連して、監視プロセッサは、適宜に基板の全体的印刷領域を細分し、任意の関連変換パラメータを関連コアまたはプロセッサに割り当て、テンプレート印刷イメージのインスタンスを組み込みＤＲＡＭ１１０９に記憶する（キャッシュする）。組み込みＤＲＡＭは、有利なことには、プリンタ制御データの誤差補正およびレンダリング（任意のソースデータの変換およびオーバーレイを含む）のためにコア１１０７のうちの１つまたはそれを上回るものによって使用される、レジスタ１１１１Ａをそれぞれ有する、複数のバンク、ポート、もしくはアレイ１１１１を含むことに留意されたい。組み込みメモリは、有利なことには、１つのコアまたはプロセッサによるアクセスが、別のコアまたはプロセッサの帯域幅を限定しないように、並列アクセスのために構造化される。この趣旨で、アーキテクチャは、各コアが並行してメモリ１１０９にアクセスすることができるように、（例えば、適宜に何百ものデータアクセスラインを特色とする）非常に広いアクセス経路１１１３を特色とすることができる。１つの実装では、ソースデータを記憶する様式は、各コアまたはプロセッサが、変換のために必要とするデータ、および変換されたプリンタ制御データのための書き込み領域にアクセスできるように、プロセッサもしくはコア割当に依存することに留意されたい。１つの考慮される実装では、監視プロセッサ１１０３は、全ての利用可能なコアまたはプロセッサを必ずしも使用しないが、離散製品（例えば、パネル）を取り扱うコアまたはプロセッサ、もしくはパネルまたは製品の相互排他的部分を割り当てる。例えば、仮説的パネルが１５枚のパネルを有し、本システムが３１個の並列処理ユニットを含む場合、監視プロセッサは、各ユニットがパネルの半分を処理する、２つの並列処理ユニットを割り当て得る。監視プロセッサは、適宜に記憶するためにテンプレートの部分を組み込みＤＲＡＭに指向し、任意の変換パラメータ（例えば、傾斜アルゴリズム）を各メモリバンクまたはアレイのための（すなわち、各コアまたは並列プロセッサのための）関連レジスタ１１１１Ａに書き込み、次いで、その処理が完了したという信号を各コアまたはプロセッサから待つであろう。次いで、出力は、問題になっている材料の堆積させられる層を精密に配置するために、印刷を任意の基板毎または製品毎の変動に適合させるように歪曲させられる、プリンタ制御データの変換された基板毎のセットである。数字１１１５および１１１７によって表されるように、監視プロセッサおよびそれぞれのコアまたはプロセッサの各々は、以前に説明されたように、特定の処理機能を果たすように、それぞれの監視プロセッサ、コア、もしくはプロセッサを制御する、非一過性の機械可読媒体上に記憶された命令によって統制されることに留意されたい。また、レンダリングされたデータが、（利用可能であるような）１つのプロセッサコアによってメモリに書き込まれ、独立手段によって（すなわち、１つのプロセッサコアが続いて、位置誤差を補正するように他のデータを調節している間に）アンロードされることができるように、組み込みＤＲＡＭは、ダイレクトメモリアクセス（ＤＭＡ）の形態を提供するように設計され得ることに留意されたい。
【０１２２】
図１１Ａは、図の右側にいくつかの付加的実装オプションを示す。第１に、前述のように、各パネルは、数字１１１９によって表されるように、１つまたはそれを上回るそれぞれのコアもしくはプロセッサに割り当てられることができる。典型的な製造プロセスのように、一連の基板は、同一のレシピまたはテンプレートを使用し、オプション１１１９によって表される構成は、典型的には、固定費用である（例えば、監視プロセッサ１１０３は、典型的には、割り当てを再計算するか、またはそれぞれの基板のデータ記憶パラメータを変更する必要がない）。第２に、数字１１２０により、本固定割当を考慮して、監視プロセッサは、随意に、コアにつきそれぞれの変換を割り当てることができる。上記の実施例は、概して、オフセット、回転、スケール、および傾斜補正について別個に議論するが、典型的実装では、変換は、適宜にこれらの補正の任意の組み合わせを伴って、複雑であり得る。監視プロセッサは、関連変換を計算し、次いで、それが割り当てられている全ての影響を受けたテンプレートデータ上で変換を実行する、適切なプロセッサまたはコアに計算された変換を割り当てる。数字１１２０によって表されるように、一実施形態では、各変換が、それぞれのプロセッサまたはコアに提供される。数字１１２３により、一実施形態では、前処理されたテンプレートデータまたは変換されたデータの記憶が分散化されることができる。つまり、変換が、パネルを表す（変換された）印刷イメージまたは印刷イメージデータ上で重複ピクセルの発射決定の加重を伴い得ることが以前に記述された。数字１１２３によって表されるオプションにより、印刷イメージピクセルデータは、同一メモリ行内の北西、北東、南西、および南東ピクセルデータを（同一のアドレスではなく）それぞれのメモリアレイに記憶することによる等の本処理に貢献する様式で、または別の様式で記憶されることができる。（例えば、従来、画像レンダリングを加速するように、グラフィックおよびゲームプロセスのために行われるように）データ読み出しおよび処理を加速するために使用され得る、多くの可能なメモリ記憶技法が存在している。同一タイプのメモリプロセスが、本実施形態に採用されることができる。また、数字１１２３によって表されるように、一実施形態では、例えば、印刷ピクセルデータが所定の行内に記憶される場合、本システムが処理のために必要とされる次のデータのセットを自動的かつ迅速にフェッチすることができるように、（メモリアレイ毎の）可変列オフセットが使用されることができる。実施例として、キャッシュされた印刷イメージデータは、漸増基準で両方のメモリ矢印に対する関連印刷ピクセル情報を読み出すために使用される列オフセットを伴って、分散様式で（例えば、２つのメモリアレイのそれぞれの中の行）ＤＲＡＭ（１１１１）に記憶されることができる。本処理の多くの代替案および変形例も、可能である。
【０１２３】
上記で説明される構成が、唯一可能なものではないことに留意されたい。例えば、基板の地形を各コアに割り当てる代わりに、監視プロセッサまたは他のマスタ１１０３は、変換演算を分割し、異なるプロセスをそれぞれのコアに割り当てることができる（１１２１）。一実施形態では、１つのコアが、アフィン変換と関連付けられる１つのタスクを行うように割り当てられ得る一方で、異なるコアは、別のタスクを行うように割り当てられ得る。数字１１２２によって示されるように、責任のほぼあらゆる割付が、並列であろうと順次であろうと、複数のコアの間で影響を受け得る。概して、基板毎またはパネル毎の誤差を検出し、製造スループットを最大限にするよう、可能な限り迅速に印刷を進めることが所望されるため、加速の任意の効率が、本目的を満たす場合、複数の利用可能なプロセッサまたはコアに潜在的に適用されることができる。
【０１２４】
図１１Ｂは、実行時プロセスと関連付けられるフローチャート１１５１を示す。本実施例では、いったん誤差が測定されると、１つまたはそれを上回るアフィン変換を全体的な印刷領域の（すなわち、基板の）それぞれの地形に適用するように、複数のコアがそれぞれ割り当てられることが仮定されるであろう。数字１１５３によって示されるように、テンプレートデータが、最初にロードまたはキャッシュされる。監視プロセッサは、関連整合マークまたは基準を識別する（１１５７）ように、適宜にそのようなソースデータを利用し（１１５５）、次いで、プリンタカメラシステムを適切な粗い座標に指向する。プリンタカメラシステムは、監視プロセッサが得られたソース情報１１５５に対して測定する、精密測定情報を返す。次いで、監視プロセッサは、検出された地形を考慮して、適宜にパネルおよび／または基板変換計算を行い（１１５９）、次いで、処理範囲を分担し、適宜にパラメータを各コア、プロセッサ、または並列処理スレッドに変換する（１１６１および１１６３）。繰り返しの基板レシピに関して、監視プロセッサは、受信されたテンプレートイメージのサブセットを、特定のコア、プロセッサ、またはスレッド専用のメモリの中へ自動的に解析し得る。次いで、各コア、プロセッサ、またはスレッドは、印刷詳細を検出された基板またはパネル地形に一致させる様式で、テンプレートを変換もしくは歪曲させるように、その割り当てられたデータを変換し始める（１１６５）。本プロセスの一部として、任意のプリントヘッド、液滴、もしくはノズル詳細を考慮して、完成した変換されたプリンタ制御データが正確な堆積を提供し得ることを確実にするために、合理的に最新の印刷ノズルおよび／または液滴データが利用可能にされる（１１６７）。他の実施形態では、本調節（すなわち、印刷ノズル詳細に依存する）が、専用コア、プロセッサ、またはスレッド（すなわち、印刷格子動作を行うコア、プロセッサ、またはスレッドと別個である）によって行われ得る、もしくは監視プロセッサによって行われ得ることに留意されたい。いったん任意の変換が行われると、ノズル／液滴特有の特性に一致して、変換されたプリンタ制御データは、メモリからアンロードされ、ラスタ化され（１１６９）、印刷（１１７１）のための適切な命令を用いてプリンタに送信されることができる。
【０１２５】
上記で紹介される種々の技法および考慮事項を熟考すると、低い単位あたりの費用で迅速に製品を大量生産するように、製造プロセスが行われることができる。ディスプレイデバイス製造、例えば、フラットパネルディスプレイに適用されると、これらの技法は、随意に、複数のパネルが共通基板から生成される、高速のパネル毎の印刷プロセスを可能にする。（例えば、パネル毎に共通インクおよびプリントヘッドを使用して）高速の反復可能印刷技法を提供することによって、印刷が実質的に向上させられ得る、例えば、全て標的領域あたりの充填堆積が仕様内であることを保証しながら、層あたりの印刷時間を、上記の技法を用いることなく必要とされるであろう時間のわずかな一部まで短縮すると考えられる。再度、大型ＨＤテレビディスプレイの実施例に戻って、各色成分層が、実質的なプロセス改良を表す、１８０秒またはそれ未満、もしくは９０秒またはそれ未満でさえも、大型基板（例えば、約２２０ｃｍ×２５０ｃｍである８．５世代基板）のために正確かつ確実に印刷され得ると考えられる。印刷の効率および質を向上させることにより、大型ＨＤテレビディスプレイを生産する費用の有意な削減、したがって、より低い最終消費者費用のために道を開く。前述のように、ディスプレイ製造（および詳細にはＯＬＥＤ製造）は、本明細書で紹介される技法の１つの用途であるが、これらの技法は、多種多様なプロセス、コンピュータ、プリンタ、ソフトウェア、製造機器、およびエンドデバイスに適用されることができ、ディスプレイパネルに限定されない。詳細には、開示される技法は、プリンタが、限定ではないが、任意のマイクロ電子、マイクロ光学、または「３Ｄ印刷」用途を含む、共通印刷動作の一部として、複数の製品の層を堆積させるために使用される、任意のプロセスに適用され得ることが予測される。
【０１２６】
説明される技法は、多数のオプションを提供することに留意されたい。一実施形態では、パネル（または製品毎の）誤整合もしくは歪曲が、単一のアレイ内で、または単一の基板上で、製品毎の基準で調節されることができる。共通印刷データにもかかわらず、２枚のパネルを横断するスキャン経路が各基板のための異なる発射命令を有する（例えば、１枚のパネルのデータの回転または調節が印刷ジョブ毎に変動し得る）ように、１つまたはそれを上回る整合誤差に基づく次の調節／適合を伴って、プリンタスキャン経路が計画されることができる。随意に、本情報は、リアルタイムでソーステンプレート（例えば、２値発射決定を表すビットマップ）から調節されることができる。他の実施形態では、共通プリンタソースデータにもかかわらず、印刷領域および／またはスキャン経路が、追加され、または基板毎に完全に再計画されることができる。説明される技法は、単一の印刷ジョブの一部として、ＯＬＥＤパネル、例えば、２、４、６枚、または異なる数のパネルを製作するために使用されることができる。製作に続いて、これらのパネルは、例えば、それぞれのＨＤＴＶディスプレイまたは他のタイプのデバイスを製作するように、分離され、それぞれの製品に適用されることができる。ソフトウェアにおいて微細整合（例えば、ミリメートル未満の整合）を行うことによって、開示される技法は、根本的な製品毎または基板毎の誤整合もしくは変形に一致する様式で、精密な機械的位置付けおよび堆積誤差の正確な配置ならびに整合をあまり重視せず、より正確な製品製作を提供する。
【０１２７】
前述の説明および添付の図面では、特定の用語および図面の記号が、開示される実施形態の徹底的な理解を提供するように記載されている。場合によっては、用語および記号は、これらの実施形態を実践するために必要とされない、特定の詳細を示唆し得る。「例示的な」および「実施形態」という用語は、選好または要件ではなく実施例を表すために使用される。
【０１２８】
示されるように、本開示のより広義の精神および範囲から逸脱することなく、本明細書で提示される実施形態に種々の修正および変更が行われ得る。例えば、実施形態のうちのいずれかの特徴または側面は、少なくとも実用的である場合、実施形態のうちのいずれか他方と組み合わせて、もしくはその対応特徴または側面の代わりに適用され得る。したがって、例えば、全ての特徴がありとあらゆる図面に示されているわけではなく、例えば、１つの図面の実施形態に従って示される特徴または技法は、随意に、たとえ本明細書で詳細に宣言されていなくても、任意の他の図面もしくは実施形態の特徴の要素として、または特徴と組み合わせて、採用可能であると仮定されたい。したがって、本明細書および図面は、制限的な意味よりもむしろ例証的な意味で見なされるものである。
【図１−１】
2018137241.tif 000005
【図１−２】
2018137241.tif 000006
【図２Ａ】
2018137241.tif 000007
【図２Ｂ】
2018137241.tif 000008
【図２Ｃ】
2018137241.tif 000009
【図３】
2018137241.tif 000010
【図４−１】
2018137241.tif 000011
【図４−２】
2018137241.tif 000012
【図４−３】
2018137241.tif 000013
【図４−４】
2018137241.tif 000014
【図５Ａ】
2018137241.tif 000015
【図５Ｂ】
2018137241.tif 000016
【図５Ｃ】
2018137241.tif 000017
【図５Ｄ】
2018137241.tif 000018
【図６Ａ】
2018137241.tif 000019
【図６Ｂ】
2018137241.tif 000020
【図６Ｃ】
2018137241.tif 000021
【図６Ｄ】
2018137241.tif 000022
【図７】
2018137241.tif 000023
【図８−１】
2018137241.tif 000024
【図８−２】
2018137241.tif 000025
【図８−３】
2018137241.tif 000026
【図９Ａ】
2018137241.tif 000027
【図９Ｂ】
2018137241.tif 000028
【図９Ｃ】
2018137241.tif 000029
【図１０−１】
2018137241.tif 000030
【図１０−２】
2018137241.tif 000031
【図１１Ａ】
2018137241.tif 000032
【図１１Ｂ】
2018137241.tif 000033
【外国語明細書】
2018137241000001.pdf